(57)【要約】改良された聴診器デバイスと、該改良された聴診器デバイスを動作させるための方法を提供する。改良された聴診器デバイスは、概して、被験体に関する一連の測定値を取得するために、聴診センサ、超音波センサ、およびの他のセンサを設けることによって動作する。一連の測定値は、臨床的に関連する情報を抽出するために、機械学習などによって相関させることができる。また、オーディオ信号を超音波信号と干渉させることによる、超音波ビームステアリングのためのシステムおよび方法も同様に記載されている。【選択図】図３
2019531101.tif 000002
【特許請求の範囲】
【請求項１】
聴診器デバイスであって：
対象から聴診オーディオ信号を受信するための機械的ダイヤフラムを備える、聴診器ヘッドと；
第１の送信超音波撮像信号を第１の周波数で前記対象に送信し、第１の受信超音波撮像信号を前記第１の周波数で前記対象から受信する、第１の超音波トランスデューサと；
第２の送信超音波撮像信号を前記第１の周波数とは異なる第２の周波数で前記対象に送信し、第２の受信超音波撮像信号を前記第２の周波数で前記対象から受信する、第２の超音波トランスデューサと；を備え、
前記第１および第２の超音波トランスデューサは、互いに同時に送信および受信する、聴診器デバイス。
【請求項２】
前記第１の送信超音波撮像信号の前記周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択され：かつ前記第２の送信超音波撮像信号の前記周波数は、０．５ＭＨｚ〜３０ＭＨｚの周波数範囲内にある、請求項１に記載の聴診器デバイス。
【請求項３】
前記第１の受信超音波撮像信号の前記周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択され：かつ前記第２の受信超音波撮像信号の前記周波数は、０．５ＭＨｚ〜３０ＭＨｚの周波数範囲内にある、請求項１または２に記載の聴診器デバイス。
【請求項４】
前記第１の送信超音波撮像信号の前記周波数は、０．５ＭＨｚ〜３０ＭＨｚの周波数範囲内にあり、前記第２の送信超音波撮像信号の前記周波数は、０．５ＭＨｚ〜３０ＭＨｚの周波数範囲内にありかつ前記第１の送信超音波撮像信号の前記周波数とは異なる、請求項１〜３のいずれか一項に記載の聴診器デバイス。
【請求項５】
前記第１の受信超音波撮像信号の前記周波数は、０．５ＭＨｚ〜３０ＭＨｚの周波数範囲内にあり、前記第２の受信超音波撮像信号の前記周波数は、０．５ＭＨｚ〜３０ＭＨｚの周波数範囲内にありかつ前記第１の受信超音波撮像信号の前記周波数とは異なる、請求項１〜４のいずれか一項に記載の聴診器デバイス。
【請求項６】
前記第１の受信超音波撮像信号は、前記第２の受信超音波撮像信号によって正規化される、請求項１〜５のいずれか一項に記載の聴診器デバイス。
【請求項７】
前記第１の受信超音波撮像信号の前記周波数は、０．５ＭＨｚ〜３０ＭＨｚの周波数範囲内にあり、前記第２の受信超音波撮像信号の前記周波数は、０．５ＭＨｚ〜３０ＭＨｚの周波数範囲内にありかつ前記第１の受信超音波撮像信号の前記周波数とは異なる、請求項１〜６のいずれか一項に記載の聴診器デバイス。
【請求項８】
前記第１の超音波トランスデューサは、ジルコン酸チタン酸鉛（ＰＺＴ）素子、ポリフッ化ビニリデン（ＰＶＤＦ）素子、電圧マイクロマシン超音波トランスデューサ（ＰＭＵＴ）素子、および容量性マイクロマシン超音波トランスデューサ（ＣＭＵＴ）素子からなる群から選択された素子を含み；前記第２の超音波トランスデューサは、ＰＺＴ素子、ＰＶＤＦ素子、ＰＭＵＴ素子、およびＣＭＵＴ素子からなる群から選択された素子を含む、請求項１〜７のいずれか一項に記載の聴診器デバイス。
【請求項９】
前記第１の超音波トランスデューサは、少なくとも１つの他の超音波撮像センサの帯域幅と部分的に重複する帯域幅を有する、請求項１〜８のいずれか一項に記載の聴診器デバイス。
【請求項１０】
前記聴診器ヘッド、前記第１の超音波トランスデューサ、および前記第２の超音波トランスデューサの１つ以上に連結されたハウジングをさらに備える、請求項１〜９のいずれか一項に記載の聴診器デバイス。
【請求項１１】
前記聴診器ヘッド、前記第１の超音波トランスデューサ、および前記第２の超音波トランスデューサの１つ以上は、前記ハウジングに取り外し可能に連結されている、請求項１〜１０のいずれか一項に記載の聴診器デバイス。
【請求項１２】
前記聴診器ヘッド、前記第１の超音波トランスデューサ、および前記第２の超音波トランスデューサの１つ以上は、前記ハウジングに物理的に連結されている、請求項１〜１１のいずれか一項に記載の聴診器デバイス。
【請求項１３】
前記聴診器ヘッド、前記第１の超音波トランスデューサ、および前記第２の超音波トランスデューサの１つ以上は、前記ハウジングに機能的に接続されている、請求項１〜１２のいずれか一項に記載の聴診器デバイス。
【請求項１４】
非聴診の非超音波信号を検出するための、非聴診の非超音波センサをさらに備える、請求項１〜１３のいずれか一項に記載の聴診器デバイス。
【請求項１５】
前記非聴診の非超音波センサは、非聴診オーディオセンサ、温度センサ、光学センサ、電気センサ、および電気化学センサからなる群から選択される、請求項１４に記載の聴診器デバイス。
【請求項１６】
前記非聴診の非超音波センサは、体温、呼吸数、呼吸の質、呼吸の病理、血圧レベル、血糖濃度レベル、血中ガス濃度レベル、および血中酸素飽和度（ｓｐＯ２）レベルからなる群に由来する信号を検出するように構成されている、請求項１４または１５に記載の聴診器デバイス。
【請求項１７】
前記聴診器ヘッドは、前記第１および第２の超音波トランスデューサに機能的に接続されている、請求項１〜１６のいずれか一項に記載の聴診器デバイス。
【請求項１８】
バッテリをさらに備える、請求項１〜１７のいずれか一項に記載の聴診器デバイス。
【請求項１９】
電力を受け取るための電源コネクタをさらに備える、請求項１〜１８のいずれか一項に記載の聴診器デバイス。
【請求項２０】
電力を受け取るための誘導電力コイルをさらに備える、請求項１〜１９のいずれか一項に記載の聴診器デバイス。
【請求項２１】
データを送信および受信するための誘導電力コイルをさらに備える、請求項１〜２０のいずれか一項に記載の聴診器デバイス。
【請求項２２】
前記デバイスを、聴診器モード、超音波撮像モード、または非聴診の非超音波モードの１つ以上で動作させるための制御部をさらに備える、請求項１〜２１のいずれか一項に記載の聴診器デバイス。
【請求項２３】
前記制御部は、ユーザインタフェースを備える、請求項２２に記載の聴診器デバイス。
【請求項２４】
前記ユーザインタフェースは、前記聴診信号、前記超音波信号、または前記非聴診の非超音波信号に基づくフィードバックをユーザに提供するように構成されている、請求項１〜２３のいずれか一項に記載の聴診器デバイス。
【請求項２５】
前記ユーザインタフェースは、タッチスクリーンデバイスを含む、請求項２４に記載の聴診器デバイス。
【請求項２６】
無線ネットワークモダリティをさらに備える、請求項１〜２５のいずれか一項に記載の聴診器デバイス。
【請求項２７】
前記無線ネットワークモダリティは、前記聴診オーディオ信号、受信超音波信号または非聴診の非超音波信号を周辺デバイスに通信するように構成されている、請求項２６に記載の聴診器デバイス。
【請求項２８】
マイクロフォンおよびスピーカをさらに備える、請求項１〜２７のいずれか一項に記載の聴診器デバイス。
【請求項２９】
前記マイクロフォンおよびスピーカは、前記聴診器デバイスのオペレータと前記聴診器デバイスとの間の通信を可能にする、請求項２８に記載の聴診器デバイス。
【発明の詳細な説明】
【技術分野】
【０００１】
［関連出願の相互参照］
本出願は、２０１６年８月１７日に出願された「改良された聴診器デバイス、方法、および生理機能測定用プラットフォーム」と称する米国特許仮出願第６２／３７６３００号の利益を主張し、この出願は、すべての目的のためにその全体が本明細書に組み込まれる。
【背景技術】
【０００２】
従来の聴診器が、一連の医療において広範に使用されている。しかしながら、それ単体では、呼吸および心拍数を評価することしかできず、血圧測定は、聴診器を血圧計と組み合わせて使用する場合に可能となる。従来の聴診器ヘッドには、０．０１Ｈｚ〜３ｋＨｚの範囲のオーディオ信号を機械的に増幅するダイヤフラムが含まれている。医療用途では、オペレータは、聴診器ヘッドを、観察する現象に隣接させて（例えば、呼吸を測定するために胸部に対して）固定する。ダイヤフラムは、特徴部（例えば、心臓または肺）から聴診器ヘッドに結びつけられた音を、一組のイヤーピースに伝達する。オペレータは、この音を解釈し、その測定値を手動で記録する。研究により、これらの測定値は、測定値がとられるオーディオ環境だけでなく、オペレータのトレーニングレベルにも大きく依存することが示されている。
【０００３】
電子聴診器は、救急部門などの大きな環境において、従来の聴診器の限界に対処しようとしている。電子聴診器は、ダイヤフラムに投射される機械的信号を、容易に増幅されてオペレータが着用するイヤーピースに伝達される電子信号に変換する。しかしながら、人間のオペレータがオーディオ信号を解釈し、心拍数および呼吸数などの生理的パラメータを推定する必要が依然としてある。
【０００４】
対照的に、このデータの収集および解釈の一部を自動化するために、超音波撮像装置が開発されている。例えば、超音波撮像装置は、記録された画像またはドップラー超音波から、成人または胎児の心拍数を抽出することができる。これらの撮像装置は、体内の組織に差し込んで反射する高周波エコーを測定する。これらの超音波装置を用いて断層撮影を実行するために、音の周波数を変調するための多くの戦略が開発されている。例えば、高周波数は、浅い深度（例えば、皮下組織、肺、血管系）でより高い解像度の画像を生成し、低周波数は、より深い深度（例えば、内臓器官）でより低い解像度の画像を生成する。超音波は、感染症、外傷、腸閉塞、心臓疾患、妊娠段階、および胎児の健康の検査ならびにモニタリングを含む、様々な画像診断目的で使用される。その汎用性により、超音波は、ポイントオブケア医療、開発途上世界、荒野探検、宇宙飛行での使用における特に有効なツールとされているが、超音波装置の典型的な高コスト、電力要件、およびサイズが多くのシナリオでその採用を妨げてきた。
【０００５】
さらに、現在の超音波撮像装置は、聴診器とは異なり、使用するために多大なトレーニングを必要とするが、依然として、実質的なオペレータ間のばらつきに悩まされている。これらの制限により、超音波撮像装置を増やすことはできても聴診器にとって代わることはできなかった。
【発明の概要】
【０００６】
聴診器および超音波システムによって提供される補完的な診断情報のために、これらの技術の両方を利用するシステムおよび方法が必要とされている。理想的には、そのようなシステムおよび方法は、心拍数、血圧、体温、呼吸数、またはＳｐＯ２（Ｏ２を伴うヘモグロビンの飽和状態）などの生理学的パラメータに関する情報も測定して取り込む。
【０００７】
本明細書に記載するシステムおよび方法は、概して、医療従事者によって一般に使用される聴診器に対して機能が改良された聴診器に関する。改良された聴診器デバイスと、該改良された聴診器デバイスを動作させるための方法を提供する。改良された聴診器デバイスは、概して、被験体に関する一連の測定値を得るために、聴診センサ、超音波センサ、およびの他のセンサを設けることによって動作する。一連の測定値は、臨床的に関連する情報を抽出するために、機械学習などによって相関させることができる。また、オーディオ信号を超音波信号と干渉させることによる、超音波ビームステアリングのためのシステムおよび方法も同様に記載されている。
【０００８】
第１の広い態様において、聴診器は、聴診器ヘッドを備えることができる。オーディオヘッドは、機械的タイヤフラムを備えていてもよい。機械的ダイヤフラムは、対象から聴診オーディオ信号を受信することができる。聴診器デバイスは、第１の超音波トランスデューサをさらに備えていてもよい。第１の超音波トランスデューサは、第１の送信超音波撮像信号を第１の周波数で対象に送信し、第１の受信超音波撮像信号を第１の周波数で対象から受信することができる。聴診器は、第２の超音波トランスデューサをさらに備えていてもよい。第２の超音波トランスデューサは、第２の送信超音波撮像信号を第１の周波数とは異なる第２の周波数で対象に送信し、第２の受信超音波撮像信号を第２の周波数で対象から受信することができる。第１および第２の超音波撮像トランスデューサは、互いに同時に送信および受信することができる。
【０００９】
第１の送信超音波撮像信号の周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択することができる。第２の送信超音波撮像信号の周波数は、０．５ＭＨｚ〜３０ＭＨｚの周波数範囲内のものとすることができる。第１の受信超音波撮像信号の周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択することができる。第２の受信超音波撮像信号の周波数は、０．５ＭＨｚ〜３０ＭＨｚの周波数範囲内のものとすることができる。第１の送信超音波撮像信号の周波数は、０．５ＭＨｚ〜３０ＭＨｚの周波数範囲内にあり、第２の送信超音波撮像信号の周波数は、０．５ＭＨｚ〜３０ＭＨｚの周波数範囲内にありかつ第１の送信超音波撮像信号の周波数とは異なっていてもよい。第１の受信超音波撮像信号の周波数は、０．５ＭＨｚ〜３０ＭＨｚの周波数範囲内にあり、第２の受信超音波撮像信号の周波数は、０．５ＭＨｚ〜３０ＭＨｚの周波数範囲内にありかつ第１の受信超音波撮像信号の周波数とは異なっていてもよい。
【００１０】
第１の受信超音波撮像信号は、第２の受信超音波撮像信号によって正規化することができる。
【００１１】
第１の超音波トランスデューサは、ジルコン酸チタン酸鉛（ＰＺＴ）素子、ポリフッ化ビニリデン（ＰＶＤＦ）素子、電圧マイクロマシン超音波トランスデューサ（ＰＭＵＴ）素子、および容量性マイクロマシン超音波トランスデューサ（ＣＭＵＴ）素子からなる群から選択された素子を含むことができる。第２の超音波トランスデューサは、ＰＺＴ素子、ＰＶＤＦ素子、ＰＭＵＴ素子、およびＣＭＵＴ素子からなる群から選択された素子を含むことができる。
【００１２】
第１の超音波トランスデューサは、少なくとも１つの他の超音波撮像センサの帯域幅と部分的に重複する帯域幅を有することができる。
【００１３】
聴診器デバイスは、聴診器ヘッド、第１の超音波トランスデューサ、および第２の超音波トランスデューサの１つ以上に連結されたハウジングをさらに備えていてもよい。聴診器ヘッド、第１の超音波トランスデューサ、および第２の超音波トランスデューサの１つ以上は、ハウジングに取り外し可能に連結されていてもよい。聴診器ヘッド、第１の超音波トランスデューサ、および第２の超音波トランスデューサの１つ以上は、ハウジングに物理的に連結されていてもよい。聴診器ヘッド、第１の超音波トランスデューサ、および第２の超音波トランスデューサの１つ以上は、ハウジングに機能的に接続されていてもよい。
【００１４】
聴診器デバイスは、非聴診の非超音波信号を検出するための、非聴診の非超音波センサをさらに備えていてもよい。非聴診の非超音波センサは、非聴診オーディオセンサ、温度センサ、光学センサ、電気センサ、および電気化学センサからなる群から選択することができる。非聴診の非超音波センサは、体温、呼吸数、呼吸の質、呼吸の病理、血圧レベル、血糖濃度レベル、血中ガス濃度レベル、および血中酸素飽和度（ｓｐＯ２）レベルからなる群に由来する信号を検出するように構成することができる。
【００１５】
聴診器ヘッドは、第１および第２の超音波トランスデューサに機能的に接続されていてもよい。
【００１６】
聴診器デバイスは、バッテリを備えていてもよい。聴診器デバイスは、電力を受け取るための電源コネクタを備えていてもよい。聴診器デバイスは、電力を受け取るための誘導電力コイルを備えていてもよい。聴診器デバイスは、データを送信および受信するための誘導電力コイルを備えていてもよい。
【００１７】
聴診器デバイスは、該デバイスを、聴診器モード、超音波撮像モード、または非聴診の非超音波モードの１つ以上で動作させるための制御部を備えていてもよい。制御部は、ユーザインタフェースを備えていてもよい。ユーザインタフェースは、聴診信号、超音波信号、または非聴診の非超音波信号に基づくフィードバックをユーザに提供するように構成することができる。ユーザインタフェースは、タッチスクリーンデバイスを含んでいてもよい。
【００１８】
聴診器デバイスは、無線ネットワークモダリティを備えていてもよい。無線ネットワークモダリティは、聴診オーディオ信号、受信超音波信号または非聴診の非超音波信号を周辺デバイスに通信するように構成することができる。
【００１９】
聴診器デバイスは、マイクロフォンおよびスピーカを備えていてもよい。マイクロフォンおよびスピーカは、聴診器デバイスのオペレータと聴診器デバイスとの間の通信を可能にすることができる。
【００２０】
第２の広い態様において、聴診器デバイスは、聴診器ヘッドを備えることができる。聴診器ヘッドは、機械的ダイヤフラムを備えていてもよい。機械的ダイヤフラムは、対象からの聴診オーディオ信号を受信することができる。聴診器デバイスは、超音波トランスデューサをさらに備えていてもよい。超音波トランスデューサは、送信超音波撮像信号を対象に送信し、受信超音波撮像信号を該対象から受信することができる。聴診器デバイスは、非聴診の非超音波センサをさらに備えていてもよい。非聴診の非超音波センサは、対象からの非聴診の非超音波信号を検出することができる。
【００２１】
聴診器デバイスは、聴診器ヘッド、超音波トランスデューサ、および非聴診の非超音波センサに連結されたハウジングをさらに備えていてもよい。聴診器ヘッド、超音波トランスデューサ、および非聴診の非超音波センサの１つ以上は、ハウジングに取り外し可能に連結されていてもよい。聴診器ヘッド、超音波トランスデューサ、および非聴診の非超音波センサの１つ以上は、ハウジングに物理的に連結されていてもよい。聴診器ヘッド、超音波トランスデューサ、および非聴診の非超音波センサの１つ以上は、ハウジングに機能的に接続されていてもよい。
【００２２】
対象から受信される受信超音波撮像信号は、送信超音波撮像信号の錯乱信号であってもよい。
【００２３】
非聴診の非超音波センサは、非聴診オーディオセンサ、温度センサ、光学センサ、電気センサ、化学センサ、および電気化学センサからなる群から選択することができる。非聴診の非超音波センサは：体温、呼吸数、呼吸量、呼吸の質、呼吸の病理、血圧レベル、血糖濃度、血中ガス濃度レベル、および血中酸素飽和度（ｓｐＯ２）レベルの１つ以上に対応する信号を検出するように構成することができる。
【００２４】
超音波トランスデューサは、聴診器ヘッドに取り付けられていてもよい。
【００２５】
聴診器デバイスは、充電式または非充電式のバッテリを備えることができる。聴診器デバイスは、電力を受け取るための電源コネクタを備えていてもよい。聴診器デバイスは、電力を受け取るための誘導電力コイルをさらに備えていてもよい。聴診器デバイスは、データを送信および受信するための誘導電力コイルを備えていてもよい。
【００２６】
聴診器デバイスは、該デバイスを、聴診器モード、超音波撮像モード、非聴診の非超音波モードの１つ以上で動作させるための制御部を備えることができる。制御部は、ユーザインタフェースを備えていてもよい。ユーザインタフェースは、聴診信号、超音波信号、または非聴診の非超音波信号に基づくフィードバックをユーザに提供するように構成することができる。ユーザインタフェースは、ディスプレイを備えていてもよい。ディスプレイは、撮像されるサンプルの２次元表現を表示することができる。ユーザインタフェースは、タッチスクリーンデバイスを含んでいてもよい。
【００２７】
聴診器デバイスは、無線ネットワークモダリティをさらに備えていてもよい。無線ネットワークモダリティは、聴診オーディオ信号、受信超音波信号、または非聴診の非超音波信号を周辺デバイスに通信するように構成することができる。
【００２８】
聴診器デバイスは、マイクロフォンおよびスピーカをさらに備えていてもよい。マイクロフォンおよびスピーカは、改良された聴診器デバイスのオペレータと該改良された聴診器デバイスとの間の通信を可能にすることができる。
【００２９】
第３の広い態様において、聴診器デバイスは、聴診器ヘッドを備えることができる。聴診器ヘッドは、機械的ダイヤフラムを備えていてもよい。機械的ダイヤフラムは、対象から聴診オーディオ信号を受信することができる。聴診器デバイスは、超音波トランスデューサをさらに備えていてもよい。超音波トランスデューサは、送信超音波撮像信号を対象に送信し、受信超音波撮像信号を該対象から受信することができる。聴診器デバイスは、モデルをさらに含んでいてもよい。モデルは、オーディオ信号と受信超音波撮像信号とを相関させることができる。
【００３０】
聴診器デバイスは、聴診器ヘッドおよび超音波トランスデューサに連結されたハウジングをさらに備えていてもよい。聴診器ヘッドおよび超音波トランスデューサの一方または両方が、ハウジングに取り外し可能に連結されていてもよい。聴診器ヘッドおよび超音波トランスデューサの一方または両方が、ハウジングに物理的に連結されていてもよい。聴診器ヘッドおよび超音波トランスデューサの一方または両方が、ハウジングに機能的に接続されていてもよい。
【００３１】
聴診器デバイスは、非聴診の非超音波信号を検出するための非聴診の非超音波センサをさらに備えていてもよい。非聴診の非超音波センサは、非聴診オーディオセンサ、温度センサ、光学センサ、電気センサ、化学センサおよび電気化学センサからなる群から選択することができる。非聴診の非超音波センサは：体温、呼吸数、血圧レベル、および血中酸素飽和度（ｓｐＯ２）レベルの１つ以上に対応する信号を検出するように構成することができる。
【００３２】
モデルは、（ａ）聴診オーディオ信号、（ｂ）超音波撮像信号、および（ｃ）非超音波信号からなる群から選択された第１の信号を、（ｘ）聴診オーディオ信号、（ｙ）超音波撮像信号、および（ｚ）非超音波信号からなる群から選択された第２の信号と相関させ、これによって抽出された特徴パラメータを生成することができる。
【００３３】
モデルは、第１の信号を第１の重み関数でたたみ込んで第１の重み信号を生成すること；第２の信号を第２の重み関数でたたみ込んで第２の重み信号を生成すること；および第１および第２の重み信号上で自動相関または相互相関を実行して、抽出された特徴パラメータを生成すること；によって第１および第２の信号を相関させることができる。
【００３４】
モデルは、第１および第２の信号を（ｉ）フーリエ変換、（ｉｉ）Ｚ−変換、（ｉｉｉ）ウェーブレット変換、（ｉｖ）余弦級数、（ｖ）正弦級数、または（ｖｉ）テイラー級数の１つ以上でそれぞれ変換して、第１および第２の変換信号をそれぞれ生成すること；ならびに第１および第２の変換信号を相互相関または自動相関させて特徴パラメータを生成すること；によって第１および第２の信号を相関させることができる。
【００３５】
モデルは、第１および第２の信号を符号化すること；ならびに機械学習技術を使用して第１および第２の信号を一組の特徴にマッピングすること；によって第１および第２の信号を相関させることができる。機械学習技術は、ディアボロネットワーク、ニューラルネットワーク、およびスパース辞書からなる群から選択され得る。
【００３６】
超音波トランスデューサは聴診器ヘッドに取り付けられていてもよい。
【００３７】
聴診器デバイスは、充電式または非充電式のバッテリを備えていてもよい。聴診器デバイスは、電力を受け取るための電源コネクタを備えていてもよい。聴診器デバイスは、電力を受け取るための誘導電力コイルを備えていてもよい。聴診器デバイスは、データを送信および受信するための誘導電力コイルを備えていてもよい。
【００３８】
聴診器デバイスは、該デバイスを、聴診器モード、超音波撮像モード、または非聴診の非超音波モードの１つ以上で動作させるための制御部を備えることができる。制御部は、ユーザインタフェースを備えていてもよい。ユーザインタフェースは、聴診信号、超音波信号、または非聴診の非超音波信号の１つ以上に基づくフィードバックをユーザに提供するように構成することができる。ユーザインタフェースは、タッチスクリーンデバイスを含んでいてもよい。
【００３９】
聴診器デバイスは、無線ネットワークモダリティを備えていてもよい。無線ネットワークモダリティは、聴診オーディオ信号、受信超音波信号、または非聴診の非超音波信号の１つ以上を周辺デバイスに通信するように構成することができる。
【００４０】
聴診器デバイスは、マイクロフォンおよびスピーカを備えていてもよい。マイクロフォンおよびスピーカは、改良された聴診器デバイスのオペレータと、該改良された聴診器デバイスとの間の通信を可能にすることができる。
【００４１】
第４の広い態様において、聴診器デバイスは、聴診器ヘッドを備えることができる。聴診器ヘッドは、機械的ダイヤフラムを備えていてもよい。機械的ダイヤフラムは、対象から聴診オーディオ信号を受信することができる。聴診器デバイスは、超音波トランスデューサをさらに備えていてもよい。超音波トランスデューサは、送信超音波撮像信号を対象に送信し、受信超音波撮像信号を該対象から受信することができる。聴診器デバイスは、オーディオトランスデューサをさらに備えていてもよい。オーディオトランスデューサは、オーディオ信号を対象に送信することができる。聴診器デバイスは、干渉回路をさらに備えていてもよい。干渉回路は、送信超音波撮像信号をオーディオ信号と干渉させて超音波撮像信号を対象に誘導することができる。
【００４２】
聴診器デバイスは、聴診器ヘッド、超音波トランスデューサ、オーディオトランスデューサ、および干渉回路の１つ以上に連結されたハウジングをさらに備えていてもよい。聴診器ヘッド、超音波トランスデューサ、オーディオトランスデューサ、および干渉回路の１つ以上は、ハウジングに取り外し可能に連結されていてもよい。聴診器ヘッド、超音波トランスデューサ、オーディオトランスデューサ、および干渉回路の１つ以上は、ハウジングに物理的に連結されていてもよい。聴診器ヘッド、超音波トランスデューサ、オーディオトランスデューサ、および干渉回路の１つ以上は、ハウジングに機能的に接続されていてもよい。
【００４３】
干渉回路は、オーディオ信号に対する対象応答のモデルに基づいて、送信超音波撮像信号をオーディオ信号と干渉させることができる。モデルは、超音波撮像信号をオーディオ信号と相関させ、抽出された特徴パラメータを生成することができる。
【００４４】
モデルは、超音波撮像信号を第１の重み関数でたたみ込んで重みつき超音波撮像信号を生成すること；オーディオ信号を第２の重み関数でたたみ込んで重みつきオーディオ信号を生成すること；および重みつき超音波撮像信号および重みつきオーディオ信号上で自動相関または相互相関を実行して、特徴パラメータを生成すること、によって超音波撮像信号とオーディオ信号とを相関させることができる。
【００４５】
モデルは、超音波撮像信号およびオーディオ信号を、（ｉ）フーリエ変換、（ｉｉ）Ｚ−変換、（ｉｉｉ）ウェーブレット変換、（ｉｖ）余弦級数、（ｖ）正弦級数、または（ｖｉ）テイラー級数の１つ以上でそれぞれ変換して、変換超音波撮像信号および変換オーディオ信号をそれぞれ生成すること；および変換超音波撮像信号と変換オーディオ信号とを相互相関または自動相関させて特徴パラメータを生成すること、によって超音波撮像信号とオーディオ信号とを相関させることができる。
【００４６】
モデルは、超音波撮像信号およびオーディオ信号を符号化すること；および機械学習技術を使用して超音波撮像信号およびオーディオ信号を一組の特徴にマッピングすること、によって超音波撮像信号およびオーディオ信号を相関させることができる。機械学習技術は、ディアボロネットワーク、ニューラルネットワーク、およびスパース辞書からなる群から選択することができる。
【００４７】
聴診器デバイスは、非聴診の非超音波信号を検出するための非聴診の非超音波センサをさらに備えていてもよい。非聴診の非超音波センサは：非聴診オーディオセンサ、温度センサ、光学センサ、電気センサ、化学センサ、電気化学センサからなる群から選択することができる。非聴診の非超音波センサは、体温、呼吸数、呼吸の質、呼吸の病理、血圧レベル、血糖濃度レベル、血中ガス濃度レベル、および血中酸素飽和度（ｓｐＯ２）レベルからなる群に対応する信号を検出するように構成することができる。
【００４８】
超音波トランスデューサは、聴診器ヘッドに対して、取り外し可能または取り外し不可能に取り付けられていてもよい。超音波トランスデューサは、音響整合層に取り付けられていてもよい。超音波トランスデューサは、聴診器ヘッドに対して、取り外し可能または取り外し不可能に取り付けられていてもよい。
【００４９】
聴診器デバイスは、充電式または非充電式のバッテリを備えていてもよい。聴診器デバイスは、電力を受け取るための電源コネクタを備えていてもよい。聴診器デバイスは、電力を受け取るための誘導電力コイルを備えていてもよい。聴診器デバイスは、データを送信および受信するための誘導電力コイルを備えていてもよい。
【００５０】
聴診器デバイスは、該デバイスを、聴診器モード、超音波撮像モード、および非聴診の非超音波モードの１つ以上で動作させるための制御部をさらに備えることができる。制御部は、ユーザインタフェースを備えていてもよい。ユーザインタフェースは、聴診信号、超音波信号、および非聴診の非超音波信号の１つ以上に基づくフィードバックをユーザに提供するように構成することができる。ユーザインタフェースは、タッチスクリーンデバイスを含んでいてもよい。
【００５１】
聴診器デバイスは、無線ネットワークモダリティを備えていてもよい。無線ネットワークモダリティは、聴診オーディオ信号、受信超音波信号、および非聴診の非超音波信号を周辺デバイスに通信するように構成することができる。
【００５２】
聴診器デバイスは、マイクロフォンおよびスピーカを備えていてもよい。マイクロフォンおよびスピーカは、聴診器デバイスのオペレータと聴診器デバイスとの間の通信を可能にすることができる。
【００５３】
第５の広い態様において、方法は、聴診オーディオ信号を対象から受信するステップを含むことができる。聴診オーディオ信号は、機械的ダイヤフラムを備える聴診器ヘッドによって受信することができる。この方法は、第１の送信超音波撮像信号を第１の周波数で対象に送信し、第１の受信超音波撮像信号を第１の周波数で対象から受信するステップをさらに含むことができる。第１の超音波撮像信号は、第１の超音波トランスデューサによって送信および受信することができる。この方法は、第２の送信超音波撮像信号を第１の周波数とは異なる第２の周波数で対象に送信し、第２の受信超音波撮像信号を第２の周波数で対象から受信するステップをさらに含むことができる。第２の聴診撮像信号は、第２の超音波トランスデューサによって送信および受信することができる。第１および第２の超音波トランスデューサは、互いに同時に送信および受信することができる。
【００５４】
第１の送信超音波撮像信号の周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択することができ：かつ第２の送信超音波撮像信号の周波数は、０．５ＭＨｚ〜３０ＭＨｚの周波数範囲内のものとすることができる。第１の送信超音波撮像信号の周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択され；かつ第２の送信超音波撮像信号の周波数は、０．５ＭＨｚ〜３０ＭＨｚの周波数範囲内のものとすることができる。第１の受信超音波撮像信号の周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択することができ；かつ第２の受信超音波撮像信号の周波数は、０．５ＭＨｚ〜３０ＭＨｚの周波数範囲内のものとすることができる。第１の送信超音波撮像信号の周波数は、０．５ＭＨｚ〜３０ＭＨｚの周波数範囲内であり、第２の送信超音波撮像信号の周波数は、０．５ＭＨｚ〜３０ＭＨｚの周波数範囲内でありかつ第１の送信超音波撮像信号の周波数とは異なっていてもよい。第１の受信超音波撮像信号の周波数は、０．５ＭＨｚ〜３０ＭＨｚの周波数範囲内にあり、第２の受信超音波撮像信号の周波数は、０．５ＭＨｚ〜３０ＭＨｚの周波数範囲内にありかつ第１の受信超音波撮像信号の周波数とは異なっていてもよい。
【００５５】
第１の受信超音波撮像信号は、第２の受信超音波撮像信号によって正規化することができる。
【００５６】
第１の超音波トランスデューサは、ジルコン酸チタン酸鉛（ＰＺＴ）素子、ポリフッ化ビニリデン（ＰＶＤＦ）素子、電圧マイクロマシン超音波トランスデューサ（ＰＭＵＴ）素子、および容量性マイクロマシン超音波トランスデューサ（ＣＭＵＴ）素子からなる群から選択された素子を含み；第２の超音波トランスデューサは、ＰＺＴ素子、ＰＶＤＦ素子、ＰＭＵＴ素子、およびＣＭＵＴ素子からなる群から選択された素子を含むことができる。
【００５７】
第１の超音波トランスデューサは、少なくとも１つの他の超音波撮像センサの帯域幅と部分的に重複する帯域幅を有することができる。
【００５８】
この方法は、聴診器ヘッド、第１の超音波トランスデューサ、および第２の超音波トランスデューサの１つ以上にハウジングを連結させるステップをさらに含んでいてもよい。聴診器ヘッド、第１の超音波トランスデューサ、および第２の超音波トランスデューサの１つ以上は、ハウジングに取り外し可能に連結されていてもよい。聴診器ヘッド、第１の超音波トランスデューサ、および第２の超音波トランスデューサの１つ以上は、ハウジングに物理的に連結されていてもよい。聴診器ヘッド、第１の超音波トランスデューサ、および第２の超音波トランスデューサの１つ以上は、ハウジングに機能的に接続されていてもよい。
【００５９】
この方法は、非聴診の非超音波信号を検出するステップをさらに含んでいてもよい。非聴診の非超音波信号は、非聴診の非超音波センサによって検出することができる。非聴診の非超音波センサは、非聴診オーディオセンサ、温度センサ、光学センサ、電気センサ、および電気化学センサからなる群から選択することができる。非聴診の非超音波センサは、体温、呼吸数、呼吸の質、呼吸の病理、血圧レベル、血糖濃度レベル、血中ガス濃度レベル、および血中酸素飽和度（ｓｐＯ２）レベルからなる群に由来する信号を検出するように構成することができる。
【００６０】
聴診器ヘッドは、第１および第２の超音波トランスデューサに機能的に接続することができる。
【００６１】
この方法は、聴診器ヘッド、第１の超音波撮像トランスデューサ、および第２の超音波撮像トランスデューサに電力を供給するステップをさらに含んでいてもよい。電力は、バッテリによって供給されてもよい。電力は、電力を受け取るための電源コネクタによって供給されてもよい。電力は、電力を受け取るための誘導電力コイルによって供給されてもよい。
【００６２】
この方法は、データを送信および受信するステップをさらに含んでいてもよい。データを送信および受信するステップは、データを送信および受信するための誘導電力コイルによって実行することができる。
【００６３】
この方法は、デバイスを、聴診器モード、超音波撮像モード、または非聴診の非超音波モードの１つ以上で動作させるステップをさらに含んでいてもよい。デバイスの動作は、制御部によって実行することができる。制御部は、ユーザインタフェースを含んでいてもよい。ユーザインタフェースは、聴診信号、超音波信号、または非聴診の非超音波信号に基づくフィードバックをユーザに提供するように構成することができる。ユーザインタフェースは、タッチスクリーンデバイスを含んでいてもよい。
【００６４】
この方法は、聴診オーディオ信号、受信超音波信号、または非聴診の非超音波信号を周辺デバイスに通信するステップをさらに含んでいてもよい。この通信は、無線ネットワークモダリティによるものとすることができる。
【００６５】
この方法は、聴診器デバイスのオペレータと聴診器デバイスとの間の通信を可能にするステップをさらに含んでいてもよい。通信は、マイクロフォンおよびスピーカによって可能にすることができる。
【００６６】
第６の広い態様において、方法は、聴診オーディオ信号を対象から受信するステップを含むことができる。聴診オーディオ信号は、機械的ダイヤフラムを備える聴診器デバイスによって受信することができる。この方法は、送信超音波撮像信号を対象に送信し、受信超音波撮像信号を対象から受信するステップをさらに含むことができる。超音波撮像信号は、超音波トランスデューサによって送信および受信することができる。この方法は、非聴診の非超音波信号を対象から検出するステップをさらに含むことができる。非聴診の非超音波信号は、非聴診の非超音波センサによって検出することができる。
【００６７】
この方法は、聴診器ヘッド、超音波トランスデューサ、および非聴診の非超音波センサをハウジングに連結するステップをさらに含んでいてもよい。聴診器ヘッド、超音波トランスデューサ、および非聴診の非超音波センサの１つ以上は、ハウジングに取り外し可能に連結されていてもよい。聴診器ヘッド、超音波トランスデューサ、および非聴診の非超音波センサの１つ以上は、ハウジングに物理的に連結されていてもよい。聴診器ヘッド、超音波トランスデューサ、および非聴診の非超音波センサの１つ以上は、ハウジングに機能的に接続されていてもよい。
【００６８】
対象から受信される受信超音波撮像信号は、送信超音波撮像信号の錯乱信号であってもよい。
【００６９】
非聴診の非超音波センサは、非聴診オーディオセンサ、温度センサ、光学センサ、電気センサ、化学センサ、および電気化学センサからなる群から選択することができる。非聴診の非超音波センサは、体温、呼吸数、呼吸量、呼吸の質、呼吸の病理、血圧レベル、血糖濃度、血中ガス濃度レベル、および血中酸素飽和度（ｓｐＯ２）レベルの１つ以上に対応する信号を検出するように構成することができる。
【００７０】
超音波トランスデューサは、聴診器ヘッドに取り付けられていてもよい。
【００７１】
この方法は、聴診器ヘッド、第１の超音波撮像トランスデューサ、および第２の超音波撮像トランスデューサに電力を供給するステップをさらに含んでいてもよい。電力は、バッテリによって供給されてもよい。電力は、電力を受け取るための電源コネクタによって供給されてもよい。電力は、電力を受け取るための誘導電力コイルによって供給されてもよい。
【００７２】
この方法は、データを送信および受信するステップをさらに含んでいてもよい。データを送信および受信するステップは、データを送信および受信するための湯堂電力コイルによって実行することができる。
【００７３】
この方法は、デバイスを、聴診器モード、超音波撮像モード、または非聴診の非超音波モードの１つ以上で動作させるステップをさらに含んでいてもよい。デバイスの動作は、制御部によって実行することができる。制御部は、ユーザインタフェースを含んでいてもよい。ユーザインタフェースは、聴診信号、超音波信号、または非聴診の非超音波信号に基づくフィードバックをユーザに提供するように構成することができる。ユーザインタフェースは、タッチスクリーンデバイスを含んでいてもよい。
【００７４】
この方法は、聴診オーディオ信号、受信超音波信号、または非聴診の非超音波信号を周辺デバイスに通信するステップをさらに含んでいてもよい。この通信は、無線ネットワームモダリティによるものとすることができる。
【００７５】
この方法は、聴診器デバイスのオペレータと聴診器デバイスとの間の通信を可能にするステップをさらに含んでいてもよい。この通信は、マイクロフォンおよびスピーカによって可能にすることができる。
【００７６】
第７の広い態様において、方法は、聴診オーディオ信号を対象から受信するステップを含むことができる。聴診オーディオ信号は、機械的ダイヤフラムを備える聴診器によって受信することができる。この方法は、送信超音波撮像信号を対象に送信し、受信超音波撮像信号を対象から受信するステップをさらに含むことができる。超音波撮像信号は、超音波トランスデューサによって送信および受信することができる。この方法は、聴診オーディオ信号と受信超音波撮像信号とを相関させるステップをさらに含むことができる。聴診オーディオ信号および受信超音波撮像信号は、モデルによって相関させることができる。
【００７７】
この方法は、聴診器ヘッドおよび超音波トランスデューサにハウジングを連結させるステップをさらに含んでいてもよい。聴診器ヘッドおよび超音波トランスデューサの一方または両方が、ハウジングに取り外し可能に連結されていてもよい。聴診器ヘッドおよび超音波トランスデューサの一方または両方が、ハウジングに物理的に連結されていてもよい。聴診器ヘッドおよび超音波トランスデューサの一方または両方が、ハウジングに機能的に接続されていてもよい。
【００７８】
この方法は、非聴診の非超音波信号を検出するステップをさらに含んでいてもよい。非聴診の非超音波信号は、非聴診の非超音波センサによって検出することができる。非聴診の非超音波センサは、非聴診オーディオセンサ、温度センサ、光学センサ、電気センサ、化学センサおよび電気化学センサからなる群から選択することができる。非聴診の非超音波センサは：体温、呼吸数、血圧レベル、および血中酸素飽和度（ｓｐＯ２）レベルの１つ以上に対応する信号を検出するように構成することができる。
【００７９】
このモデルは、（ａ）聴診オーディオ信号、（ｂ）超音波撮像信号、および（ｃ）非超音波信号からなる群から選択された第１の信号を、（ｘ）聴診オーディオ信号、（ｙ）超音波撮像信号、および（ｚ）非超音波信号からなる群から選択された第２の信号と相関させ、これによって抽出された特徴パラメータを生成することができる。
【００８０】
このモデルは、第１の信号を第１の重み関数でたたみ込んで第１の重み信号を生成するステップと；第２の信号を第２の重み関数でたたみ込んで第２の重み信号を生成するステップと；第１および第２の重み信号上で自動相関または相互相関を実行して、抽出された特徴パラメータを生成するステップと；によって第１および第２の信号を相関させることができる。
【００８１】
このモデルは、第１および第２の信号を（ｉ）フーリエ変換、（ｉｉ）Ｚ−変換、（ｉｉｉ）ウェーブレット変換、（ｉｖ）余弦級数、（ｖ）正弦級数、または（ｖｉ）テイラー級数の１つ以上でそれぞれ変換して、第１および第２の変換信号をそれぞれ生成するステップと；第１および第２の変換信号を相互相関または自動相関させて特徴パラメータを生成するステップと；によって第１および第２の信号を相関させることができる。
【００８２】
このモデルは、第１および第２の信号を符号化するステップと；機械学習技術を使用して第１および第２の信号を一組の特徴にマッピングするステップと；によって第１および第２の信号を相関させることができる。機械学習技術は、ディアボロネットワーク、ニューラルネットワーク、およびスパース辞書からなる群から選択することができる。
【００８３】
超音波トランスデューサは、聴診器ヘッドに取り付けられていてもよい。
【００８４】
この方法は、聴診器ヘッド、第１の超音波撮像トランスデューサ、および第２の超音波撮像トランスデューサに電力を供給するステップをさらに含んでいてもよい。電力は、バッテリによって供給されてもよい。電力は、電力を受け取るための電源コネクタによって供給されてもよい。電力は、電力を受け取るための誘導電力コイルによって供給されてもよい。
【００８５】
この方法は、データを送信および受信するステップをさらに含んでいてもよい。データを送信および受信するステップは、データを送信および受信するための誘導電力コイルによって実行することができる。
【００８６】
この方法は、デバイスを、聴診器モード、超音波撮像モード、または非聴診の非超音波モードの１つ以上で動作させるステップをさらに含んでいてもよい。デバイスの動作は、制御部によって実行することができる。制御部は、ユーザインタフェースを備えていてもよい。ユーザインタフェースは、聴診信号、超音波信号、または非聴診の非超音波信号に基づくフィードバックをユーザに提供するように構成することができる。ユーザインタフェースは、タッチスクリーンデバイスを含んでいてもよい。
【００８７】
この方法は、聴診オーディオ信号、受信超音波信号、または非聴診の非超音波信号を周辺デバイスに通信するステップをさらに含んでいてもよい。通信は、無線ネットワークモダリティによるものとすることができる。
【００８８】
この方法は、聴診器デバイスのオペレータと聴診器デバイスとの間の通信を可能にするステップをさらに含んでいてもよい。この通信は、マイクロフォンおよびスピーカによって可能にすることができる。
【００８９】
第８の広い態様において、方法は、聴診オーディオ信号を対象から受信するステップを含むことができる。聴診オーディオ信号は、機械的ダイヤフラムを備える聴診器によって受信することができる。この方法は、送信超音波撮像信号を対象に送信し、受信超音波撮像信号を対象から受信するステップをさらに含んでいてもよい。超音波撮像信号は、超音波トランスデューサによって送信および受信することができる。この方法は、オーディオ信号を対象に送信するステップをさらに含むことができる。オーディオ信号は、オーディオトランスデューサによって送信することができる。この方法は、送信超音波撮像信号をオーディオ信号と干渉させて超音波撮像信号を対象に誘導するステップをさらに含むことができる。送信超音波撮像信号は、干渉回路によってオーディオ信号と干渉させることができる。
【００９０】
この方法は、聴診器ヘッド、超音波トランスデューサ、オーディオトランスデューサ、および干渉回路の１つ以上にハウジングを連結させるステップをさらに含んでいてもよい。聴診器ヘッド、超音波トランスデューサ、オーディオトランスデューサ、および干渉回路の１つ以上は、ハウジングに取り外し可能に連結されていてもよい。聴診器ヘッド、超音波トランスデューサ、オーディオトランスデューサ、および干渉回路の１つ以上は、ハウジングに物理的に連結されていてもよい。聴診器ヘッド、超音波トランスデューサ、オーディオトランスデューサ、および干渉回路の１つ以上は、ハウジングに機能的に接続されていてもよい。
【００９１】
干渉回路は、オーディオ信号に対する対象応答のモデルに基づいて、送信超音波撮像信号をオーディオ信号と干渉させることができる。このモデルは、超音波撮像信号をオーディオ信号と相関させ、抽出された特徴パラメータを生成することができる。
【００９２】
このモデルは、超音波撮像信号を第１の重み関数でたたみ込んで重みつき超音波撮像信号を生成するステップと；オーディオ信号を第２の重み関数でたたみ込んで重みつきオーディオ信号を生成するステップと；重みつき超音波撮像信号および重みつきオーディオ信号上で自動相関または相互相関を実行して、特徴パラメータを生成するステップと；によって超音波撮像信号とオーディオ信号とを相関させることができる。
【００９３】
このモデルは、超音波撮像信号およびオーディオ信号を、（ｉ）フーリエ変換、（ｉｉ）Ｚ−変換、（ｉｉｉ）ウェーブレット変換、（ｉｖ）余弦級数、（ｖ）正弦級数、または（ｖｉ）テイラー級数の１つ以上でそれぞれ変換して、変換超音波撮像信号および変換オーディオ信号をそれぞれ生成するステップと；変換超音波撮像信号と変換オーディオ信号とを相互相関または自動相関させて特徴パラメータを生成するステップと；によって超音波撮像信号とオーディオ信号とを相関させることができる。このモデルは、超音波撮像信号およびオーディオ信号を符号化するステップと；機械学習技術を使用して超音波撮像信号およびオーディオ信号を一組の特徴にマッピングするステップと；によって、超音波撮像信号およびオーディオ信号を相関させることができる。機械学習技術は、ディアボロネットワーク、ニューラルネットワーク、およびスパース辞書からなる群から選択することができる。このモデルは、非聴診の非超音波信号を検出するステップをさらに含んでいてもよい。非聴診の非超音波信号は、非聴診の非超音波センサによって検出することができる。非聴診の非超音波センサは：非聴診オーディオセンサ、温度センサ、光学センサ、電気センサ、化学センサ、電気化学センサからなる群から選択することができる。非聴診の非超音波センサは、体温、呼吸数、呼吸の質、呼吸の病理、血圧レベル、血糖濃度レベル、血中ガス濃度レベル、および血中酸素飽和度（ｓｐＯ２）レベルからなる群に対応する信号を検出するように構成することができる。
【００９４】
超音波トランスデューサは、聴診器ヘッドに対して取り外し可能または取り外し不可能に取り付けられていてもよい。超音波トランスデューサは、音響整合層に取り付けられていてもよい。
【００９５】
この方法は、聴診器ヘッド、第１の超音波撮像トランスデューサ、および第２の超音波トランスデューサに電力を供給するステップをさらに含んでいてもよい。電力は、バッテリによって供給されてもよい。電力は、電力を受け取るための電源コネクタによって供給されてもよい。電力は、電力を受け取るための誘導電力コイルによって供給されてもよい。
【００９６】
この方法は、データを送信および受信するステップをさらに含んでいてもよい。データを送信および受信するステップは、データを送信および受信するための誘導電力コイルによって実行することができる。
【００９７】
この方法は、デバイスを、聴診器モード、超音波撮像モード、および非聴診の非超音波モードの１つ以上で動作させるステップをさらに含んでいてもよい。デバイスの動作は、制御部によって実行することができる。制御部は、ユーザインタフェースを備えていてもよい。ユーザインタフェースは、聴診信号、超音波信号、および非聴診の非超音波信号の１つ以上に基づくフィードバックをユーザに提供するように構成することができる。ユーザインタフェースは、タッチスクリーンデバイスを含んでいてもよい。
【００９８】
この方法は、聴診オーディオ信号、受信超音波信号、および非聴診の非超音波信号を周辺デバイスに通信するステップをさらに含んでいてもよい。通信は、無線ネットワークモダリティによるものとすることができる。
【００９９】
この方法は、聴診器デバイスのオペレータと聴診器デバイスとの間の通信を可能にするステップをさらに含んでいてもよい。通信は、マイクロフォンおよびスピーカによって可能になり得る。
【０１００】
本開示の追加の態様および利点は、本開示の単に例示的な実施形態が示され記載されている以下の説明から、当業者に容易に明らかになるであろう。理解されるように、本開示は、他の異なる実施形態が可能であり、そのいくつかの詳細は、本開示から逸脱することなく様々な明白な点において変更可能である。したがって、図面および説明は、本質的に例示的なものとみなされるべきであり、限定的なものとみなされるべきではない。
【０１０１】
本明細書で言及されるすべての刊行物、特許、および特許出願は、個々の刊行物、特許、または特許出願が、具体的かつ個別に参照により組み込まれることが示されているのと同程度に、参照により本明細書に組み込まれる。参照により組み込まれる刊行物および特許または特許出願が本明細書に含まれる開示と矛盾する場合、そのような矛盾する資料よりも本明細書が優先されることが意図されている。
【０１０２】
本発明の新規な特徴は、添付の特許請求の範囲に詳細に記載されている。本発明の特徴および利点のより良い理解は、本発明の原理が利用されている例示的な実施形態を説明する以下の詳細な説明、および添付の図面（「図」とも称される）を参照することによって得られる。
【図面の簡単な説明】
【０１０３】
【図１】聴診器ヘッドを備える聴診器デバイスを概略的に示す図である。
【図２Ａ】機械的ダイヤグラムおよび複数の超音波トランスデューサを備える聴診器ヘッドを概略的に示す図である。
【図２Ｂ】複数の超音波トランスデューサの同時作動を概略的に示す図である。
【図３Ａ】第１の時点における、複数の超音波トランスデューサのうちの第１の超音波トランスデューサの作動を概略的に示す図である。
【図３Ｂ】第２の時点における、複数の超音波トランスデューサのうちの第２の超音波トランスデューサの作動を概略的に示す図である。
【図３Ｃ】第３の時点における、複数の超音波トランスデューサのうちの第３の超音波トランスデューサの作動を概略的に示す図である。
【図３Ｄ】第４の時点における、複数の超音波トランスデューサのうちの第４の超音波トランスデューサの作動を概略的に示す図である。
【図４】複数の超音波トランスデューサから超音波画像を形成する方法を概略的に示す図である。
【図５Ａ】機械的ダイヤフラム、複数の超音波トランスデューサ、および複数の非聴診の非超音波センサを備える、聴診器ヘッドの概略的な側面図である。
【図５Ｂ】機械的ダイヤフラム、複数の超音波トランスデューサ、および複数の非聴診の非超音波センサを備える、聴診器ヘッドの概略的な斜視図である。
【図６Ａ】本体部、インピーダンス整合基板、およびユーザインタフェースを備える、聴診器ヘッドの概略的な上面図である。
【図６Ｂ】本体部、インピーダンス整合基板、およびユーザインタフェースを備える、聴診器ヘッドの概略的な側面図である。
【図６Ｃ】本体部、インピーダンス整合基板、およびユーザインタフェースを備える、聴診器ヘッドの概略的な底面図である。
【図７】インタラクティブ撮像モードでの、ユーザインタフェースを含む聴診器ヘッドの使用状態を概略的に示す図である。
【図８】前処理モジュールおよび機械学習モジュールを含む機械学習システムの概略的なブロック図である。
【図９】前処理モジュールからの一組の前処理された生理学的情報を、最小生理学的データに変換するように構成された、例示的な多層オートエンコーダを示す図である。
【図１０】オートエンコーダへの入力から最小生理学的データを抽出することができるプロセスを表すフロチャートである。
【図１１】機械的ダイヤフラムによって得られる聴診オーディオ信号、超音波トランスデューサによって得られる超音波信号、および非聴診の非超音波センサによって得られる１つ以上の非超音波信号から特徴を抽出する方法を概略的に示す図である。
【図１２】聴診器デバイスからの情報を情報システムにどのように送信することができるかを示す図である。
【図１３】聴診器デバイスからの情報が異なる個人または機関によってどのように利用されるかを示す図である。
【図１４】本明細書に記載される聴診器デバイスおよび方法を作動させるようにプログラムまたは構成された、例示的なデジタル処理デバイスを示す図である。
【図１５】血圧を監視するための、改良された聴診器デバイスの使用状態を示す図である。
【図１６】血液ボーラスの超音波および光学測定に関連する生理学的パラメータを決定するための、多入力多出力（ＭＩＭＯ）相関を示す図である。
【図１７】聴診オーディオ信号を受信し、同時に、第１および第２の超音波撮像信号を送信し、かつ第１および第２の超音波撮像信号を受信する方法を示す図である。
【図１８】聴診オーディオ信号を受信し、超音波撮像信号を送信および受信し、かつ非聴診の非超音波撮像信号を検出する方法を示す図である。
【図１９】聴診オーディオ信号を受信し、超音波撮像信号を送信および受信し、かつ聴診オーディオ信号と超音波撮像信号とを相関させる方法を示す図である。
【図２０】聴診オーディオ信号を受信し、超音波撮像信号を送信および受信し、オーディオ信号を送信し、送信超音波撮像信号とオーディオ信号とを干渉させて超音波撮像信号を誘導する方法を示す図である。
【発明を実施するための形態】
【０１０４】
発明の様々な実施形態を本明細書で示して説明するが、そのような実施形態が単なる例示として提供されていることは当業者には明らかであろう。多くの変形、変更、および置換が、本発明から逸脱することなく当業者によって行われ得る。本明細書に記載される本発明の実施形態の様々な代替物が利用可能であることを理解されたい。
【０１０５】
値が範囲として記載されている場合、そのような開示は、そのような範囲内のすべての可能な部分範囲を含み、特定の数値または特定の部分範囲が明示的に記載されているかどうかに関わらず、そのような範囲内に入る特定の数値の開示を含むことが理解されよう。
【０１０６】
本明細書で使用される場合、同様の文字は同様の要素をいう。
【０１０７】
本明細書で使用される「被験体」という用語は、概して、哺乳動物種（例えば、ヒト）またはトリ（例えば、鳥）種などの動物、または植物などの他の生物をいう。被験体は、脊椎動物、哺乳動物、マウス、霊長類、サルまたはヒトであり得る。動物には、家畜、競技動物、およびペットが含まれ得るが、これらに限定されない。被験体は、健常または無症状の個体、疾患（例えば、癌）または疾患の既往を有する疑いのある個体、または治療を必要としているか、もしくは治療が必要と疑われる固体であり得る。被験体は、患者であってもよい。
【０１０８】
他に定義されない限り、本明細書で使用されるすべての技術的および科学的用語は、特許請求される主題が属する分野の当業者によって一般的に理解されるものと同じ意味を有する。前述の一般的な説明および以下の詳細な説明は例示的かつ説明的なものにすぎず、特許請求される主題を限定するものではないことを理解されたい。本出願において、特に断りのない限り、単数形の使用は複数形を含む、明細書および添付の特許請求の範囲において使用されるように、単数形の不定冠詞および定冠詞を伴う用語は、文脈により他のことが明示的に指示されていない限り、複数の指示対象を含むことに留意されたい。本出願において、「または」の使用は、他の記載がない限り、「および／または」を意味する。さらに、「含む」という用語の使用は、「含んでいる」、「含まれる」などの他の形態の使用と同様に、限定的ではない。
【０１０９】
本明細書で使用されるセクション見出しは、単に、編成目的のものであり、記載される主題を限定するものと解釈されるべきではない。
【０１１０】
図１は、聴診器ヘッドを備える聴診器デバイスを概略的に示す。聴診器デバイス１００は、ヘッド１１０、チューブ１２０、および１つまたは２つのイヤーピースを備えることができる。ヘッドは、本明細書で説明するように、機械的ダイヤフラムを備えることができる。機械的ダイヤフラムは、オーディオ信号を機械的に増幅するように構成することができる。例えば、機械的ダイヤフラムは、約０．０１Ｈｚ〜約３ｋＨｚの範囲内の周波数を有するオーディオ信号を増幅することができる。ヘッドは、患者の胸部、腹部、腕や脚などの四股、または患者の任意の他の身体部など、検査されるサンプルと接触または近接して配置することができる。機械的ダイヤフラムは、患者に生じる１つ以上の生物学的プロセスに関連するオーディオ信号を増幅することができる。例えば、機械的ダイヤフラムは、患者の心拍、呼吸、血流、消化、またはオーディオ信号を生成する任意の他の生物学的プロセスに関連するオーディオ信号を増幅することができる。ヘッドは、本明細書で説明するように、１つ以上の非聴診のオーディオセンサをさらに備えることができる。
【０１１１】
チューブは、ヘッドの機械的ダイヤフラムによって増幅されたオーディオ信号を、１つまたは２つのイヤーピースに導くことができる。チューブは、中空チューブを含むことができる。中空チューブは、空気で満たされていてもよい。チューブは、可撓性であってもよい。
【０１１２】
１つまたは２つのイヤーピースは、聴診器デバイスのユーザの片方または両方の耳の中に装着することができる。ユーザは、医師、看護師、救急医療技術者、フィールド医療従事者、または任意の他の医療専門家であってもよい。場合によっては、ユーザは、患者の友人や親せき、患者自身など、正式な医療訓練を受けていない人であってもよい。１つまたは２つのイヤーピースは、機械的ダイヤフラムからの増幅されたオーディオ信号を、ユーザの片方または両方の耳に導くことができる。このようにして、ユーザは、機械的ダイヤフラムによって捕捉されて増幅されたオーディオ信号を直接聞くことができる。
【０１１３】
図２Ａは、機械的ダイヤフラム２００および複数の超音波トランスデューサ２１０Ａ〜Ｄを備える、聴診器ヘッド１１０を概略的に示す。機械的ダイヤフラムは、聴診器ヘッドの表面上または聴診器ヘッド内に実装することができる。複数の超音波トランスデューサは、聴診器ヘッドの表面上または聴診器ヘッド内に実装することができる。図２Ａには、４つの超音波トランスデューサが描かれているが、複数の超音波トランスデューサは、２、３、４、５、６、７、８、９、１０、１１、１２、１３、１４、１５、１６、または１７以上の超音波トランスデューサを含むことができる。複数の超音波トランスデューサの各超音波トランスデューサは、ジルコン酸鉛（ＰＺＴ）トランスデューサ、ポリフッ化ビニリデン（ＰＶＤ）トランスデューサ、電圧マイクロマシン超音波トランスデューサ（ＰＭＵＴ）、または容量性マイクロマシン超音波トランスデューサ（ＰＭＵＴ）、または任意の他の超音波トランスデューサとすることができる。複数の超音波トランスデューサの各超音波トランスデューサは、同じタイプであってもよい。複数の超音波トランスデューサの１つ以上の超音波トランスデューサは、該複数の超音波トランスデューサの他の超音波トランスデューサとは異なるタイプであってもよい。
【０１１４】
聴診器デバイスは、ハウジング（図１または図２Ａには不図示）をさらに備えることができる。ハウジングは、聴診器ヘッド、第１の超音波トランスデューサ、および第２の超音波トランスデューサの１つ以上に連結されていてもよい。ハウジングは、聴診器ヘッド、第１の超音波トランスデューサ、および第２の超音波トランスデューサの１つ以上に取り外し可能に連結されていてもよい。ハウジングは、聴診器ヘッド、第１の超音波トランスデューサ、および第２の超音波トランスデューサの１つ以上に物理的に連結されていてもよい。ハウジングは、聴診器ヘッド、第１の超音波トランスデューサ、および第２の超音波トランスデューサの１つ以上に機能的に接続されていてもよい。
【０１１５】
複数の超音波トランスデューサの各超音波トランスデューサは、送信超音波撮像信号を対象に送信するように構成することができる。複数の超音波トランスデューサの各超音波トランスデューサは、約１００ｋＨｚ、約２００ｋＨｚ、約３００ｋＨｚ、約４００ｋＨｚ、約５００ｋＨｚ、約６５０ｋＨｚ、約７００ｋＨｚ、約８００ｋＨｚ、約８５０ｋＨｚ、約９００ｋＨｚ、約１ＭＨｚ、約２ＭＨｚ、約３ＭＨｚ、約５．５ＭＨｚ、約６ＭＨｚ、約８ＭＨｚ、約１１ＭＨｚ、約１５ＭＨｚ、約２０ＭＨｚ、約２５ＭＨｚ、または約３０ＭＨｚの周波数を有する送信超音波撮像信号を送信するように構成することができる。複数の超音波トランスデューサの各超音波トランスデューサは、前述の値のうちの任意の２つによって規定される範囲内にある周波数を有する、送信超音波撮像信号を送信するように構成されていてもよい。
【０１１６】
複数の超音波トランスデューサの各超音波トランスデューサは、受信超音波撮像信号を対象から受信するように構成することができる。複数の超音波トランスデューサの各超音波トランスデューサは、約１００ｋＨｚ、約２００ｋＨｚ、約３００ｋＨｚ、約４００ｋＨｚ、約５００ｋＨｚ、約６５０ｋＨｚ、約７００ｋＨｚ、約８００ｋＨｚ、約８５０ｋＨｚ、約９００ｋＨｚ、約１ＭＨｚ、約２ＭＨｚ、約３ＭＨｚ、約５．５ＭＨｚ、約６ＭＨｚ、約８ＭＨｚ、約１１ＭＨｚ、約１５ＭＨｚ、約２０ＭＨｚ、約２５ＭＨｚ、または約３０ＭＨｚの周波数を有する受信超音波撮像信号を受信するように構成することができる。複数の超音波トランスデューサの各超音波トランスデューサは、前述の値のうちの任意の２つによって規定される範囲内にある周波数を有する、受信超音波撮像信号を受信するように構成されていてもよい。
【０１１７】
複数の超音波トランスデューサの各超音波トランスデューサは、送信および受信の両方を行うように構成することができる。複数の超音波トランスデューサの各超音波トランスデューサは、複数の超音波トランスデューサの他の超音波トランスデューサによって送信または受信された１つ以上の周波数と同じ周波数で、送信超音波撮像信号を送信し、または受信超音波撮像信号を受信するように構成されていてもよい。複数の超音波トランスデューサの各超音波トランスデューサは、複数の超音波トランスデューサの他のすべての超音波トランスデューサによって送信または受信されたすべての周波数と異なる周波数で、送信超音波撮像信号を送信し、または受信超音波撮像信号を受信するように構成されていてもよい。複数の超音波トランスデューサの各超音波トランスデューサは、複数の超音波トランスデューサの１つ以上の他の超音波トランスデューサと同時に、送信または受信するように構成されていてもよい。
【０１１８】
例えば、複数の超音波トランスデューサのうちの第１の超音波トランスデューサの第１の送信撮像信号は、約１００ｋＨｚ、約２００ｋＨｚ、約３００ｋＨｚ、約４００ｋＨｚ、約５００ｋＨｚ、約６５０ｋＨｚ、約７００ｋＨｚ、約８００ｋＨｚ、約８５０ｋＨｚ、約９００ｋＨｚ、約１ＭＨｚ、約２ＭＨｚ、約３ＭＨｚ、約５．５ＭＨｚ、約６ＭＨｚ、約８ＭＨｚ、または約１１ＭＨｚの周波数を有することができる。複数の超音波トランスデューサのうちの第２の超音波トランスデューサの第２の送信撮像信号は、約０．５ＭＨｚ〜約３０ＭＨｚの範囲内の周波数を有することができる。複数の超音波トランスデューサのうちの第１の超音波トランスデューサの第１の受信撮像信号は、約１００ｋＨｚ、約２００ｋＨｚ、約３００ｋＨｚ、約４００ｋＨｚ、約５００ｋＨｚ、約６５０ｋＨｚ、約７００ｋＨｚ、約８００ｋＨｚ、約８５０ｋＨｚ、約９００ｋＨｚ、約１ＭＨｚ、約２ＭＨｚ、約３ＭＨｚ、約５．５ＭＨｚ、約６ＭＨｚ、約８ＭＨｚ、または約１１ＭＨｚの周波数を有することができる。複数の超音波トランスデューサのうちの第２の超音波トランスデューサの第２の受信撮像信号は、約０．５ＭＨｚ〜約３０ＭＨｚの範囲内の周波数を有することができる。
【０１１９】
他の例において、複数の超音波トランスデューサのうちの第１の超音波トランスデューサの第１の送信撮像信号は、約０．５ＭＨｚ〜約３０ＭＨｚの範囲内の周波数を有することができる。複数の超音波トランスデューサのうちの第２の超音波トランスデューサの第２の送信撮像信号は、約０．５ＭＨｚ〜約３０ＭＨｚの範囲内であるが、第１の送信撮像信号の周波数とは異なる周波数を有することができる。複数の超音波トランスデューサのうちの第１の超音波トランスデューサの第１の受信撮像信号は、約０．５ＭＨｚ〜約３０ＭＨｚの範囲内の周波数を有することができる。複数の超音波トランスデューサのうちの第２の超音波トランスデューサの第２の受信撮像信号は、約０．５ＭＨｚ〜約３０ＭＨｚの範囲内であるが、第１の送信撮像信号の周波数とは異なる周波数を有することができる。
【０１２０】
第３の、第４の、第５の、第６の、第７の、第８の、第９の、第１０の、第１１の、第１２の、第１３の、第１４の、第１５の、第１６の超音波トランスデューサの、第３の、第４の、第５の、第６の、第７の、第８の、第９の、第１０の、第１１の、第１２の、第１３の、第１４の、第１５の、第１６の送信撮像信号はそれぞれ、約１００ｋＨｚ、約２００ｋＨｚ、約３００ｋＨｚ、約４００ｋＨｚ、約５００ｋＨｚ、約６５０ｋＨｚ、約７００ｋＨｚ、約８００ｋＨｚ、約８５０ｋＨｚ、約９００ｋＨｚ、約１ＭＨｚ、約２ＭＨｚ、約３ＭＨｚ、約５．５ＭＨｚ、約６ＭＨｚ、約８ＭＨｚ、または約１１ＭＨｚの周波数を有することができる。第３の、第４の、第５の、第６の、第７の、第８の、第９の、第１０の、第１１の、第１２の、第１３の、第１４の、第１５の、第１６の送信撮像信号は前述の値のうちの任意の２つによって規定される範囲内にある周波数を有することができる。第３の、第４の、第５の、第６の、第７の、第８の、第９の、第１０の、第１１の、第１２の、第１３の、第１４の、第１５の、第１６の送信撮像信号は、約０．５ＭＨｚ〜約３０ＭＨｚの範囲内の値を有することができる。第３の、第４の、第５の、第６の、第７の、第８の、第９の、第１０の、第１１の、第１２の、第１３の、第１４の、第１５の、第１６の送信撮像信号は、第１および第２の送信撮像信号の１つ以上の周波数とは異なる周波数を有していてもよい。
【０１２１】
第３の、第４の、第５の、第６の、第７の、第８の、第９の、第１０の、第１１の、第１２の、第１３の、第１４の、第１５の、第１６の超音波トランスデューサの、第３の、第４の、第５の、第６の、第７の、第８の、第９の、第１０の、第１１の、第１２の、第１３の、第１４の、第１５の、第１６の受信撮像信号はそれぞれ、約１００ｋＨｚ、約２００ｋＨｚ、約３００ｋＨｚ、約４００ｋＨｚ、約５００ｋＨｚ、約６５０ｋＨｚ、約７００ｋＨｚ、約８００ｋＨｚ、約８５０ｋＨｚ、約９００ｋＨｚ、約１ＭＨｚ、約２ＭＨｚ、約３ＭＨｚ、約５．５ＭＨｚ、約６ＭＨｚ、約８ＭＨｚ、または約１１ＭＨｚの周波数を有することができる。第３の、第４の、第５の、第６の、第７の、第８の、第９の、第１０の、第１１の、第１２の、第１３の、第１４の、第１５の、第１６の受信撮像信号は前述の値のうちの任意の２つによって規定される範囲内にある周波数を有することができる。第３の、第４の、第５の、第６の、第７の、第８の、第９の、第１０の、第１１の、第１２の、第１３の、第１４の、第１５の、第１６の受信撮像信号は、約０．５ＭＨｚ〜約３０ＭＨｚの範囲内の値を有することができる。第３の、第４の、第５の、第６の、第７の、第８の、第９の、第１０の、第１１の、第１２の、第１３の、第１４の、第１５の、第１６の受信撮像信号は、第１および第２の送信撮像信号の１つ以上の周波数とは異なる周波数を有していてもよい。
【０１２２】
複数のトランスデューサの各超音波トランスデューサは、帯域幅内で、送信超音波撮像信号を送信すること、または受信超音波撮像信号を受信することができる。第１の超音波トランスデューサが第１の帯域幅を有し、第２の超音波トランスデューサが第２の帯域幅を有していてもよい。第１の帯域幅および第２の帯域幅は、重複していてもよい。第１の帯域幅および第２の帯域幅は、部分的に重複していてもよい。第１の帯域幅および第２の帯域幅は、重複していなくてもよい。同様に、第３の、第４の、第５の、第６の、第７の、第８の、第９の、第１０の、第１１の、第１２の、第１３の、第１４の、第１５の、第１６の超音波トランスデューサは、第３の、第４の、第５の、第６の、第７の、第８の、第９の、第１０の、第１１の、第１２の、第１３の、第１４の、第１５の、第１６の帯域幅をそれぞれ有することができる。第１の、第２の、第３の、第４の、第５の、第６の、第７の、第８の、第９の、第１０の、第１１の、第１２の、第１３の、第１４の、第１５の、第１６の帯域幅のいずれかが、互いに重複していてもよい。第１の、第２の、第３の、第４の、第５の、第６の、第７の、第８の、第９の、第１０の、第１１の、第１２の、第１３の、第１４の、第１５の、第１６の帯域幅のいずれかが、互いに部分的に重複していてもよい。第１の、第２の、第３の、第４の、第５の、第６の、第７の、第８の、第９の、第１０の、第１１の、第１２の、第１３の、第１４の、第１５の、第１６の帯域幅のいずれも互いに重複していなくてもよい。
【０１２３】
受信撮像信号は、前処理オペレーションを受けることができる。例えば、第１の受信撮像信号は、他の受信撮像信号を正規化するための基礎を形成することができる。第２の受信撮像信号は、第１の受信撮像信号によって正規化されてもよい。第３の、第４の、第５の、第６の、第７の、第８の、第９の、第１０の、第１１の、第１２の、第１３の、第１４の、第１５の、第１６の受信撮像信号は、第１の受信撮像信号によって正規化されてもよい。
【０１２４】
図２Ｂは、複数の超音波トランスデューサの同時作動を概略的に示す。聴診器デバイスは、送信（Ｔｘ）発生器２２０を備えることができる。Ｔｘ発生器は、Ｔｘビーム形成器であってもよい。Ｔｘ発生器は、超音波トランスデューサ２１０Ａ〜Ｄのいずれかを動作させて、第１の、第２の、第３の、または第４の送信超音波撮像信号をそれぞれ送信するように構成することができる。Ｔｘ発生器は、第１の、第２の、第３の、または第４の送信超音波撮像信号のいずれか２つ以上を同時に動作させることができる。聴診器デバイスは、画像合成モジュール２３０をさらに備えることができる。画像合成モジュールは、受信（Ｒｘ）ビーム形成器を含んでいてもよい。Ｒｘビーム形成器は、超音波トランスデューサ２１０Ａ〜Ｄのいずれかを動作させて、第１の、第２の、第３の、または第４の受信超音波撮像信号をそれぞれ受信するように構成することができる。画像合成モジュールは、受信超音波撮像信号に、超音波画像再構成動作を施すことができる。例えば、画像合成モジュールは、受信超音波撮像信号に、遅延および合計演算を施すことができる。画像合成モジュールは、受信超音波撮像信号に、任意の超音波画像再構成動作を施すことができる。図２Ｂでは、４つの超音波撮像トランスデューサを動作させるように示されているが、Ｔｘ発生器は、第５の、第６の、第７の、第８の、第９の、第１０の、第１１の、第１２の、第１３の、第１４の、第１５の、または第１６の超音波トランスデューサを動作させて、第５の、第６の、第７の、第８の、第９の、第１０の、第１１の、第１２の、第１３の、第１４の、第１５の、または第１６の送信超音波撮像信号をそれぞれ送信するように構成されていてもよい。Ｔｘ発生器は、第１の、第２の、第３の、第４の、第５の、第６の、第７の、第８の、第９の、第１０の、第１１の、第１２の、第１３の、第１４の、第１５の、または第１６の超音波撮像トランスデューサのいずれか２つ以上を同時に動作させることができる。同様に、Ｒｘビーム形成器は、第５の、第６の、第７の、第８の、第９の、第１０の、第１１の、第１２の、第１３の、第１４の、第１５の、または第１６の超音波トランスデューサを動作させて、第５の、第６の、第７の、第８の、第９の、第１０の、第１１の、第１２の、第１３の、第１４の、第１５の、または第１６の送信超音波撮像信号をそれぞれ送信するように構成されていてもよい。
【０１２５】
Ｔｘ発生器は、第１の、第２の、第３の、第４の、第５の、第６の、第７の、第８の、第９の、第１０の、第１１の、第１２の、第１３の、第１４の、第１５の、または第１６の超音波撮像トランスデューサのいずれかを動作させて、順番に送信するように構成されていてもよい。図３は、超音波トランスデューサのオペレーションを順番に示す。図３に図示するように、所与の時間に送信超音波信号を送信している超音波トランスデューサを、実線のボックスで示している。所与の時間に送信していない超音波トランスデューサは、破線のボックスで示している。
【０１２６】
図３Ａは、第１の時点における、複数の超音波トランスデューサのうちの第１の超音波トランスデューサの作動を概略的に示す。第１の時点において、超音波撮像トランスデューサ２１０Ａは、第１の送信超音波撮像信号を送信することができる。第１の時点において、超音波撮像トランスデューサ２１０Ｂ，２１０Ｃ，および２１０Ｄは送信しなくてもよい。第１の時点において、超音波撮像トランスデューサ２１０Ｂ，２１０Ｃ，および２１０Ｄは、第２の、第３の、および第４の受信超音波撮像信号をそれぞれ受信するように、受信モードで動作することができる。
【０１２７】
図３Ｂは、第２の時点における、複数の超音波トランスデューサのうちの第２の超音波トランスデューサの作動を概略的に示す。第２の時点は、第１の時点とは異なり得る。第２の時点において、超音波撮像トランスデューサ２１０Ｂは、第２の送信超音波撮像信号を送信することができる。第２の時点において、超音波撮像トランスデューサ２１０Ａ，２１０Ｃ，および２１０Ｄは送信しなくてもよい。第２の時点において、超音波撮像トランスデューサ２１０Ａ，２１０Ｃ，および２１０Ｄは、第１の、第３の、および第４の受信超音波撮像信号をそれぞれ受信するように、受信モードで動作することができる。
【０１２８】
図３Ｃは、第３の時点における、複数の超音波トランスデューサのうちの第３の超音波トランスデューサの作動を概略的に示す。第３の時点は、第１の時点および第２の時点とは異なり得る。第３の時点において、超音波撮像トランスデューサ２１０Ｃは、第３の送信超音波撮像信号を送信することができる。第３の時点において、超音波撮像トランスデューサ２１０Ａ，２１０Ｂ，および２１０Ｄは送信しなくてもよい。第３の時点において、超音波撮像トランスデューサ２１０Ａ，２１０Ｂ，および２１０Ｄは、第１の、第２の、および第４の受信超音波撮像信号をそれぞれ受信するように、受信モードで動作することができる。
【０１２９】
図３Ｄは、第４の時点における、複数の超音波トランスデューサのうちの第４の超音波トランスデューサの作動を概略的に示す。第４の時点は、第１の時点、第２の時点、および第３の時点とは異なり得る。第４の時点において、超音波撮像トランスデューサ２１０Ｄは、第４の送信超音波撮像信号を送信することができる。第４の時点において、超音波撮像トランスデューサ２１０Ａ，２１０Ｂ，および２１０Ｃは送信しなくてもよい。第４の時点において、超音波撮像トランスデューサ２１０Ａ，２１０Ｂ，および２１０Ｃは、第１の、第２の、および第３の受信超音波撮像信号をそれぞれ受信するように、受信モードで動作することができる。
【０１３０】
超音波撮像トランスデューサは、任意の順番で動作させることができる。例えば、超音波撮像トランスデューサ２１０Ｂ，２１０Ｃ，および２１０Ｄのいずれかは、第１の時点において送信モードで動作し、他の超音波撮像トランスデューサは、第１の時点において受信モードで動作することができる。超音波撮像トランスデューサ２１０Ａ，２１０Ｃ，および２１０Ｄのいずれかは、第２の時点において送信モードで動作し、他の超音波撮像トランスデューサは、第２の時点において受信モードで動作することができる。超音波撮像トランスデューサ２１０Ａ，２１０Ｂ，および２１０Ｄのいずれかは、第３の時点において送信モードで動作し、他の超音波撮像トランスデューサは、第３の時点において受信モードで動作することができる。超音波撮像トランスデューサ２１０Ａ，２１０Ｂ，および２１０Ｃのいずれかは、第４の時点において送信モードで動作し、他の超音波撮像トランスデューサは、第４の時点において受信モードで動作することができる。
【０１３１】
超音波撮像トランスデューサのいずれか２つは、所与の時点において送信モードで動作し、超音波撮像トランスデューサの他の２つは、当該所与の時点において受信モードで動作することができる。超音波撮像トランスデューサのいずれか３つは、所与の時点において送信モードで動作し、他の超音波撮像トランスデューサは、当該所与の時点において受信モードで動作することができる。
【０１３２】
図４は、複数の超音波トランスデューサから超音波画像を形成する方法を概略的に示す。この方法は、複数の超音波撮像センサからの測定値を利用することができる。この方法は、単一画素および複数画素の画像処理技術を利用することができる。単一画素の場合、ｎ番目の超音波撮像測定値（ｎは、正の整数）を、信号処理ユニットに入力することができる。信号処理ユニットは、ｎ番目の超音波撮像測定値に、任意の超音波信号処理手順を適用することができる。信号処理ユニットは、信号処理された測定値を、画像処理ユニットおよび単一画素特徴抽出ユニットに出力することができる。画像処理ユニットは、任意の超音波画像処理手順を適用することができる。単一画素特徴抽出ユニットは、任意の超音波単一画素特徴抽出手順を適用することができる。単一画素特徴抽出ユニットは、抽出された特徴をオペレータに出力することができる。
【０１３３】
複数画素の場合、ｍ番目および（ｍ＋１）番目（ｍおよびｍ＋１は正の整数）の超音波撮像測定値を、複数画素画像合成ユニットおよび複数画素特徴抽出ユニットに入力することができる。画像合成ユニットは、任意の超音波画像合成手順を適用することができる。複数画素特徴抽出ユニットは、任意の超音波複数画素特徴抽出手順を適用することができる。複数画素特徴抽出ユニットは、抽出された特徴をオペレータに出力することができる。
【０１３４】
複数画素の場合、２次元平滑化フィルタ、Ｈａｒｒフィルタ、ガウスフィルタ、および積分器などの画像処理方法を使用して、記録された画像を改善することができる。さらに、各画素は、信号特徴を強調するために、時間領域でフィルタリングされてもよい。単一または複数のＢｕｔｔｅｒｗｏｒｔｈ、Ｃｈｅｂｙｓｇｅｖ、およびｅｌｌｉｐｔｉｃフィルタを使用してノイズを抑制し、特徴抽出を強調することができる。
【０１３５】
図１７は、聴診オーディオ信号を受信し、同時に、第１および第２の超音波撮像信号を送信し、かつ第１および第２の超音波撮像信号を受信する方法１７００を示す。
【０１３６】
第１の動作１７１０では、聴診オーディオ信号を対象から受信する。聴診オーディオ信号は、本明細書に記載されるように、機械的ダイヤフラムを備える聴診器ヘッドによって受信することができる。
【０１３７】
第２の動作１７２０では、第１の送信超音波撮像信号を第１の周波数で対象に送信する。第１の送信超音波撮像信号は、本明細書に記載されるように、第１の超音波トランスデューサによって送信することができる。
【０１３８】
第３の動作１７３０では、第１の受信超音波撮像信号を対象から受信する。第１の受信超音波撮像信号は、本明細書に記載されるように、第１の超音波トランスデューサによって受信することができる。
【０１３９】
第４の動作１７４０では、第２の送信超音波撮像信号を第２の周波数で対象に送信する。第２の送信超音波撮像信号は、本明細書に記載されるように、第２の超音波トランスデューサによって送信することができる。第２の送信超音波撮像信号は、本明細書に記載されるように、第１の送信超音波撮像信号と同時に送信されてもよい。
【０１４０】
第５の動作１７５０では、第２の受信超音波撮像信号を対象から受信する。第２の受信超音波撮像信号は、本明細書に記載されるように、第２の超音波トランスデューサによって受信することができる。第２の受信超音波撮像信号は、本明細書に記載されるように、第１の受信超音波撮像信号と同時に受信されてもよい。
【０１４１】
方法１７００は、非聴診の非超音波信号を検出する動作（図１７には不図示）をさらに含んでいてもよい。非聴診の非超音波信号は、本明細書に記載されるように、非聴診の非超音波センサによって検出することができる。
【０１４２】
方法１７００は、図１、図２、図３、または図４に関して本明細書に記載されるデバイスなどの、本明細書に記載される任意のデバイスによって実施することができる。
【０１４３】
本明細書で適用される方法１７００に基づく多くの変形、変更、および改造が可能である。例えば、方法１７００の動作の順序を変更すること、いくつかの動作を省くこと、いくつかの動作を複数回実行すること、付加的動作を適宜追加することができる。いくつかの動作は、連続して実行されてもよい。いくつかの動作は、並行して実行されてもよい。いくつかの動作は、一度に実行されてもよい。いくつかの動作は、複数回実行されてもよい。いくつかの動作は、サブ動作を含んでいてもよい。いくつかの動作が自動化され、いくつかの動作が手動であってもよい。
【０１４４】
図５Ａは、機械的ダイヤフラム、複数の超音波トランスデューサ、および複数の非聴診の非超音波センサを備える、聴診器ヘッドの側面図を概略的に示す。聴診器デバイスは、本明細書に記載される、機械的ダイヤフラム２００および複数の超音波トランスデューサ２１０Ａ〜Ｄを備えることができる。
【０１４５】
図５Ｂは、機械的ダイヤフラム、複数の超音波トランスデューサ、および複数の非聴診の非超音波センサを備える、聴診器ヘッドの斜視図を概略的に示す。聴診器ヘッドは、機械的ダイヤフラムおよび複数の超音波トランスデューサに加えて、１つ以上の非聴診の非超音波センサを備えることができる。非聴診の非超音波センサは、１つ以上の非聴診の非超音波信号を検出することができる。図５Ｂに示すように、第１の光源５１０および第１の光検出器５２０を備えていてもよい。第１の光源は、発光ダイオード（ＬＥＤ）またはレーザとすることができる。レーザは、垂直共振器面発光レーザ（ＶＣＳＥＬ）のような半導体レーザであってもよい。第１の光検出器は、フォトダイオード、アバランシェフォトダイオード、フォトダイオードアレイ、分光計、電荷結合素子（ＣＣＤ）カメラ、相補型金属酸化膜半導体（ＣＭＯＳ）カメラ、または他の光検出器であってもよい。
【０１４６】
第１の光源および第１の光検出器は、第１のパルスオキシメータとして動作するように構成することができる。パルスオキシメータは、反射パルスオキシメータとして動作するように構成されていてもよい。第１の光源は、被験体の皮膚、例えば、被験体の指先、指、手、腕、または被験体の皮膚上の任意の他の場所の皮膚に光を向けることができる。光は、被験体の皮膚によって反射され、第１の光検出器によって検出され得る。被験体の皮膚に入射する光の異なる波長は、異なる程度で吸収され得る。異なる波長の吸収により、被験体の酸素飽和度（ｓｐＯ２）を示すことができる。
【０１４７】
聴診器ヘッドは、第２の光源および第２の光検出器をさらに備えることができる。第２の光源および第２の光検出器は、第１の光源および第１の光検出器のそれぞれと同様であってもよい。第２の光源および第２の光検出器は、第２のパルスオキシメータとして動作するように構成することができる。第２のパルスオキシメータは、第１のパルスオキシメータと同様であってもよい。場合によっては、第１の光源、第１の光検出器、第２の光源、および第２の光検出器は、単一のパルスオキシメータとして動作するように構成されていてもよい。例えば、第１および第２の光源はそれぞれ、異なる波長を有する第１および第２の単色光をそれぞれ発することができる。第１および第２の光検出器はそれぞれ、第１および第２の単色光の吸光度を測定することができる。測定値は、被験体のｓｐＯ２を決定することを可能にし得る。
【０１４８】
聴診器ヘッドは、１、２、３、４、５、６、７、８、９、１０、１１、１２、１３、１４、１５、１６または１７以上の、非聴診の非超音波センサを備えることができる。非聴診の非超音波センサの各々は、非聴診オーディオセンサ、温度センサ、光学センサ、電気センサ、または電気化学センサのいずれかとすることができる。非聴診の非超音波センサは、被験体の体温、被験体の呼吸数、被験体の呼吸の質、被験体の呼吸の病態、被験体の血圧、被験体の血糖濃度、または被験体の血中酸素飽和度（ｓｐＯ２）に対応する信号を検出することができる。
【０１４９】
図６Ａは、本体、インピーダンス整合基板、およびユーザインタフェースを備える、聴診器ヘッドの上面図を概略的に示す。聴診器ヘッド１１０は、本明細書に記載される、機械的ダイヤフラムおよび１つ以上の超音波トランスデューサを備えることができる。聴診器ヘッドは、インピーダンス整合基板６００をさらに備えることができる。インピーダンス整合基板は、インピーダンス整合材料で構成することができる。インピーダンス整合材料は、第１の、第２の、第３の、第４の、第５の、第６の、第７の、第８の、第９の、第１０の、第１１の、第１２の、第１３の、第１４の、第１５の、または第１６の、送信または受信超音波撮像信号のいずれかの、対応する超音波トランスデューサと検査中のサンプルとの間の通過効率性を向上させることができる。
【０１５０】
図６Ｂは、本体、インピーダンス整合基板、およびユーザインタフェースを備える、聴診器ヘッドの側面図を概略的に示す。聴診器ヘッドは、最上層に、インピーダンス整合基板６００を備えることができる。
【０１５１】
聴診器ヘッドは、中間層に、本体６１０を備えることができる。本体は、バッテリを含んでいてもよい。バッテリは、本明細書に記載される聴診器デバイスの１つ以上のコンポーネントが、外部電源にアクセスすることなく動作することを可能にし得る。本体は、電源コネクタを備えていてもよい。電源コネクタは、電気コンセントなどの外部電源から電力を受け取るように構成することができる。電源コネクタは、本明細書に記載される聴診器デバイスの１つ以上のコンポーネントが、外部電源によって電力供給されている間に動作することを可能にし得る。電源コネクタは、本明細書に記載されるコンポーネントの１つ以上が動作している間、または聴診器デバイスが使用されていない間に、バッテリの充電を可能にし得る。電源コネクタは、誘導電力コイルであってもよい。
【０１５２】
聴診器ヘッドは、最下層に、本明細書に記載するように、制御部６２０を備えることができる。
【０１５３】
図６Ｃは、本体、インピーダンス整合基板、およびユーザインタフェースを備える、聴診器ヘッドの底面図を概略的に示す。制御部６２０は、聴診器デバイスが様々なモードで動作するのを可能にすることができる。例えば、制御部６２０は、聴診器デバイスが聴診器モードで動作するのを可能にすることができる。聴診器モードは、ユーザが聴診器デバイスを従来の聴診器として使用することを可能にし、該ユーザに、聴診器を介して生物学的プロセスに関連する音を聴く能力を提供する。聴診器モードにおいて、非聴診センサ（複数の超音波トランスデューサまたは非聴診の非超音波センサのいずれかなど）の１つ以上は、電源が切られているか、またはスタンバイモードで動作している。制御部は、聴診器デバイスが、超音波撮像モードで動作することを可能にすることができる。超音波撮像モードは、ユーザが聴診器デバイスを超音波撮像デバイスとして使用することを可能にし、該ユーザに、被験体の内部構造の超音波画像を提供する能力を提供する。超音波撮像モードにおいて、非聴診の非超音波センサの１つ以上は、切られているか、またはスタンバイモードで動作し得る。超音波撮像モードでは、すべての非聴診の非超音波センサの電源がつけられていてもよい。制御部は、聴診器デバイスを非聴診の非超音波モードで動作させることを可能にすることができる。非聴診の非超音波モードは、ユーザが聴診器デバイスを使用して、本明細書に記載される任意の非聴診の非超音波センサデータを被験体から取得することを可能にし得る。非聴診の非超音波モードにおいて、超音波トランスデューサの１つ以上は、電源が切られているか、スタンバイモードで動作し得る。超音波撮像モードでは、すべての超音波トランスデューサの電源がつけられていてもよい。聴診器デバイスは、２つ以上のセンサコンポーネント（機械的ダイヤフラム、１つ以上の超音波トランスデューサ、および１つ以上の非聴診の非超音波センサ）を一緒に動作させるモードで動作して、聴診器センサデータ、超音波センサデータ、および非聴診の非超音波センサデータを同時に、または任意の可能な順序で取得することができる。
【０１５４】
制御部は、ユーザインタフェースを備えることができる。ユーザインタフェースは、本明細書に記載される、聴診信号、超音波撮像信号、または非聴診の非超音波信号の１つ以上に基づくフィードバックをユーザに提供するように構成することができる。ユーザインタフェースは、ディスプレイを含むことができる。ユーザインタフェースは、本明細書に記載される、聴診信号、超音波撮像信号、または非聴診の非超音波信号の１つ以上を表示することができる。例えば、ユーザインタフェースは、本明細書に記載される心拍センサによって検出され得る被験体の心拍数６３０を表示することができる。ユーザインタフェースは、非検体の心拍数のグラフ６４０を経時的に表示することができる。ユーザデバイスは、超音波画像、または本明細書に記載される任意の非聴診の非超音波センサによって取得された任意の非聴診の非超音波信号の画像を表示することができる。
【０１５５】
ユーザインタフェースは、タッチスクリーンデバイスを含んでいてもよい。タッチスクリーンデバイスは、本明細書に記載されるように、ディスプレイとして機能し得る。タッチスクリーンデバイスはまた、ユーザが聴診器デバイスにコマンドを送ることを可能にすることができる。例えば、タッチスクリーンデバイスは、聴診器デバイスのユーザが、本明細書に記載される聴診器デバイスの動作モードのいずれかを選択することを可能にすることができる。
【０１５６】
聴診器デバイスは、ネットワークモダリティをさらに備えることができる。ネットワークモダリティは、有線ネットワークモダリティとすることができる。例えば、聴診器デバイスは、イーサネットアダプタまたは任意の他の優先ネットワークモダリティを含むことができる。ネットワークモダリティは、無線ネットワークモダリティとすることができる。無線ネットワークモダリティは、データを送信および受信する誘導電力コイルを含むことができる。聴診器デバイスは、無線トランシーバを備えることができる。例えば、聴診器デバイスは、８０２．１１ａトランシーバ、８０２．１１ｂトランシーバ、８０２．１１ｇトランシーバ、８０２．１１ｎトランシーバ、８０２．１１ａｃトランシーバ、８０２．１１ａｄトランシーバ、８０２．１１ａｆトランシーバ、８０２．１１ａｈトランシーバ、８０２．１１ａｉトランシーバ、８０２．１１ａｊトランシーバ、８０２．１１ａｑトランシーバ、８０２．１１ａｘトランシーバ、８０２．１１ａｙトランシーバなどのＷｉ−Ｆｉトランシーバ、または任意の他のＷｉ−Ｆｉトランシーバを含むことができる。無線ネットワークモダリティは、符号分割多元接続（ＣＤＭＡ）トランシーバ、汎欧州デジタルセルラーシステム（ＧＳＭ）トランシーバ、第３世代（３Ｇ）セルラートランシーバ、第４世代（４Ｇ）セルラートランシーバ、ロングタームエボリューション（ＬＴＥ）セルラートランシーバ、第５世代（５Ｇ）セルラートランシーバなどのセルラートランシーバ、または任意の他のセルラートランシーバを含むことができる。無線ネットワームモダリティは、Ｂｌｕｅｔｏｏｔｈトランシーバを含むことができる。無線ネットワームモダリティは、任意の他の無線ネットワークモダリティを含んでいてもよい。無線ネットワームモダリティは、本明細書に記載される聴診信号、受信超音波信号、または非聴診の非超音波信号のうちの１つ以上を、周辺デバイスに通信するように構成されていてもよい。例えば、無線ネットワークモダリティは、スマートフォン、スマートウォッチ、もしくは他のスマートデバイス、タブレット、ラップトップ、もしくは他のコンピュータデバイス、またはクラウドベースのサーバなどのサーバのうちの１つ以上と通信するように構成されていてもよい。
【０１５７】
聴診器デバイスは、マイクロフォンおよびスピーカを備えていてもよい。マイクロフォンおよびスピーカは、聴診器デバイスのユーザと、聴診器デバイスそれ自体との間の通信を可能にすることができる。スピーカは、ユーザが、聴診測定、超音波撮像測定、または非聴診の非超音波測定の結果の１つ以上を、聴診器デバイスからの音声アナウンスを介して受け取ることを可能にし得る。マイクロフォンは、ユーザが、聴診器デバイスに口頭でコマンドを提供することを可能にし得る。マイクロフォンは、ユーザによって聴診器デバイスに発声されたコマンドを分析するように、自然言語処理システムに接続することができる。
【０１５８】
図７は、インタラクティブ撮像モードでのユーザインタフェースを含む、聴診器ヘッドの使用状態を概略的に示す。聴診器デバイスは、被験体の脈拍をサーチするために使用することができる。聴診器デバイスが強いパルス信号を検出できない場合、聴診器デバイスは、聴診器ヘッドを別の位置に移動させるべきであることをユーザに示すことができる。ディスプレイ５２０は、心拍数５３０がまだ決定されていないことを示すことができる。ディスプレイは、聴診器ヘッドを特定の方向に移動させるべきでることを示すインジケータ８００を含むことができる。例えば、ディスプレイは、聴診器ヘッドを移動させるべき方向に矢印を示すことができる。
【０１５９】
図１８は、聴診オーディオ信号を受信し、超音波撮像信号を送信および受信し、かつ非聴診の非超音波撮像信号を検出するための方法１８００を示す。
【０１６０】
第１の動作１８１０では、聴診オーディオ信号を対象から受信する。聴診オーディオ信号は、本明細書に記載されるように、機械的ダイヤフラムを備える聴診器ヘッドによって受信することができる。
【０１６１】
第２の動作１８２０では、送信超音波撮像信号を対象に送信する。送信超音波撮像信号は、本明細書に記載されるように、超音波トランスデューサによって送信することができる。
【０１６２】
第３の動作１８３０では、受信超音波撮像信号を対象から受信する。受信超音波撮像信号は、本明細書に記載されるように、超音波トランスデューサによって受信することができる。
【０１６３】
第４の動作１８４０では、非聴診の非超音波信号を検出する、非聴診の非超音波信号は、本明細書に記載されるように、非聴診の非超音波センサによって検出することができる。
【０１６４】
方法１８００は、図５、図６、図７に関して本明細書に記載されるような、本明細書に記載される任意のデバイスによって実施することができる。
【０１６５】
本明細書で適用される方法１８００に基づく多くの変形、変更、および改造が可能である。例えば、方法１８００の動作の順序を変更すること、いくつかの動作を省くこと、いくつかの動作を複数回実行すること、付加的動作を適宜追加することができる。いくつかの動作は、連続して実行されてもよい。いくつかの動作は、平行して実行されてもよい。いくつかの動作は、一度に実行されてもよい。いくつかの動作は、複数回実行されてもよい。いくつかの動作は、サブ動作を含んでいてもよい。いくつかの動作が自動化され、いくつかの動作が手動であってもよい。
【０１６６】
本明細書に記載される聴診信号、超音波撮像信号、または非聴診の非超音波信号のいずれかは、モデルを使用して相関させることができる。例えば、本明細書に記載される聴診器デバイスは、第１の信号と第２の信号とを相関させることができる。第１の信号は、聴診信号、超音波撮像信号、または非聴診の非超音波信号とすることができる。第２の信号は、聴診信号、超音波撮像信号、または非聴診の非超音波信号とすることができる。第１の信号および第２の信号は、１つ以上の抽出された特徴パラメータを生成するために相関されてもよい。第３の、第４の、第５の、第６の、第７の、第８の、第９の、第１０の、第１１の、第１２の、第１３の、第１４の、第１５の、または第１６の信号はそれぞれ、聴診信号、超音波撮像信号、または非聴診の非超音波信号とすることができ、１つ以上の抽出された特徴パラメータを生成するために、第１の信号および第２の信号とさらに相関されてもよい。抽出された特徴パラメータは、心拍数、血圧、血中酸素、または任意の他の生理学的パラメータなどの１つ以上のパラメータを示すことができる。
【０１６７】
モデルは、第１および第２の信号のそれぞれを重み関数でたたみ込むことによって、第１の信号および第２の信号を相関させることができる。第１の信号は、第１の重み関数によってたたみ込まれて、第１の重み信号を生成することができる。第２の信号は、第２の重み関数によってたたみ込まれて、第２の重み信号を生成することができる。次いで、第１および第２の重み信号は、抽出された特徴パラメータを生成するために、（自己関数または相互関数などによって）相関されてもよい。モデルは、第３の、第４の、第５の、第６の、第７の、第８の、第９の、第１０の、第１１の、第１２の、第１３の、第１４の、第１５の、または第１６の重み関数をそれぞれたたみ込んで、第３の、第４の、第５の、第６の、第７の、第８の、第９の、第１０の、第１１の、第１２の、第１３の、第１４の、第１５の、または第１６の重み信号をそれぞれ生成することができる。第３の、第４の、第５の、第６の、第７の、第８の、第９の、第１０の、第１１の、第１２の、第１３の、第１４の、第１５の、または第１６の重み信号は、抽出された特徴パラメータを生成するために、第１および第２の重み信号と相関されてもよい。
【０１６８】
モデルは、第１および第２の信号のそれぞれに数学的変換を適用することによって、第１および第２の信号を相関させることができる。例えば、第１および第２の撮像信号のそれぞれは、フーリエ変換、フーリエ積分変換、フーリエ級数変換、Ｚ変換、ウェーブレット変換、余弦級数変換、正弦級数変換、テイラー級数変換、ローラン級数変換、ラプラス変換、アダマール変換、または任意の他の数学的変換によって変換することができる。第１の信号は、第１の数学的変換によって変換されて第１の変換信号を生成することができる。第２の信号は、第２の数学的変換によって変換されて第２の変換信号を生成することができる。次いで、第１および第２の変換信号は、抽出された特徴パラメータを生成するために、（自動相関または相互相関などによって）相関されてもよい。モデルは、第３の、第４の、第５の、第６の、第７の、第８の、第９の、第１０の、第１１の、第１２の、第１３の、第１４の、第１５の、または第１６の数学的変換をそれぞれ変換して、第３の、第４の、第５の、第６の、第７の、第８の、第９の、第１０の、第１１の、第１２の、第１３の、第１４の、第１５の、または第１６の変換信号をそれぞれ生成することができる。第３の、第４の、第５の、第６の、第７の、第８の、第９の、第１０の、第１１の、第１２の、第１３の、第１４の、第１５の、または第１６の変換信号は、抽出された特徴パラメータを生成するために、第１および第２の変換信号と相関されてもよい。
【０１６９】
モデルは、機械学習技術を使用して、第１および第２の信号を一組の抽出された特徴に符号化およびマッピングすることによって、該第１および第２の信号を相関させることができる。モデルは、機械学習技術を使用して、第１の、第２の、第３の、第４の、第５の、第６の、第７の、第８の、第９の、第１０の、第１１の、第１２の、第１３の、第１４の、第１５の、または第１６の信号を一組の抽出された特徴に符号化およびマッピングすることによって、第３の、第４の、第５の、第６の、第７の、第８の、第９の、第１０の、第１１の、第１２の、第１３の、第１４の、第１５の、または第１６の信号を、第１および第２の変換信号と相関させることができる。モデルは、任意の数の変換信号と相関させることができる。
【０１７０】
図８は、前処理モジュールおよび機械学習モジュールを含む、機械学習システムの概略的なブロック図を示す。機械学習システム８００は、前処理モジュール８１０および機械学習モジュール（アプロキシメータまたは近似化モジュールとも称される）８２０を備えることができる。機械学習システム内のコンポーネントは、ネットワークまたは１つのコンポーネントから他のコンポーネントへのデータ送信を可能にする任意のタイプの通信リンクを介して、互いに動作可能に接続され得る。機械学習システムは、本明細書に記載されるシステムおよび方法の１つ以上のコンポーネントにおけるソフトウェア、ハードウェア、またはソフトウェアとハードウェアとの組み合わせを使用して実装することができる。
【０１７１】
生理学的情報８０２は、本明細書に記載される聴診器デバイスの、機械的ダイヤフラム、超音波撮像トランスデューサ、または非聴診の非超音波センサの１つ以上を使用して収集することができる。前処理モジュール８１０は、生理学的情報を前処理するように構成することができる。前処理モジュールは、例えば、機械的ダイヤフラム、超音波撮像トランスデューサ、または非聴診の非超音波センサによって生成されたアーチフェクトを除去することができる。前処理モジュールは、聴診器デバイスの動きなどの機械的ノイズについて、顕微鏡画像を補正することができる。前処理モジュールは、超音波トランスデューサの不均一な検出感度を補正することができる。前処理モジュールは、平滑化フィルタを適用して、機械的ダイヤフラム、超音波撮像トランスデューサ、または非聴診の非超音波センサのいずれかからのセンサノイズを低減することができる。前処理モジュールは、任意のノイズ低減方法または信号増強方法を適用して、機械的ダイヤフラム、超音波撮像トランスデューサ、または非聴診の非超音波センサによって得られるいずれの信号の信号対雑音比を増加させることができる。前処理モジュールは、前処理された生理学的情報８０４を出力するように構成することができる。
【０１７２】
機械学習モジュール８２０は、前処理された生理学的情報８０４を処理して、生理学的情報の有意な表現を抽出するように構成することができる。例えば、機械学習モジュールは、前処理された生理学的情報から一組の最小生理学的データ１０６を生成することができる。最小生理学的データは、生理学的情報のストリームの、高度に圧縮された有意な表現に対応することができる。最小生理学的データは、体温、呼吸数、呼吸の質、呼吸の病理、血圧、血糖濃度、血中ガス濃度、血中酸素飽和度（ｓｐＯ２）、または任意の他の臨床的に関連する特徴パラメータなどの、本明細書に記載される１つ以上の臨床的に関連するパラメータに対応することができる。
【０１７３】
機械学習モジュールにおいては、生理学的データの新しい表現が見出され得るが、新しい表現は、低次元性、スパースコーディング、および／または特定のノイズまたは信号変換に対する不変性などの特徴を有する。例えば、アプロキシメータは、聴診器デバイスが信号源に対して移動するときに生じる、軽度の機械障害に起因するような、信号変換に対する不感応（または感度が低い）表現を見出すことができる。機械学習モジュールは、例えば、聴診器デバイス内のコンポーネントの経年変化、サンプルに送達される送信超音波出力の変動、および聴診器デバイスによって検出される信号を経時的に変化させる他の現象に起因する、センサ応答の経時的な変化を考慮することができる。上記のそれぞれの場合において、１つ以上の決定論的変換を生理学的データに適用することができるが、これらの変換は、アプロキシメータによって選択される表現スキームに応じて、機械学習システムの出力に変化をもたらしても、もたらさなくてもよい。アプロキシメータを、入力に対する予測可能で決定論的なパータベーションに対して不変的に対応するようにトレーニングすることによって、これらの低レベルの変更は、機械学習システムによる高レベルな出力には見えないようにすることができる。
【０１７４】
上記の目的は、（教師なしの）自己学習された一組のベースに従って、それらの入力を分解する１つ以上の機械学習方法を適用する一方で、当該分解に特定の制約または事前条件を組み込むことによって達成することができる。使用される制約のいくつかは、ベースをなす生理学的状態空間についての事実を認識している制約を含むことができる。
【０１７５】
機械学習モジュールは、確率的グラフィックモデルを使用して、および（スパース解を検出するための）Ｌ１／Ｌ２ラッソー正規化などの行列法を使用して、データストリームを明示的にモデリングすること、または行列の低ランク近似を求める固有ベクトルに基づく手法によって実装することもできる。機械学習モジュールは、オートエンコーダ、積層オートエンコーダ、雑音除去オートエンコーダ、ディープブリーフネットワークなどのようなニューラルネットワークを使用して実装することもできる。
【０１７６】
複数の隠れ層のうちの各隠れ層の出力が、何らかの制約が課された状態で前の層からの入力を再構築しようと試みる場合、またはその入力が不変表現を有利にするように破損しているかもしくは変換されている場合、近似段階は、多層ニュートラルネットワークとして実装することができる。これには、いわゆる「ディープブリーフネットワーク」または「積層オートエンコーダ」が含まれていてもよい。内層は、それらのウェイトがどのような値をとるのかを制限することによって、またはそれらのウェイトが正規化ストラテジーの形式などの最適値にいかに迅速にまたは緊密に落ち着くのかを制限することによって制約され得る。複数の内層は、信号の小さなパータベーションに対する抽象度および不変性の程度を増加させることができる。これらの層は、別々に更新されるので、より高レベルの層の出力はそのままに、低レベル層における再学習によって学習されるべき生理学的情報の経時的変化が可能になる。
【０１７７】
この段階で実装されるアルゴリズムのパラメータを決定するためのトレーニング段階は、オフラインで行われてもよいが、アプロキシメータの使用はリアルタイムとすることができる。ウェイト／係数の更新は、その後、定期的に、かつアプロキシメータの使用中に行うことができる。
【０１７８】
図９は、いくつかの実施形態に従う、前処理モジュールからの一組の前処理された生理学的情報を、最小生理学的データに変換するように構成された、例示的な多層オートエンコーダを示す。機械学習モジュール８２０は、エンコーダ８２０およびデコーダ８５０を備えることができる。機械学習モジュールは、最小生理学的データ８４０を出力するように構成することができる。最小生理学データは、オートエンコーダの最内層に対応し得る。
【０１７９】
いくつかの実施形態において、エンコーダは、複数の符号化層をさらに含むことができる。各符号化層は、複数の数値重みを有する複数のノードを含むことができる。同様に、デコーダは、複数の復号化層をさらに含むことができる。各復号化層は、複数の数値重みを有する複数のノードを含むことができる。機械学習モジュールの最内層は、最小生理学的データとすることができる。最小生理学的データは、数値重みを有する複数のノードを含むことができる。最小生理学的データは、示される機械学習アーキテクチャ内の生理学的情報のまだ抽象的で有意な表現を特定することができる。いくつかの実施形態において、機械学習モジュールは、デコーダの出力がエンコーダへの入力と同一であり、入力として提供されるように、オートエンコーダを備えることができる。いくつかの実施形態において、オートエンコーダは、多層オートエンコーダであってもよい。
【０１８０】
エンコーダは、一組の前処理された生理学的情報８０４を含む入力を、前処理モジュールから受信するように構成することができる。一組の前処理された生理学的情報は、ベクトルＳとして配列することができる。エンコーダの第１の層は、ベクトルＳに変換を適用することによって、一組の前処理された生理学的情報の次元を減少させるように構成することができる。いくつかの実施形態において、その変換は、線形変換であってもよい。他の実施形態において、その変換は、非線形変換であってもよい。その変換は、関数ｏ、層内の各ノードにおけるウェイトの行列Ｗ、および他のベクトルｂに基づいて、ベクトルＳに対して減少した次元を有する出力ベクトルＴを生成することができる：
Ｔ＝ａ（ＷＳ＋ｂ）      （式１）
【０１８１】
次いで、ベクトルＴを第２の層に入力することができる。各連続符号化層は、最内層（最小生理学的データ）に達するまで、各層の次元数が連続的に減少する、式（１）と同じ形式の行列変換を適用することができる。
【０１８２】
デコーダは、エンコーダの各層に適用される重み行列の精度を計算するために、上述の次元数の減少を元に戻すように構成することができる。最小生理学的データは、デコーダの第１の層に入力されてもよく、これは線形変換を適用して次元数を増加させることができる。各連続復号化層は、元の入力集合Ｓと同じ次元の復号化層からの出力Ｓ’に達するまで、さらなる行列変換を適用することができる。
【０１８３】
エンコーダ、デコーダおよび生理学的データの各層における各ノードの初期重みは、任意の所定の手順に基づいて選択することができる。一連の行列変換を適用して、第１の符号化層の入力Ｓを最終の復号化層の出力Ｓ’にマッピングすることができる。Ｌ１エラーまたはＬ２エラーなどのエラー関数は、ＳおよびＳ’から計算することができる。次いで、逆行性伝播などのアルゴリズムを適用して、エンコーダ、デコーダおよび最小生理学データの各層における各ノードの重みを更新することができる。このアルゴリズムは、デコーダの出力で評価されるエラー関数が最小値に達するまで反復して適用することができる。
【０１８４】
いくつかの実施形態では、機械学習モジュールにおける層のいくつかまたはすべてに、スパース性の制約を適用することができる。
【０１８５】
高い次元性を有するデータセットを、冗長性を有しないデータセットの本質的な特徴を依然として維持している最小限の一連の数値に変換するように構成することができる。次いで、この一連の数値は、生理学的情報の所与のセットに対応する最小生理学的データを形成する。
【０１８６】
いくつかの実施形態では、聴診器システムの変化に対するそのロバスト性を改善するために、オートエンコーダを複数の層で設計することができる。これはまた、システムを記録条件の変化（例えば、聴診器システムのセンサの物理的変化または変形）に適応させる計算上のオーバーヘッドを低減するように、特定の層を孤立させて再学習させることを可能にする。
【０１８７】
したがって、本明細書に記載される機械学習システムは、多数の生理学的プロセスからの情報を含む生理学的データを処理するためのパイプラインとして供することができる。このシステムは、画像データを、生理学データの顕著な特徴を表すより高いレベルのシンボルストリームに変換することができる。
【０１８８】
図１０は、いくつかの実施形態に従う、オートエンコーダへの入力から最小生理学的データを抽出することができるプロセスを表すフロチャートを示す。（図９の）エンコーダ８３０は、ベクトル化された一組の前処理された生理学的情報８０４を、前処理モジュール８１０（図８参照）からの入力として受け入れることができる。エンコーダ８３０の各層における各ノードの初期重み１００２、最小生理学的データ８４０、およびデコーダ８５０は、任意の好適な手順に従って選択することができる。エンコーダは、各符号化層に、一組の線形変換１００４、１つの線形変換を適用して、第１パス線形最小生理学データ８４０を計算することができる。エンコーダの各層での各線形変換は、エンコーダの次層に渡される情報の次元性を減少させることができる。
【０１８９】
デコーダは、各復号化層に、一組の線形変換１００６、１つの線形変換を適用することができる。デコーダの各層での各線形変換は、デコーダの次層に渡される情報の次元性を増加させることができる。デコーダの最終層は、デコーダの最終層のノードの重みによって付与されるテストコードを生成することができる。テストコードは、デコーダへの入力と同一の次元性であってもよい。
【０１９０】
エラーを計算するために、テストコードの値とエンコーダへの入力の値とを、エラー関数を介して比較することができる。エラー関数は、テストコードとエンコーダへの入力との間の絶対差の合計によって与えられる、Ｌ１エラーであってもよい。エラー関数は、テストコードとエンコーダへの入力との間の差の二乗の和によって与えられる、Ｌ２エラーまたはユークリッドエラーであってもよい。エラー関数は、ＬＮエラー、または任意の次元Ｎの一般化されたユークリッドエラーであってもよい。エラー関数は、任意の他のエラー関数であってもよい。エラー関数は、反復ごとに同じであってもよい。エラー関数は、連続する反復の間で変化してもよい。
【０１９１】
テストコードおよびエンコーダへの入力から計算されたエラーは、条件と比較することができる。条件は、所定の閾値に基づくことができる。エラーが条件を満たす場合、最小生理学的データをアクセプトし（１０１４）、最小生理学データの値を出力する（８０６）ことができる。エラーが条件を満たしていない場合、エンコーダ８３０の各層における各ノードの重み、生理学的データ８４０、およびデコーダ８５０を、任意の好適な手順に従ってアップデートする（１０１４）。この時点で、この手順は条件が満たされるまで繰り返すことができる。エラーが所定の閾値未満となるように条件を定めることができる。エラーが先に計算されたエラーのいずれよりも小さくなるように条件を定めることもできる。いくつかの実施形態では、条件が反復ごとに同じであってもよい。他の実施形態では、条件が連続的な反復の間で変化してもよい。この手順および反復は、条件が満たされたときに終了するように構成することができる。いくつかの実施形態では、条件が満たされると、現在の反復からの生理学的母集団データが出力される。
【０１９２】
特には、自動符号化方法を参照しているが、様々な教師あり機械学習技術、様々な半教師あり機械学習技術、および／または教師なしの機械学習技術を含む、他の機械学習技術を機械学習モジュールに実装することができる。機械学習技術は、トレーニング可能とすることができる。機械学習技術は、人間のトレーナとの相互作用（教師あり機械学習）によって、自己トレーニング（教師なし機械学習）によって、またはその２つの組合せ（半教師あり機械学習）によって、トレーニング可能であってもよい。例えば、機械学習モジュールは、オルタネーティング決定木（ＡＤＴｒｅｅ）、決定株、機能ツリー（ＦＴ）、ロジスティックモデルツリー（ＬＭＴ）、ロジスティック回帰、ランダムフォレスト、線形分類器、神経ネットワーク、スパース辞書、ディアボロネットワーク、または当該分野で知られている任意の機械学習アルゴリズムまたは統計アルゴリズムを利用することができる。１つ以上のアルゴリズムを一緒に使用して、アンサンブル法を生成することができ、アンサンブル方は、ブースティング（例えば、ＡｄａＢｏｏｓｔ、ＬＰＢｏｏｓｔ、ＴｏｔａｌＢｏｏｓｔ、ＢｒｏｗｎＢｏｏｓｔ、ＭａｄａＢｏｏｓｔ、ＬｏｇｉｔＢｏｏｓｔなど）のような機械学習アンサンブルメタアルゴリズムを使用して最適化し、バイアスおよび／または平方偏差を減少させることができる。機械学習分析は、例えば、Ｒ、Ｗｅｋａ、Ｐｙｔｈｏｎ、および／またはＭａｔｌａｂのような、当該分野で知られている多くのプログラミング言語およびプラットフォームの１つ以上を使用して実行することができる。
【０１９３】
図１１は、機械的ダイヤフラムによって得られる聴診オーディオ信号、超音波トランスデューサによって得られる超音波信号、および非聴診の非超音波センサによって得られる１つ以上の非超音波信号から特徴を抽出する方法を概略的に示す。この方法は、図８、図９、図１０に関して本明細書に記載される技術のいずれかを利用して、一連のセンサデータにエンコーダおよびデコーダを適用することができる。センサデータは、聴診センサ（本明細書に記載される機械的ダイヤフラムなど）に関連する時系列のセンサ値ｆ１（ｔ）、第１の超音波センサに関連する時系列のセンサ値ｆ２（ｔ）、第１の光ダイオードに関連するセンサ値ｆ３（ｔ）などを含むことができる。一般に、センサデータは、ｎ個の時系列のセンサ値を含むことができ、ｎは、正の整数である。各時系列のセンサ値は、本明細書に記載される聴診センサ、超音波センサ、または非聴診の非超音波センサのいずれかに関連することができる。各時系列は、オートエンコーダに渡され、コリレータ（内部層のセットとも称される）とデコーダを通って進み、抽出された特徴を出力する。例えば、オートエンコーダ、コリレータ、およびデコーダは、心拍数、血圧、血中酸素、または本明細書に記載される他の任意の臨床的に関連する特徴に関する、抽出された特徴を出力することができる。
【０１９４】
図１９は、聴診オーディオ信号を受信し、超音波撮像信号を送信および受信し、かつ聴診オーディオ信号と超音波撮像信号とを相関させる方法１９００を示す。
【０１９５】
第１の動作１９１０では、聴診オーディオ信号を対象から受信する。聴診オーディオ信号は、本明細書に記載される機械的ダイヤフラムを備える聴診器ヘッドによって受信することができる。
【０１９６】
第２の動作１９２０では、送信超音波撮像信号を対象に送信する。送信超音波撮像信号は、本明細書に記載される超音波トランスデューサによって送信することができる。
【０１９７】
第３の動作１９３０では、受信超音波撮像信号を対象から受信する。受信超音波撮像信号は、本明細書に記載される超音波トランスデューサによって受信することができる。
【０１９８】
第４の動作１９４０では、聴診オーディオ信号と受信超音波撮像信号とを相関させる。聴診オーディオ信号と受信超音波撮像信号とは、本明細書に記載されるモデルによって相関させることができる。
【０１９９】
方法１９００は、非聴診の非超音波信号を検出する動作（図１９には不図示）をさらに含むことができる。非聴診の非超音波信号は、本明細書に記載される非聴診の非超音波センサによって検出することができる。
【０２００】
方法１９００は、図８、図９、図１０、または図１１に関して本明細書に記載されるデバイスのような、本明細書に記載されるデバイスのいずれかによって実行することができる。
【０２０１】
本明細書で適用される方法１９００に基づく多くの変形、変更、および改造が可能である。例えば、方法１９００の動作の順序を変更すること、いくつかの動作を省くこと、いくつかの動作を複数回実行すること、付加的動作を適宜追加することができる。いくつかの動作は、連続して実行されてもよい。いくつかの動作は、平行して実行されてもよい。いくつかの動作は、一度に実行されてもよい。いくつかの動作は、複数回実行されてもよい。いくつかの動作は、サブ動作を含んでいてもよい。いくつかの動作が自動化され、いくつかの動作が手動であってもよい。
【０２０２】
本明細書に記載される聴診器デバイスは、送信超音波撮像信号をオーディオ信号で干渉させることによって、送信超音波撮像信号のビームステアリングを実行するように構成することができる。聴診器ヘッドは、オーディオ信号を対象に送信するためのオーディオトランスデューサを備えることができる。聴診器ヘッドは、送信超音波撮像信号をオーディオ信号で干渉させるための干渉回路を備えることができる。干渉回路は、超音波撮像信号を対象に誘導することができる。オーディオトランスデューサまたは干渉回路は、聴診器ヘッドのハウジングに取り外し可能に連結されていてもよい。オーディオトランスデューサまたは干渉回路は、聴診器ヘッドのハウジングに物理的に連結されていてもよい。オーディオトランスデューサまたは干渉回路は、聴診器ヘッドのハウジングに機能的に接続されていてもよい。
【０２０３】
干渉回路は、オーディオ信号に対する対象の応答のモデルに基づいて、送信超音波撮像信号をオーディオ信号で干渉させることができる。このモデルは、本明細書に記載される任意のモデルと同様であってもよい。このモデルは、超音波撮像信号をオーディオ信号と相関させて、抽出された特徴パラメータを生成することができる。このモデルは、超音波信号およびオーディオ信号を、それぞれ第１のおよび第２の重み関数でたたみ込むことによって超音波信号をオーディオ信号と相関させ、重みつき超音波信号および重みつきオーディオ信号をそれぞれ形成することができる。重みつき超音波信号および重みつきオーディオ信号は、重み信号に対して自動相関または相互相関を実行することによって相関されてもよい。このモデルは、超音波信号およびオーディオ信号を（フーリエ積分変換、フーリエ級数変換、Ｚ変換、ウェーブレット変換、余弦級数変換、正弦級数変換、テイラー級数変換、ローラン級数変換、ラプラス変換、アダマール変換、または任意の他の数学的変換によって）変換することによって、超音波信号をオーディオ信号と相関させ、変換超音波信号および変換オーディオ信号をそれぞれ生成することができる。変換超音波信号および変換オーディオ信号は、変換信号に対して自動相関または相互相関を実行することによって相関されてもよい。このモデルは、超音波信号およびオーディオ信号を、機械学習技術を使用して一組の特徴に符号化およびマッピングすることによって、該超音波信号およびオーディオ信号を相関させることができる。機械学習技術は、ニューラルネットワーク、スパース辞書、ディアボロネットワーク、または本明細書に記載される任意の他の機械学習技術とすることができる。
【０２０４】
図２０は、聴診オーディオ信号を受信し、超音波撮像信号を送信および受信し、オーディオ信号を送信し、送信超音波撮像信号とオーディオ信号とを干渉させて超音波撮像信号を誘導する方法２０００を示す。
【０２０５】
第１の動作２０１０では、聴診オーディオ信号を対象から受信する。聴診オーディオ信号は、本明細書に記載される機械的ダイヤフラムを備える聴診器ヘッドによって受信することができる。
【０２０６】
第２の動作２０２０では、送信超音波撮像信号を対象に送信する。送信超音波撮像信号は、本明細書に記載されるように、超音波トランスデューサによって送信することができる。
【０２０７】
第３の動作２０３０では、受信超音波撮像信号を対象から受信する。受信超音波撮像信号は、本明細書に記載されるように、超音波トランスデューサによって受信することができる。
【０２０８】
第４の動作２０４０では、オーディオ信号を対象に送信する。オーディオ信号は、本明細書に記載されるように、オーディオトランスデューサから送信することができる。
【０２０９】
第５の動作２０５０では、送信超音波撮像信号をオーディオ信号と干渉させて、超音波撮像信号を誘導する。送信超音波撮像信号およびオーディオ信号は、本明細書に記載されるように、干渉回路によって干渉させることができる。
【０２１０】
方法２０００は、非聴診の非超音波信号を検出する動作（図２０には不図示）をさらに含むことができる。非聴診の非超音波信号は、本明細書に記載されるように、非聴診の非超音波センサによって検出することができる。
【０２１１】
方法２０００は、本明細書に記載されるデバイスのいずれかによって実施することができる。
【０２１２】
本明細書で適用される方法２０００に基づく多くの変形、変更、および改造が可能である。例えば、方法２０００の動作の順序を変更すること、いくつかの動作を省くこと、いくつかの動作を複数回実行すること、付加的動作を適宜追加することができる。いくつかの動作は、連続して実行されてもよい。いくつかの動作は、平行して実行されてもよい。いくつかの動作は、一度に実行されてもよい。いくつかの動作は、複数回実行されてもよい。いくつかの動作は、サブ動作を含んでいてもよい。いくつかの動作が自動化され、いくつかの動作が手動であってもよい。
【０２１３】
図１２は、聴診器デバイスからの情報を情報システムにどのように送信することができるかを示す。本明細書に記載されるように、聴診器デバイスは、情報を送信または受信する能力を有することができる。聴診器デバイスは、センサデータまたは抽出された特徴などの送信情報を、様々な情報システムに送信することができる。情報は、容易な視覚化のために外部ディスプレイに送信され、機関のデータベース（医院、病院、または医院もしくは病院のネットワークに関連するデータベースなど）またはクラウドベースのヘルスシステムに格納することができる。したがって、情報は、その情報に関心のある機関によってアクセスすることができる。
【０２１４】
図１３は、聴診器デバイスからの情報が異なる個人または機関によってどのように利用されるかを示す図である。聴診器デバイスからの情報は、クラウドサーバに送信することができる。クラウドサーバは、情報にアルゴリズムを適用することができる。情報は、医療保険の携行と責任に関する法律（ＨＩＰＡＡ）に準拠したデータベースに格納されてもよい。情報は、看護師、医師（コンサルティング医師など）、救急医療技術者、または他の医療従事者によってアクセスされてもよい。情報は、例えば、患者の親によってアクセスされてもよい。
【０２１５】
［デジタル処理装置］
本明細書に記載されるシステム、装置、および方法は、デジタル処理デバイス、またはその使用を含み得る。デジタル処理デバイスは、デバイスの機能を実行する１つ以上のハードウェア中央処理装置（ＣＰＵ）を含むことができる。デジタル処理デバイスは、実行可能命令を実行するように構成されたオペレーティングシステムをさらに備えることができる。いくつかの例において、デジタル処理デバイスは、任意にコンピュータネットワークに接続され、任意にインターネットに接続されてワイルドワイドウェブにアクセスし、または任意にクラウドコンピューディングインフラストラクチャに接続される。他の例において、デジタル処理デバイスは、任意にイントラネットに接続される。他の例において、デジタル処理デバイスは、任意にデータ記憶装置に接続される。
【０２１６】
本明細書の記載によれば、好適なデジタル処理デバイスには、非限定的な例として、サーバコンピュータ、デスクトップコンピュータ、ラップトップコンピュータ、ノートブックコンピュータ、サブノートブックコンピュータ、ネットブックコンピュータ、ネットパッドコンピュータ、セットトップコンピュータ、メディアストリーミングデバイス、ハンドヘルドコンピュータ、インターネット機器、モバイルスマートフォン、タブレットコンピュータ、パーソナルデジタルアシスタント、ビデオゲームコンソール、および車両が含まれる。当業者は、多くのスマートフォンが本明細書に記載されるシステムでの使用に適していることを認識するであろう。当業者は、選択的なコンピュータネットワーク接続性を有する、選択されたテレビ、ビデオプレイヤー、およびデジタルミュージックプレイヤーが、本明細書に記載されるシステムでの使用に適していることもまた認識するであろう。好適なタブレットコンピュータには、当業者に知られている、ブックレット、スレート、およびコンバーチブル構成を備えるものが含まれ得る。
【０２１７】
デジタル処理デバイスは、実行可能命令を実行するように構成されたオペレーティングシステムを含むことができる。オペレーティングシステムは、例えば、プログラムおよびデータを含むソフトウェアとすることができ、デバイスのハードウェアを管理し、アプリケーションを実行するためのサービスを提供することができる。当業者は、適切なサーバオペレーティングシステムには、非限定的な例として、ＦｒｅｅＢＳＤ、ＯｐｅｎＢＳＤ、ＮｅｔＢＳＤ（登録商標）、Ｌｉｎｕｘ、Ａｐｐｌｅ（登録商標）Ｍａｃ  ＯＳ  Ｘ  Ｓｅｒｖｅｒ（登録商標）、Ｏｒａｃｌｅ（登録商標）Ｓｏｌａｒｉｅｓ（登録商標）、Ｗｉｎｄｏｗｓ  Ｓｅｒｖｅｒ（登録商標）、およびＮｏｖｅｌｌ（登録商標）ＮｅｔＷａｒｅ（登録商標）が含まれ得ることを認識するであろう。当業者は、適切なパーソナルコンピュータオペレーティングシステムには、非限定的な例として、Ｍｉｃｒｏｓｏｆｔ（登録商標）Ｗｉｎｄｏｗｓ（登録商標）、Ａｐｐｌｅ（登録商標）Ｍａｃ  ＯＳ  Ｘ（登録商標）、ＵＮＩＸ（登録商標）、およびＧＮＵ／Ｌｉｎｕｘ（登録商標）などのＵＮＩＸ系オペレーティングシステムが含まれ得ることを認識するであろう。場合によっては、オペレーティングシステムは、クラウドコンピューティングによって提供される。当業者は、適切なモバイルスマートフォンオペレーティングシステムには、非限定的な例として、Ｎｏｋｉａ（登録商標）Ｓｙｍｂｉａｎ（登録商標）ＯＳ、Ａｐｐｌｅ（登録商標）ｉＯＳ（登録商標）、Ｒｅｓｅａｒｃｈ  Ｉｎ  Ｍｏｔｉｏｎ（登録商標）ＢｌａｃｋＢｅｒｒｙ  ＯＳ（登録商標）、Ｇｏｏｇｌｅ（登録商標）Ａｎｄｒｏｉｄ（登録商標）、Ｍｉｃｒｏｓｏｆｔ（登録商標）Ｗｉｎｄｏｗｓ  Ｐｈｏｎｅ（登録商標）ＯＳ、Ｍｉｃｒｏｓｏｆｔ（登録商標）Ｗｉｎｄｏｗｓ  Ｍｏｂｉｌｅ（登録商標）ＯＳ、Ｌｉｎｕｘ（登録商標）、およびＰａｌｍ（登録商標）ＷｅｂＯＳ（登録商標）が含まれ得ることもまた認識するであろう。当業者は、適切なメディアストリーミングデバイスオペレーティングシステムには、非限定的な例として、Ａｐｐｌｅ  ＴＶ（登録商標）、Ｒｏｋｕ（登録商標）、Ｂｏｘｅｅ（登録商標）、Ｇｏｏｇｌｅ  ＴＶ（登録商標）、Ｇｏｏｇｌｅ  Ｃｈｒｏｍｅｃａｓｔ（登録商標）、Ａｍａｚｏｎ  Ｆｉｒｅ（登録商標）、およびＳａｍｓｕｎｇ（登録商標）ＨｏｍｅＳｙｎｃ（登録商標）が含まれ得ることもまた認識するであろう。当業者は、適切なビデオゲームコンソールオペレーティングシステムには、非限定的な例として、Ｓｏｎｙ（登録商標）ＰＳ３（登録商標）、Ｓｏｎｙ（登録商標）ＰＳ４（登録商標）、Ｍｉｃｒｏｓｏｆｔ（登録商標）Ｘｂｏｘ  ３６０（登録商標）、Ｍｉｃｒｏｓｏｆｔ（登録商標）  Ｘｂｏｘ  Ｏｎｅ、Ｎｉｎｔｅｎｄｏ（登録商標）Ｗｉｉ（登録商標）、Ｎｉｎｔｅｎｄｏ（登録商標）Ｗｉｉ  Ｕ（登録商標）、およびＯｕｙａ（登録商標）が含まれ得ることもまた認識するであろう。
【０２１８】
いくつかの例において、デバイスは、ストレージおよび／またはメモリデバイスを含むことができる。ストレージおよび／またはメモリデバイスは、データまたはプログラムを一時的または永久的に記憶するために使用される１つ以上の物理的装置とすることができる。いくつかの例において、デバイスは揮発性メモリであり、格納された情報を維持するために電力を必要とする。他の例において、デバイスは、不揮発性メモリであり、デジタル処理デバイスに電力が共有されていないときに、格納された情報を維持する。他の例において、不揮発性メモリはフラッシュメモリを含む。不揮発性メモリは、ダイナミックランダムアクセスメモリ（ＤＲＡＭ）を含むことができる。不揮発性メモリは、強誘電体ランダムアクセスメモリ（ＦＲＡＭ）を含むことができる。不揮発性メモリは、相変化ランダムアクセスメモリ（ＰＲＡＭ）を含むことができる。デバイスは、非限定的な例として、ＣＤ−ＲＯＭ、ＤＶＤ、フラッシュメモリデバイス、磁気ディスクドライブ、磁気テープドライブ、光ディスクドライブ、およびクラウドコンピュータベースのストレージを含む、ストレージデバイスとすることができる。ストレージおよび／またはメモリデバイスは、本明細書に開示されているようなデバイスの組合せであってもよい。
【０２１９】
デジタル処理デバイスは、視覚情報をユーザに送信するディスプレイを含むことができる。ディスプレイは、ブラウン管（ＣＲＴ）ディスプレイとすることができる。ディスプレイは、液晶ディスプレイ（ＬＣＤ）とすることができる。あるいは、ディスプレイは、薄膜トランジスタ液晶ディスプレイ（ＴＦＴ−ＬＣＤ）とすることができる。ディスプレイはさらに、有機発光ダイオード（ＯＬＥＤ）ディスプレイとすることができる。様々なケースにおいて、ＯＬＥＤディスプレイは、パッシブマトリクスＯＬＥＤ（ＰＭＯＬＥＤ）またはアクティブマトリクスＯＬＥＤ（ＡＭＯＬＥＤ）ディスプレイである。ディスプレイは、ビデオプロジェクタであってもよい。ディスプレイは、本明細書に開示されるようなデバイスの組合せであってもよい。
【０２２０】
デジタル処理デバイスはまた、ユーザから情報を受信するための入力デバイスを含むことができる。例えば、入力デバイスは、キーボードとすることができる。入力デバイスは、例えば、非限定的な例として、マウス、トラックボール、トラックパッド、ジョイスティック、ゲームコントローラ、またはスタイラスを含む、ポインティングデバイスであってもよい。入力デバイスは、タッチスクリーンまたはマルチタッチスクリーンとすることができる。入力デバイスは、音声または他の音声入力を捕捉するためのマイクロフォンであってもよい。入力デバイスは、モーションまたはビジュアル入力を捕捉するビデオカメラまたは他のセンサとすることができる。あるいは、入力デバイスは、Ｋｉｎｅｃｔ（商標）、Ｌｅａｐ  Ｍｏｔｉｏｎ（商標）などであってもよい。さらなる態様において、入力デバイスは、本明細書に開示されるようなデバイスの組合せとすることができる。
【０２２１】
［非一時的コンピュータ可読記憶媒体］
いくつかの例において、本明細書に開示されるシステム、装置、および方法は、選択的にネットワーク化されたデジタル処理装置のオペレーティングシステムによって実行可能な命令を含むプログラムでエンコードされた、１つ以上の固定コンピュータ可読記憶媒体を含むことができる。他の例において、コンピュータ可読記憶媒体は、デジタル処理デバイスの有形のコンポーネントである。さらに他の例において、コンピュータ可読記憶媒体は、デジタル処理デバイスから任意に取り外すことができる。コンピュータ可読記憶媒体は、非限定的な例として、ＣＤ−ＲＯＭ、ＤＶＤ、フラッシュメモリデバイス、ソリッドステートメモリ、磁気ディスクドライブ、磁気テープドライブ、光ディスクドライブ、クラウドコンピューディングシステムおよびサービスなどを含むことができる。場合によっては、プログラムおよび命令は、媒体に、永久的に、実質的に永久的に、半永久的に、または非一時的に符号化される。
【０２２２】
［コンピュータプログラム］
本明細書に開示されるシステム、装置、および方法は、少なくとも１つのコンピュータプログラムまたはその使用を含むことができる。コンピュータプログラムは、デジタル処理デバイスのＣＰＵ内で実行下方であり、指定されたタスクを実行するために書き込まれた一連の命令を含む。いくつかの実施形態において、コンピュータ可読命令は、特定のタスクを実行するか、または特定の抽象データタイプを実装する、機能、オブジェクト、アプリケーションプログラミングインタフェース（ＡＰＩｓ）、データ構造などのプログラムモジュールとして実装される。本明細書の開示に照らして、当業者は、特定の実施形態において、コンピュータプログラムが様々な言語の様々なバージョンで書き込まれていることを認識するであろう。
【０２２３】
コンピュータ可読命令の機能性は、様々な環境において所望されるように組み合わせるか、または分散させることができる。コンピュータプログラムは、１つの命令シーケンスを含むことができる。コンピュータプログラムは、複数の命令シーケンスを含むことができる。場合によっては、コンピュータプログラムは、１つの場所から提供される。他の例において、コンピュータプログラムは、複数の場所から提供される。さらに他の場合、コンピュータプログラムは、１つ以上のソフトウェアモジュールを含むことができる。場合によっては、コンピュータプログラムは、部分的にまたは全体として、１つ以上のウェブアプリケーション、１つ以上のモバイルアプリケーション、１つ以上のスタンドアロンアプリケーション、１つ以上のウェブブラウザプラグイン、拡張、アドイン、もしくはアドオン、またはそれらの組合せを含むことができる。
【０２２４】
［ウェブアプリケーション］
コンピュータプログラムは、ウェブアプリケーションを含むことができる。本明細書の開示に照らして、当業者は、ウェブアプリケーションが様々な態様において１つ以上のソフトウェアフレームワークおよび１つ以上のデータベースシステムを利用することを認識するであろう。場合によっては、ウェブアプリケーションは、ｍｉｃｒｏｓｏｆｔ（登録商標）．ＮＥＴまたはＲｕｂｙ  ｏｎＲａｉｌｓ（ＲｏＲ）などのソフトウェアフレームワーク上に作成される。場合によっては、ウェブアプリケーションは、非限定的な例として、例えば、リレーショナルの、非リレーショナルの、オブジェクト指向の、連想の、およびＸＭＬデータベースシステムを含む、１つ以上のデータベースシステムを利用する。場合によっては、適切な連想データベースシステムは、非限定的な例として、Ｍｉｃｒｏｓｏｆｔ（登録商標）ＳＱＲ  Ｓｅｒｖｅｒ、ｍｙＳＱＬ（商標）、およびＯｒａｃｌｅ（登録商標）を含むことができる。当業者であれば、様々な例におけるウェブアプリケーションは、１つ以上の言語の１つ以上のバーションで書き込まれることもまた認識するであろう。ウェブアプリケーションは、１つ以上のマークアップ言語、プレゼンテーション定義言語、クライアントサイドスクリプト言語、サーバサイドコーディング言語、データベースクエリ言語、またはそれらの組合せで書き込むことができる。ウェブアプリケーションは、ＨＴＭＬ（Ｈｙｐｅｒｔｅｘｔ  Ｍａｒｋｕｐ  Ｌａｎｇｕａｇｅ）、ＸＨＴＭＬ（Ｅｘｔｅｎｓｉｂｌｅ  Ｈｙｐｅｒｔｅｘｔ  Ｍａｒｋｕｐ  Ｌａｎｇｕａｇｅ）、またはＸＭＬ（Ｅｘｔｅｎｓｉｂｌｅ  Ｍａｒｋｕｐ  Ｌａｎｇｕａｇｅ）のようなマークアップ言語である程度書き込まれていてもよい。場合によっては、ウェブアプリケーションは、ＣＳＳ（Ｃａｓｃａｄｉｎｇ  Ｓｔｙｌｅ  Ｓｈｅｅｔ）のようなプレゼンテーション定義言語である程度書き込まれる。ウェブアプリケーションは、ＡＪＡＸ（Ａｓｙｎｃｈｒｏｎｏｕｓ  Ｊａｖａｓｃｒｉｐｔ  ａｎｄ  ＸＭＬ）、Ｆｌａｓｈ（登録商標）Ａｃｔｉｏｎｓｃｒｉｐｔ、Ｊａｖａｓｃｒｉｐｔ、またはＳｉｌｖｅｒｌｉｇｈｔ（登録商標）などの、クライアントサイドスクリプト言語である程度書き込まれていてもよい。ウェブアプリケーションは、ＡＳＰ（Ａｃｔｉｖｅ  Ｓｅｒｖｅｒ  Ｐａｇｅｓ）、ＣｏｌｄＦｕｓｉｏｎ（登録商標）、Ｐｅｒｌ、Ｊａｖａ（商標）、ＪＳＰ（ＪａｖａＳｅｒｖｅｒ Ｐａｇｅｓ）、ＰＨＰ（Ｈｙｐｅｒｔｅｘｔ  Ｐｒｅｐｒｏｃｅｓｓｏｒ）、Ｐｙｔｈｏｎ（商標）、Ｔｃｌ、Ｓｍａｌｌｔａｌｋ、ＷｅｂＤＮＡ（登録商標）、またはＧｒｏｏｖｙなどの、サーバサイドコーディング言語である程度書き込まれていてもよい。場合によっては、ウェブアプリケーションは、ＳＱＬ（Ｓｔｒｕｃｔｕｒｅｄ  Ｑｕｅｒｙ  Ｌａｎｇｕａｇｅ）などのデータベースクエリ言語である程度書き込まれていてもよい。また、ウェブアプリケーションは、ＩＢＭ（登録商標）Ｌｏｔｕｓ  Ｄｏｍｉｎｏ（登録商標）などのエンタープライズサーバ製品を統合していてもよい。場合によっては、ウェブアプリケーションは、メディアプレイヤー要素を含む。様々な他の例において、メディアプレイヤー要素���、例えば、非限定的な例として、Ａｄｏｂｅ（登録商標）Ｆｌａｓｈ（登録商標）、ＨＴＭＬ  ５、Ａｐｐｌｅ（登録商標）ＱｕｉｃｋＴｉｍｅ（登録商標）、Ｍｉｃｒｏｓｏｆｔ（登録商標）Ｓｉｌｖｅｒｌｉｇｈｔ（登録商標）、Ｊａｖａ（商標）、およびＵｎｉｔｙ（登録商標）を含む、多くの適切なマルチメディア技術の１つ以上を利用する。
【０２２５】
［モバイルアプリケーション］
コンピュータプログラムは、モバイルデジタル処理デバイスに提供されるモバイルアプリケーションを含むことができる。場合によっては、モバイルアプリケーションは、製造時に、モバイルデジタル処理デバイスに提供される。場合によっては、モバイルアプリケーションは、本明細書に記載されるコンピュータネットワークを介して、モバイルデジタル処理デバイスに提供される。
【０２２６】
本明細の開示に照らして、モバイルアプリケーションは、当業者に既知の技術によって、当業者に既知のハードウェア、言語、および開発環境を使用して作成される。当業者は、モバイルアプリケーションがいくつかの言語で書かれていることを認識するであろう。適切なプログラム言語には、非限定的な例として、Ｃ、Ｃ＋＋、Ｃ＃、Ｏｂｊｅｃｔｉｖｅ−Ｃ、Ｊａｖａ（商標）、Ｊａｖａｓｃｒｉｐｔ、Ｐａｓｃａｌ、Ｏｂｊｅｃｔ  Ｐａｓｃａ、Ｐｙｔｈｏｎ（商標）、Ｒｕｂｙ、ＶＢ．ｎｅｔ、ＷＭＬ、およびＣＳＳを伴う／伴わないＸＨＴＭＬ／ＨＴＭＬ、またはそれらの組合せが含まれる。
【０２２７】
適切なモバイルアプリケーションの開発環境は、いくつかのソースから入手可能である。市販の開発環境には、非限定的な例として、ＡｉｒｐｌａｙＳＤＫ、ａｌｃｈｅＭｏ、Ａｐｐｃｅｌｅｒａｔｏｒ（登録商標）、Ｃｅｌｓｉｕｓ、Ｂｅｄｒｏｃｋ、Ｆｌａｓｈ  Ｌｉｔｅ、．ＮＥＴ  Ｃｏｍｐａｃｔ  Ｆｒａｍｅｗｏｒｋ、Ｔｈｏｍｏｂｉｌｅ、およびＷｏｒｋＬｉｇｈｔ  Ｍｏｂｉｌｅ  Ｐｌａｔｆｏｒｍが含まれる。他の開発環境が費用なしで利用可能であり、非限定的な例として、Ｌａｚａｒｕｓ、ＭｏｂｉＦｌｅｘ、ＭｏＳｙｎｃ、およびＰｈｏｎｅｇａｐが含まれる。
【０２２８】
また、モバイルデバイスメーカは、非限定的な例として、ｉＰｈｏｎｅおよびｉＰａｄ（ｉＯＳ）ＳＤＫ、Ａｎｄｒｏｉｄ（商標）ＳＤＫ、ＢｌａｃｋＢｅｒｒｙ（登録商標）ＳＤＫ、ＢＲＥＷ  ＳＤＫ、Ｐａｌｍ（登録商標）ＯＳ  ＳＤＫ、Ｓｙｍｂｉａｎ  ＳＤＫ、ｗｅｂＯＳ  ＳＤＫ、およびＷｉｎｄｏｗｓ（登録商標）Ｍｏｂｉｌｅ  ＳＤＫを含む、ソフトウェア開発キットを配布する。
【０２２９】
当業者は、非限定的な例として、Ａｐｐｌｅ（登録商標）ＡｐｐＳｔｏｒｅ、Ａｎｄｒｏｉｄ（商標）Ｍａｒｋｅｔ、ＢｌａｃｋＢｅｒｒｙ（登録商標）Ａｐｐ  Ｗｏｒｌｄ、Ａｐｐ  Ｓｔｐｒｅ  ｆｏｒ  Ｐａｌｍ  ｄｅｖｉｃｅｓ、Ａｐｐ  Ｃａｔａｌｏｇ  ｆｏｒ  ｗｅｂＯＳ、Ｗｉｎｄｏｗｓ（登録商標）Ｍａｒｋｅｔｐｌａｃｅ  ｆｏｒ  Ｍｏｂｉｌｅ、Ｏｖｉ  Ｓｔｏｒｅ  ｆｏｒ  Ｎｏｋｉａ（登録商標）ｄｅｖｉｃｅｓ、Ｓａｍｓｕｎｇ（登録商標）Ａｐｐｓ、およびＮｉｎｔｅｎｄｏ（登録商標）ＤＳｉ  Ｓｈｏｐを含むモバイルアプリケーションの配信のために、いくつかの商業用フォーラムが利用可能であることを認識するであろう。
【０２３０】
［スタンドアロンアプリケーション］
コンピュータプログラムは、独立したコンピュータプロセスとして実行され、既存のプロセスに対するアドオン、例えば、プラグインではないプログラムである、スタンドアロンアプリケーションを含むことができる。当業者は、スタンドアロンアプリケーションがしばしばコンパイルされることを認識するであろう。コンパイラとは、プログラミング言語で書かれたソースコードを、アセンブリ言語やマシンコードなどのバイナリオブジェクトコードに変換するコンピュータプログラムである。適切なコンパイルされたプログラミング言語には、非限定的な例として、Ｃ、Ｃ＋＋、Ｏｂｊｅｖｔｉｖｅ−Ｃ。ＣＯＢＯＬ、Ｄｅｌｐｈｉ、Ｅｉｆｆｅｌ、Ｊａｖａ（商標）、Ｌｉｓｐ、Ｐｙｔｈｏｎ（商標）、Ｖｉｓｕａｌ  Ｂａｓｉｃ、およびＶＢ．ＮＥＴ、またはそれらの組合せが含まれる。コンパイルは、実行可能プログラムを作成するために、少なくとも部分的に実行されることがよくある。コンピュータプログラムは、１つ以上の実行可能なコンパイルされたアプリケーションを含むことができる。
【０２３１】
［ウェブブラウザプラグイン］
コンピュータプログラムは、ウェブブラウザプラグインを含むことができる。コンピューティングにおいて、プラグインは、より大きなソフトウェアアプリケーションに対して特定の機能を追加する、１つ以上のソフトウェアコンポーネントである。ソフトウェアアプリケーションのメーカは、サードパーティの開発者がアプリケーションを拡張する機能を作成し、新しい機能を簡単に追加したり、アプリケーションのサイズを縮小したりできるようにするプラグインをサポートしている。プラグインをサポートすると、プラグインは、ソフトウェアアプリケーションの機能をカスタマイズすることができる。例えば、ビデオを再生し、インタラクティビティを生成し、ウィルスをスキャンし、特定のファイルタイプを表示するために、プラグインはウェブブラウザで一般的に使用されている。当業者は、Ａｄｏｂｅ（登録商標）Ｆｌａｓｈ（登録商標）Ｐｌａｙｅｒ、Ｍｉｃｒｏｓｏｆｔ（登録商標）Ｓｉｌｖｅｒｌｉｇｈｔ（登録商標）、およびＡｐｐｌｅ（登録商標）ＱｕｉｃｋＴｉｍｅを含む、いくつかのウェブブラウザプラグインをよく知っている。いくつかの実施形態では、ツールバーが、１つ以上のウェブブラウザ拡張、アドイン、またはアドオンを含んでいる。いくつかの実施形態では、ツールバーが、１つ以上のエクスプローラバー、ツールバー、またはデスクバンドを含んでいる。
【０２３２】
本明細書の開示に照らして、当業者であれば、非限定的な例として、Ｃ＋＋、Ｄｅｌｐｈｉ、Ｊａｖａ（商標）、ＰＨＰ、Ｐｙｔｈｏｎ（商標）、およびＶＢ．ＮＥＴ、またはそれらの組合せを含む、様々なプログラミング言語でのプラグインの開発を可能にするいくつかのプラグインフレームワークが利用可能であることを認識するであろう。
【０２３３】
ウェブブラウザ（インターネットブラウザとも称される）は、ネットワーク接続されたデジタル処理デバイスとともに使用し、ワールドワイドウェブ上の情報資源を検索、提示、横断するように設計されたソフトウェアアプリケーションであり得る。適切なウェブブラウザには、非限定的な例として、ｍｉｃｒｏｓｏｆｔ（登録商標）Ｉｎｔｅｒｎｅｔ  Ｅｘｐｌｏｒｅｒ（登録商標）、Ｍｏｚｉｌｌａ（登録商標）Ｆｉｒｅｆｏｘ（登録商標）、Ｇｏｏｇｌｅ（登録商標）Ｃｈｒｏｍｅ、Ａｐｐｌｅ（登録商標）Ｓａｆａｒｉ（登録商標）、Ｏｐｅｒａ  Ｓｏｆｔｗａｒｅ（登録商標）Ｏｐｅｒａ（登録商標）、およびＫＤＥ  Ｋｏｎｑｕｅｒｏｒが含まれる。いくつかの実施形態において、ウェブブラウザは、モバイルウェブブラウザである。モバイルウェブブラウザ（マイクロブラウザ、ミニブラウザ、および無線ブラウザとも称される）は、非限定的な例として、ハンドヘルドコンピュータ、タブレットコンピュータ、ネットブックコンピュータ、サブノートブックコンピュータ、スマートフォン、ミュージックプレイヤー、パーソナルデジタルアシスタント（ＰＤＡ）、およびハンドヘルドビデオゲームシステムを含む、モバイルデジタル処理デバイス上での使用のために設計されている。適切なモバイルウェブブラウザには、非限定的な例として、Ｇｏｏｇｌｅ（登録商標）Ａｎｄｒｏｉｄ（登録商標）ブラウザ、ＲＩＭ  ＢｌａｃｋＢｅｒｒｙ（登録商標）ブラウザ、Ａｐｐｌｅ（登録商標）Ｓａｆａｒｉ（登録商標）、Ｐａｌｍ（登録商標）Ｂｌａｚｅｒ、Ｐａｌｍ（登録商標）ＷｅｂＯＳ（登録商標）ブラウザ、Ｍｏｚｉｌｌａ（登録商標）Ｆｉｒｅｆｏｘ（登録商標）ｆｏｒ  ｍｏｂｉｌｅ、Ｍｉｃｒｏｓｏｆｔ（登録商標）Ｉｎｔｅｒｎｅｔ  Ｅｘｐｌｏｒｅｒ（登録商標）Ｍｏｂｉｌｅ、Ａｍａｚｏｎ（登録商標）Ｋｉｎｄｌｅ（登録商標）Ｂａｓｉｃ  Ｗｅｂ、Ｎｏｋｉａ（登録商標）ブラウザ、Ｏｐｅｒａ  Ｓｏｆｔｗａｒｅ（登録商標）Ｏｐｅｒａ（登録商標）Ｍｏｂｉｌｅ、およびＳｏｎｙ（登録商標）ＰＳＰ（商標）ブラウザが含まれる。
【０２３４】
［ソフトウェアモジュール］
本明細書に記載されるシステムおよび方法は、ソフトウェアモジュール、サーバモジュール、および／もしくはデータベースモジュール、またはそれらの使用を含むことができる。本明細書の開示に照らして、ソフトウェアモジュールは、当技術分野で既知の機械、ソフトウェア、および言語を使用して、当業者に既知の技術によって作成することができる。本明細書に開示されるソフトウェアモジュールは、多数の方法で実装することができる。ソフトウェアモジュールは、ファイル、コードセクション、プログラミングオブジェクト、プログラミング構造、またはそれらの組合せを含むことができる。ソフトウェアモジュールは、複数のファイル、複数のコードセクション、複数のプログラミングオブジェクト、複数のプログラミング構造、またはそれらの組合せを含むことができる。様々な態様において、１つ以上のソフトウェアモジュールは、非限定的な例として、ウェブアプリケーション、モバイルアプリケーション、およびスタンドアロンアプリケーションを含む。いくつかの例において、ソフトウェアモジュールは、１つのコンピュータプログラムまたはアプリケーション内にある。他の例において、ソフトウェアモジュールは、１つ以上のコンピュータプログラムまたはアプリケーション内にある。場合によっては、ソフトウェアモジュールは、１台のマシン上でホストされる。他の場合、ソフトウェアモジュールは、複数のマシン上でホストされる。場合によっては、ソフトウェアモジュールは、クラウドコンピューティングプラットフォーム上でホストされ得る。また、ソフトウェアモジュールは、１つの場所にある１つ以上のマシンでホストされ得る。さらに他の場合、ソフトウェアモジュールは、複数の場所にある１つ以上のマシンでホストされる。
【０２３５】
［データベース］
本明細書に開示される方法、装置、およびシステムは、１つ以上のデータベース、またはそれらの使用を含むことができる。本明細書の開示に照らして、当業者は、多くのデータベースが、本明細書の他の箇所に記載された分析情報の保存および検索に適していることを認識するであろう。本明細書に記載される様々な態様において、適切なデータベースは、非限定的な例として、リレーショナルデータベース、非リレーショナルデータベース、オブジェクト指向データベース、オブジェクトデータベース、エンティティ関係モデルデータベース、連想データベース、およびＸＭＬデータベースを含むことができる。データベースは、インターネットに基づくものであってもよい。データベースは、ウェブに基づくものであってもよい。データベースは、クラウドコンピューティングに基づくものであってもよい。あるいは、データベースは、１つ以上のローカルコンピュータ記憶装置に基づくものであってもよい。
【０２３６】
［サービス］
本明細書に記載される方法およびシステムは、サービスとしてさらに実行されてもよい。例えば、サービスプロバイダは、顧客が分析することを望んでいるサンプルを取得することができる。次いで、サービスプロバイダは、本明細書に記載される方法のいずれかによって分析するサンプルを符号化し、分析を実行し、顧客にレポートを提供することができる。顧客もまた分析を実行することができ、その結果をサービスプロバイダに提供してデコードすることができる。いくつかの例では、次いで、サービスプロバイダは、デコードされた結果を顧客に提供する。他の例では、顧客は、サンプルの符号化された分析をプロバイダから受信し、ローカル（顧客のいる場所）に、または遠隔（例えば、ネットワークを介して到達可能なサーバ上）にインストールされたソフトウェアとその結果を相互作用させることによって、該分析結果を復号化することができる。場合によっては、ソフトウェアがレポートを作成し、該レポートを顧客に送信することができる。例示的な顧客には、臨床研究室、病院、工業整合業者などが含まれる。場合によっては、顧客またはパーティは、本明細書に記載される方法を使用することを必要としているか、または望んでいる、任意の適切な顧客またはパーティであってもよい。
【０２３７】
［サーバ］
本明細書に提供される方法は、図１４に示すように、サーバまたはコンピュータサーバ上で処理することができる。サーバ１４０１は、中央処理装置（ＣＰＵ、「プロセッサ」）１４０５を含むことができ、該中央処理装置は１４０５、シングルコアプロセッサ、マルチコアプロセッサ、または並列処理のための複数のプロセッサとすることができる、制御アセンブリの一部として使用されるプロセッサは、マイクロプロセッサとすることができる。サーバ１４０１は、メモリ１４１０（例えば、ランダムアクセスメモリ、リードオンリーメモリ、フラッシュメモリ）；電子記憶ユニット１４１５（例えば、ハードディスク）；１つ以上の他のシステムと通信するための通信インタフェース１４２０（例えば、ネットワークアダプタ）；およびキャッシュ、他のメモリ、データ記憶装置、および／または電子ディスプレイアダプタを含む、周辺デバイス１４２５を含むことができる。メモリ１４１０、記憶ユニット１４１５、インタフェース１４２０、および周辺デバイス１４２５は、マザーボードなどの通信バス（実線）を介してプロセッサ１４０５と通信することができる。記憶ユニット１４１５は、データを記憶データ記憶部であってもよい。サーバ１４０１は、通信インタフェース１４２０の助けを借りて、コンピュータネットワーク（「ネットワーク」）１４３０に動作可能に接続することができる。追加のハードウェアの助けを借りたプロセッサは、ネットワークに動作可能に接続することができる。ネットワーク１４３０は、インターネット、イントラネットおよび／またはエクストラネット、電気通信またはデータネットワークと通信するイントラネットおよび／またはエクストラネットであってもよい。サーバ１４０１の助けを借りたネットワーク１４３０は、ピアツーピアネットワークを実装することができ、サーバ１４０１に接続されたデバイスがクライアントまたはサーバとして動作することを可能にできる。サーバは、コンピュータ可読命令（例えば、デバイス／システム動作プロトコルまたはパラメータ）またはデータ（例えば、センサの測定値、センサの測定値の分析など）を、ネットワーク１４３０を介して転送される電気信号を介して送信および受信することができる。さらに、ネットワークは、例えば、国際境界を越えてデータを送信または受信するために使用することができる。
【０２３８】
サーバ１４０１は、ディスプレイもしくはプリンタなどの１つ以上の出力デバイス１４３５と、および／または、例えば、キーボード、マウス、もしくはジョイスティックなどの１つ以上の入力デバイス１４４０と、通信することができる。ディスプレイは、タッチスクリーンであってもよく、その場合、ディスプレイは、ディスプレイデバイスと入力デバイスの両方として機能する。異なるおよび／または追加の入力デバイス、例えば、発音器、スピーカ、またはマイクロフォンがあってもよい。サーバは、例えば、Ｗｉｎｄｏｗｓ（登録商標）の、またはＭａｃＯＳ（登録商標）の、またはＵｎｉｘ（登録商標）の、またはＬｉｎｕｘ（登録商標）のいくつかのバーションの任意の１つのような、様々なオペレーティングシステムの任意の１つを使用することができる。
【０２３９】
記憶ユニット１４１５は、本明細書に記載されるデバイス、システムまたは方法の動作に関するファイルまたはデータを格納することができる。
【０２４０】
サーバは、ネットワーク１４３０を介して、１つ以上のリモートコンピュータシステムと通信することができる。１つ以上おリモートコンピュータシステムには、例えば、パーソナルコンピュータ、ラップトップ、タブレット、電話、スマートフォン、またはパーソナルデジタルアシスタントが含まれ得る。
【０２４１】
制御アセンブリは、単一のサーバ１４０１を含むことができる。他の状況において、システムは、イントラネット、エクストラネットおよび／またはインターネットを介してそう度に通信する複数のサーバを含むことができる。
【０２４２】
サーバ１４０１は、デバイス動作パラメータ、プロトコル、本明細書に記載される方法、および潜在的に関連性のある他の情報を格納するように適合されていてもよい。そのような情報は、記憶ユニット１４１５またはサーバ１４０１に格納することができ、また、そのようなデータは、ネットワークを介して送信することができる。
【実施例】
【０２４３】
本明細書に記載されるデバイスおよび方法は、サンプルから様々な情報を取得するために使用することができる。サンプルは、生きたサンプルとすることができ、ヒトや、ヒト以外の霊長類、ウマ、またはウシもしくはヒツジなどの家畜、イヌ、ネコ、鳥、マウス、または任意の他の動物のようなヒト以外の動物対象などであってもよい。本明細書に記載されるシステムおよび方法は、ヒトまたはヒト以外の対象における様々な健康状態を検出または診断するために使用することができる。例えば、このシステムおよび方法は、脳、心臓、肺、胃、小腸、大腸、肝臓、腎臓、結腸、またはヒトもしくはヒト以外の対象の任意の他の内臓の１つ以上に関連する、傷害または状態を検出するために使用することができる。このシステムおよび方法は、骨（骨折など）、結合組織（軟骨の裂傷など）、または血管（動脈瘤など）の１つ以上に関連する傷害または状態を検出するために使用することができる。
【０２４４】
本明細書に記載されるデバイスおよび方法は、ヒトまたはヒト以外の対象の内部における、腫瘍、骨折した骨、破裂した血管系、裂傷した器官、または遊離腹水の存在を知るために利用することができる。さらに、このデバイスおよび方法は、ヒトまたはヒト以外の対象における以下の状態のいずれかを特定するために利用することができる：静脈穿刺、中心線配置、胆石、気胸、胸水、肺炎、心機能、心膜液貯留、心タンポナーデ、膀胱容積、腸閉塞、器官構造機能異常、扁桃周囲膿瘍、表在性または深部膿瘍、蜂巣炎、流体状態、腹腔大静脈解離、頸動脈内膜厚、頸動脈解離、腹部大動脈瘤、大動脈解離、および妊娠。
【０２４５】
図１５は、血圧を監視するための、改良された聴診器デバイスの使用状態を示す。聴診器デバイスは、本明細書に記載される任意の聴診器デバイスとすることができる。
特に、聴診器デバイスは、第１の超音波トランスデューサ、光源、および光検出器を備えることができる。聴診器デバイスは、任意に、第２の超音波トランスデューサを備えることができる。第１の超音波トランスデューサは、Ｔｘモードで動作することができる。第２の超音波トランスデューサは、受信モードで動作することができる。聴診器デバイスは、被験体の皮膚（被験体の腕の皮膚など）の上に配置することができる。大量の血液が被験体の皮膚の下の動脈を通って流れるので、聴診器デバイスは、第１の超音波トランスデューサから超音波信号を送信し、光源から光信号を送信することができる。超音波信号または光信号は、ボーラスから散乱され、分散され、または反射されてもよい。散乱され、分散されまたは反射された超音波信号または光信号は、第２の超音波トランスデューサまたは光検出器によってそれぞれ検出され得る。散乱され、分散され、または反射された超音波信号の強度は、送信された超音波信号または送信された光信号の強度とそれぞれ比較され得る。これらの測定は、超音波撮像信号および光信号によってそれぞれ測定された血液ボーラスの速度をもたらし得る。超音波撮像信号によって測定される血液ボーラスの速度は、光信号によって測定される血液ボーラスの速度によって正規化されてもよく、またはその逆であってもよい。図１６に関して本明細書に記載されるように、これらの値を合成および相関して、被験体の心拍数、血圧、または呼吸などの、被験体の１つ以上の生理学的現象を決定することができる。
【０２４６】
図１６は、血液ボーラスの超音波および光学測定に関連する生理学的パラメータを決定するための、マルチ入力マルチ出力（ＭＩＭＯ）相関を示す。ＭＩＭＯ相関は、本明細書に記載される機械学習または統計モデルなど、本明細書に記載されるモデリング技術のいずれかを利用することができる。ＭＩＭＯ相関は、超音波撮像信号と光信号との間に、固有の相関を生成することができる。固有の相関は、本明細書に記載されるいずれの生理学的情報の抽出を可能にすることができる。ＭＩＭＯ相関は、さもなければ雑音によって難読化され得る信号の抽出を可能にすることができる。
【０２４７】
本明細書に記載されるデバイスおよび方法は、本明細書に記載される医療分野以外の分野での用途に利用することができる。例えば、このデバイスおよび方法は、車両のエンジンまたはトランスミッションなどの機械システムの内部状態に関する情報を提供するために使用することができる。聴診器機能は、エンジンまたはトランスミッションの機械的プロセスにおける異常を検出するために使用することができる。超音波機能は、エンジンまたはトランスミッションを画像化して、それらが持続的な内部損傷を有するかどうかを判断するために使用することができる。非聴診の非超音波センサは、エンジンまたはトランスミッションの状態に関する追加情報（その温度など）を提供することができる。
【０２４８】
このデバイスおよび方法は、インフラストラクチャの非破壊試験に使用することもできる。例えば、このデバイスおよび方法は、コンクリートの内部構造（道路または高速道路、架橋、建物、または他の構造物）を検査するために使用して、コンクリート内のコンクリートや金属鉄筋が損傷しているかどうかを判定することができる。このデバイスおよび方法は、パイプラインの内部構造を検査するために使用して、それらが損傷しているかどうかを判定し、人命、財産または環境に対する脅威を表すことができる。
【０２４９】
本明細書に記載されるデバイスおよび方法は、石、レンガ、木材、シートロック、断熱材、プラスチック配管、ポリ塩化ビニル（ＰＶＣ）配管、ガラス繊維、または塗料などの、他の建築材料の内部構造を検査するために使用することができる。
【０２５０】
本発明の好適な実施形態を本明細書に示して説明してきたが、そのような実施形態が単なる例示として提供されていることは、当業者には明らかであろう。本発明は、本明細書中に提供される特定の例によって限定されるものではない。本発明を上述の明細書を参照して説明してきたが、本明細書の実施形態の説明および図解は、限定的な意味で解釈されることを意図するものではない。当業者には、本発明の範囲から逸脱することなく、数多くの変形、変更、および置換を行うことが可能であろう。さらに、本発明のすべての態様は、様々な条件および変数に依存する本明細書に記載される特定の描写、構成または相対的な非率に限定されないことを理解されたい。本明細書に記載される実施形態に対する様々な代替物が、本発明の実施において最小され得ることを理解されたい。したがって、本発明は、そのような代替、修正、変形または均等物も網羅することが意図される。以下の特許請求の範囲が本発明の範囲を定義し、これらの特許請求の範囲内の方法および構造、ならびにそれらの均等物が本発明によってカバーされることが意図される。
【０２５１】
［本発明の他の態様］
態様１：聴診器デバイスであって：
対象からの聴診オーディオ信号を受信するための機械的ダイヤフラムを備える、聴診器ヘッドと；
第１の送信超音波撮像信号を第１の周波数で対象に送信し、第１の受信超音波撮像信号を第１の周波数で対象から受信する、第１の超音波トランスデューサと；
第２の送信超音波撮像信号を第１の周波数とは異なる第２の周波数で対象に送信し、第２の受信超音波撮像信号を第２の周波数で対象から受信する、第２の超音波トランスデューサと；を備え、
第１および第２の超音波トランスデューサは、互いに同時に送信および受信する、聴診器デバイス。
【０２５２】
態様２：第１の送信超音波撮像信号の周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択され：かつ第２の送信超音波撮像信号の周波数は、０．５ＭＨｚ〜３０ＭＨｚの周波数範囲内にある、態様１に記載の聴診器デバイス。
【０２５３】
態様３：第１の受信超音波撮像信号の周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択され；かつ第２の受信超音波撮像信号の周波数は、０．５ＭＨｚ〜３０ＭＨｚの周波数範囲内にある、態様１または２に記載の聴診器デバイス。
【０２５４】
態様４：第１の送信超音波撮像信号の周波数は、０．５ＭＨｚ〜３０ＭＨｚの周波数範囲内にあり、第２の送信超音波撮像信号の周波数は、０．５ＭＨｚ〜３０ＭＨｚの周波数範囲内にありかつ第１の送信超音波撮像信号の周波数とは異なる、態様１〜３のいずれか１つに記載の聴診器デバイス。
【０２５５】
態様５：第１の受信超音波撮像信号の周波数は、０．５ＭＨｚ〜３０ＭＨｚの周波数範囲内にあり、第２の受信超音波撮像信号の周波数は、０．５ＭＨｚ〜３０ＭＨｚの周波数範囲内にありかつ第１の受信超音波撮像信号の周波数とは異なる、態様１〜４のいずれか１つに記載の聴診器デバイス。
【０２５６】
態様６：第１の受信超音波撮像信号は、第２の受信超音波撮像信号によって正規化される、態様１〜５のいずれか１つに記載の聴診器デバイス。
【０２５７】
態様７：第１の受信超音波撮像信号の周波数は、０．５ＭＨｚ〜３０ＭＨｚの周波数範囲内にあり、第２の受信超音波撮像信号の周波数は、０．５ＭＨｚ〜３０ＭＨｚの周波数範囲内にありかつ第１の受信超音波撮像信号の周波数とは異なる、態様１〜６のいずれか１つに記載の聴診器デバイス。
【０２５８】
態様８：第１の超音波トランスデューサは、ジルコン酸チタン酸鉛（ＰＺＴ）素子、ポリフッ化ビニリデン（ＰＶＤＦ）素子、電圧マイクロマシン超音波トランスデューサ（ＰＭＵＴ）素子、および容量性マイクロマシン超音波トランスデューサ（ＣＭＵＴ）素子からなる群から選択された素子を含み；第２の超音波トランスデューサは、ＰＺＴ素子、ＰＶＤＦ素子、ＰＭＵＴ素子、およびＣＭＵＴ素子からなる群から選択された素子を含む、態様１〜７のいずれか１つに記載の聴診器デバイス。
【０２５９】
態様９：第１の超音波トランスデューサは、少なくとも１つの他の超音波撮像センサの帯域幅と部分的に重複する帯域幅を有する、態様１〜８のいずれか１つに記載の聴診器デバイス。
【０２６０】
態様１０：聴診器ヘッド、第１の超音波トランスデューサ、および第２の超音波トランスデューサの１つ以上に連結されたハウジングをさらに備える、態様１〜９のいずれか１つに記載の聴診器デバイス。
【０２６１】
態様１１：聴診器ヘッド、第１の超音波トランスデューサ、および第２の超音波トランスデューサの１つ以上は、ハウジングに取り外し可能に連結されている、態様１〜１０のいずれか１つに記載の聴診器デバイス。
【０２６２】
態様１２：聴診器ヘッド、第１の超音波トランスデューサ、および第２の超音波トランスデューサの１つ以上は、ハウジングに物理的に連結されている、態様１〜１１のいずれか１つに記載の聴診器デバイス。
【０２６３】
態様１３：聴診器ヘッド、第１の超音波トランスデューサ、および第２の超音波トランスデューサの１つ以上は、ハウジングに機能的に接続されている、態様１〜１２のいずれか１つに記載の聴診器デバイス。
【０２６４】
態様１４：非聴診の非超音波信号を検出するための、非聴診の非超音波センサをさらに備える、態様１〜１３のいずれか１つに記載の聴診器デバイス。
【０２６５】
態様１５：非聴診の非超音波センサは、非聴診オーディオセンサ、温度センサ、光学センサ、電気センサ、および電気化学センサからなる群から選択される、態様１４に記載の聴診器デバイス。
【０２６６】
態様１６：非聴診の非超音波センサは、体温、呼吸数、呼吸の質、呼吸の病理、血圧レベル、血糖濃度レベル、血中ガス濃度レベル、および血中酸素飽和度（ｓｐＯ２）レベルからなる群に由来する信号を検出するように構成されている、態様１４または１５に記載の聴診器デバイス。
【０２６７】
態様１７：聴診器ヘッドは、第１および第２の超音波トランスデューサに機能的に接続されている、態様１〜１６のいずれか１つに記載の聴診器デバイス。
【０２６８】
態様１８：バッテリをさらに備える、態様１〜１７のいずれか一項に記載の聴診器デバイス。
【０２６９】
態様１９：電力を受け取るための電源コネクタをさらに備える、態様１〜１８のいずれか１つに記載の聴診器デバイス。
【０２７０】
態様２０：電力を受け取るための誘導電力コイルをさらに備える、態様１〜１９のいずれか１つに記載の聴診器デバイス。
【０２７１】
態様２１：データを送信および受信するための誘導電力コイルをさらに備える、態様１〜２０のいずれか１つに記載の聴診器デバイス。
【０２７２】
態様２２：デバイスを、聴診器モード、超音波撮像モード、または非聴診の非超音波モードの１つ以上で動作させるための制御部をさらに備える、態様１〜２１のいずれか１つに記載の聴診器デバイス。
【０２７３】
態様２３：制御部がユーザインタフェースを備える、態様２２に記載の聴診器デバイス。
【０２７４】
態様２４：ユーザインタフェースは、聴診信号記、超音波信号、または非聴診の非超音波信号に基づくフィードバックをユーザに提供するように構成されている、態様１〜２３のいずれか１つに記載の聴診器デバイス。
【０２７５】
態様２５：ユーザインタフェースがタッチスクリーンデバイスを含む、様２４に記載の聴診器デバイス。
【０２７６】
態様２６：無線ネットワークモダリティをさらに備える、態様１〜２５のいずれか１つに記載の聴診器デバイス。
【０２７７】
態様２７：無線ネットワークモダリティは、聴診オーディオ信号、受信超音波信号または非聴診の非超音波信号を周辺デバイスに通信するように構成されている、態様２６に記載の聴診器デバイス。
【０２７８】
態様２８：マイクロフォンおよびスピーカをさらに備える、態様１〜２７のいずれか１つに記載の聴診器デバイス。
【０２７９】
態様２９：マイクロフォンおよびスピーカは、聴診器デバイスのオペレータと聴診器デバイスとの間の通信を可能にする、態様２８に記載の聴診器デバイス。
【０２８０】
態様３０：聴診器デバイスであって：
対象からの聴診オーディオ信号を受信するための機械的ダイヤフラムを備える、聴診器ヘッドと；
送信超音波撮像信号を対象に送信し、受信超音波撮像信号を該対象から受信する、超音波トランスデューサと；
該対象からの非聴診の非超音波信号を検出する、非聴診の非超音波センサと、を備える、聴診器デバイス。
【０２８１】
態様３１：聴診器ヘッド、超音波トランスデューサ、および非聴診の非超音波センサに連結されたハウジングをさらに備える、態様３０に記載の聴診器デバイス。
【０２８２】
態様３２：聴診器ヘッド、超音波トランスデューサ、および非聴診の非超音波センサの１つ以上は、ハウジングに取り外し可能に連結されている、態様３０または３１に記載の聴診器デバイス。
【０２８３】
態様３３：聴診器ヘッド、超音波トランスデューサ、および非聴診の非超音波センサの１つ以上は、ハウジングに物理的に連結されている、態様３０〜３２のいずれか１つに記載の聴診器デバイス。
【０２８４】
態様３４：聴診器ヘッド、超音波トランスデューサ、および非聴診の非超音波センサの１つ以上は、ハウジングに機能的に接続されている、態様３０〜３３のいずれか１つに記載の聴診器デバイス。
【０２８５】
態様３５：対象から受信される受信超音波撮像信号は、送信超音波撮像信号の錯乱信号である、態様３０〜３４のいずれか１つに記載の聴診器デバイス。
【０２８６】
態様３６：非聴診の非超音波センサは、非聴診オーディオセンサ、温度センサ、光学センサ、電気センサ、化学センサ、および電気化学センサからなる群から選択される、態様３０〜３５のいずれか１つに記載の聴診器デバイス。
【０２８７】
態様３７：非聴診の非超音波センサは、体温、呼吸数、呼吸量、呼吸の質、呼吸の病理、血圧レベル、血糖濃度、血中ガス濃度レベル、および血中酸素飽和度（ｓｐＯ２）レベルの１つ以上に対応する信号を検出するように構成されている、態様３０〜３６のいずれか１つに記載の聴診器デバイス。
【０２８８】
態様３８：超音波トランスデューサは、聴診器ヘッドに取り付けられている、態様３０〜３７のいずれか１つに記載の聴診器デバイス。
【０２８９】
態様３９：充電式または非充電式のバッテリをさらに備える、態様３０〜３８のいずれか１つに記載の聴診器デバイス。
【０２９０】
態様４０：電力を受け取るための電源コネクタをさらに備える、態様３０〜３９のいずれか１つに記載の聴診器デバイス。
【０２９１】
態様４１：電力を受け取るための誘導電力コイルをさらに備える、態様３０〜４０のいずれか１つに記載の聴診器デバイス。
【０２９２】
態様４２：データを送信および受信するための誘導電力コイルをさらに備える、態様３０〜４１のいずれか１つに記載の聴診器デバイス。
【０２９３】
態様４３：デバイスを、聴診器モード、超音波撮像モード、非聴診の非超音波モードの１つ以上で動作させるための制御部をさらに備える、態様３０〜４２のいずれか１つに記載の聴診器デバイス。
【０２９４】
態様４４：制御部がユーザインタフェースを備える、態様４３に記載の聴診器デバイス。
【０２９５】
態様４５：ユーザインタフェースは、聴診信号、超音波信号、または非聴診の非超音波信号に基づくフィードバックをユーザに提供するように構成されている、態様４４に記載の聴診器デバイス。
【０２９６】
態様４６：ユーザインタフェースがディスプレイを備える、態様４４または４５に記載の聴診器デバイス。
【０２９７】
態様４７：ディスプレイは、撮像されるサンプルの２次元表現を表示する、態様４６に記載の聴診器デバイス。
【０２９８】
態様４８：ユーザインタフェースがタッチスクリーンデバイスを含む、態様４４〜４７のいずれか１つに記載の聴診器デバイス。
【０２９９】
態様４９：無線ネットワークモダリティをさらに備える、態様３０〜４８のいずれか１つに記載の聴診器デバイス。
【０３００】
態様５０：無線ネットワークモダリティは、聴診オーディオ信号、受信超音波信号、または非聴診の非超音波信号を周辺デバイスに通信するように構成されている、態様４９に記載の聴診器デバイス。
【０３０１】
態様５１：マイクロフォンおよびスピーカをさらに備える、態様３０〜５０のいずれか１つに記載に聴診器デバイス。
【０３０２】
態様５２：マイクロフォンおよびスピーカは、改良された聴診器デバイスのオペレータと該改良された聴診器デバイスとの間の通信を可能にする、態様５１に記載の改良された聴診器デバイス。
【０３０３】
態様５３：聴診器デバイスであって：
対象からの聴診オーディオ信号を受信するための機械的ダイヤフラムを備える、聴診器ヘッドと；
送信超音波撮像信号を対象に送信し、受信超音波撮像信号を該対象から受信する、超音波トランスデューサと；
聴診オーディオ信号と受信超音波撮像信号とを相関させる、モデルと、を備える、聴診器デバイス。
【０３０４】
態様５４：聴診器ヘッドおよび超音波トランスデューサに連結されたハウジングをさらに備える、態様５３に記載の聴診器デバイス。
【０３０５】
態様５５：聴診器ヘッドおよび超音波トランスデューサの一方または両方が、ハウジングに取り外し可能に連結されている、態様５３または５４に記載の聴診器デバイス。
【０３０６】
態様５６：聴診器ヘッドおよび超音波トランスデューサの一方または両方が、ハウジングに物理的に連結されている、態様５３〜５５のいずれか１つに記載の聴診器デバイス。
【０３０７】
態様５７：聴診器ヘッドおよび超音波トランスデューサの一方または両方が、ハウジングに機能的に接続されている、態様５３〜５６のいずれか１つに記載の聴診器デバイス。
【０３０８】
態様５８：非聴診の非超音波信号を検出するための非聴診の非超音波センサをさらに備える、態様５３〜５７のいずれか１つに記載の聴診器デバイス。
【０３０９】
態様５９：非聴診の非超音波センサは、非聴診オーディオセンサ、温度センサ、光学センサ、電気センサ、化学センサおよび電気化学センサからなる群から選択される、態様５８に記載の聴診器デバイス。
【０３１０】
態様６０：非聴診の非超音波センサは：体温、呼吸数、血圧レベル、および血中酸素飽和度（ｓｐＯ２）レベルの１つ以上に対応する信号を検出するように構成されている、態様５８または５９に記載の聴診器デバイス。
【０３１１】
態様６１：モデルは、（ａ）聴診オーディオ信号、（ｂ）超音波撮像信号、および（ｃ）非超音波信号からなる群から選択された第１の信号を、（ｘ）聴診オーディオ信号、（ｙ）超音波撮像信号、および（ｚ）非超音波信号からなる群から選択された第２の信号と相関させ、これによって抽出された特徴パラメータを生成する、態様５３〜６０のいずれか１つに記載の聴診器デバイス。
【０３１２】
態様６２：モデルは：
第１の信号を第１の重み関数でたたみ込んで第１の重み信号を生成すること；
第２の信号を第２の重み関数でたたみ込んで第２の重み信号を生成すること；および
第１および第２の重み信号上で自動相関または相互相関を実行して、抽出された特徴パラメータを生成すること；
によって第１および第２の信号を相関させる、態様５３〜６１のいずれか１つに記載の聴診器デバイス。
【０３１３】
態様６３：モデルは：
第１および第２の信号を（ｉ）フーリエ変換、（ｉｉ）Ｚ−変換、（ｉｉｉ）ウェーブレット変換、（ｉｖ）余弦級数、（ｖ）正弦級数、または（ｖｉ）テイラー級数の１つ以上でそれぞれ変換して、第１および第２の変換信号をそれぞれ生成すること；および
第１および第２の変換信号を相互相関または自動相関させて特徴パラメータを生成すること；
によって第１および第２の信号を相関させる、態様５３〜６２のいずれか１つに記載の聴診器デバイス。
【０３１４】
態様６４：モデルは、
第１および第２の信号を符号化すること；および
機械学習技術を使用して第１および第２の信号を一組の特徴にマッピングすること；
によって第１および第２の信号を相関させる、態様５３〜６３のいずれか１つに記載の聴診器デバイス。
【０３１５】
態様６５：機械学習技術は、ディアボロネットワーク、ニューラルネットワーク、およびスパース辞書からなる群から選択される、態様６４に記載の聴診器デバイス。
【０３１６】
態様６６：超音波トランスデューサが聴診器ヘッドに取り付けられている、態様５３〜６５のいずれか１つに記載の聴診器デバイス。
【０３１７】
態様６７：充電式または非充電式のバッテリをさらに備える、態様５３〜６６のいずれか１つに記載の聴診器デバイス。
【０３１８】
態様６８：電力を受け取るための電源コネクタをさらに備える、態様５３〜６７のいずれか１つに記載の聴診器デバイス。
【０３１９】
態様６９：電力を受け取るための誘導電力コイルをさらに備える、態様５３〜６８のいずれか１つに記載の聴診器デバイス。
【０３２０】
態様７０：データを送信および受信するための誘導電力コイルをさらに備える、態様５３〜６９のいずれか１つに記載の聴診器デバイス。
【０３２１】
態様７１：デバイスを、聴診器モード、超音波撮像モード、または非聴診の非超音波モードの１つ以上で動作させるための制御部をさらに備える、態様５３〜７０のいずれか１つに記載の聴診器デバイス。
【０３２２】
態様７２：制御部がユーザインタフェースを備える、態様７１に記載の聴診器デバイス。
【０３２３】
態様７３：ユーザインタフェースは、聴診信号、超音波信号、または非聴診の非超音波信号の１つ以上に基づくフィードバックをユーザに提供するように構成されている、態様７２に記載の聴診器デバイス。
【０３２４】
態様７４：ユーザインタフェースがタッチスクリーンデバイスを備える、態様７２または７３に記載の聴診器デバイス。
【０３２５】
態様７５：無線ネットワークモダリティをさらに備える、態様５３〜７４のいずれか１つに記載の聴診器デバイス。
【０３２６】
態様７６：無線ネットワークモダリティは、聴診オーディオ信号、受信超音波信号、または非聴診の非超音波信号の１つ以上を周辺デバイスに通信するように構成されている、態様７５に記載の聴診器デバイス。
【０３２７】
態様７７：マイクロフォンおよびスピーカをさらに備える、態様５３〜７６のいずれか１つに記載の聴診器デバイス。
【０３２８】
態様７８：マイクロフォンおよびスピーカは、改良された聴診器デバイスのオペレータと、該改良された聴診器デバイスとの間の通信を可能にする、態様７７に記載の聴診器デバイス。
【０３２９】
態様７９：聴診器デバイスであって：
対象からの聴診オーディオ信号を受信するための機械的ダイヤフラムを備える、聴診器ヘッドと；
送信超音波撮像信号を対象に送信し、受信超音波撮像信号を該対象から受信する、超音波トランスデューサと；
オーディオ信号を対象に送信する、オーディオトランスデューサと；
送信超音波撮像信号をオーディオ信号と干渉させて超音波撮像信号を対象に誘導する、干渉回路と、を備える、聴診器。
【０３３０】
態様８０：聴診器ヘッド、超音波トランスデューサ、オーディオトランスデューサ、および干渉回路の１つ以上に連結されたハウジングをさらに備える、態様７９に記載の聴診器デバイス。
【０３３１】
態様８１：聴診器ヘッド、超音波トランスデューサ、オーディオトランスデューサ、および干渉回路の１つ以上は、ハウジングに取り外し可能に連結されている、７９または８０に記載の聴診器デバイス。
【０３３２】
態様８２：聴診器ヘッド、超音波トランスデューサ、オーディオトランスデューサ、および干渉回路の１つ以上が、ハウジングに物理的に連結されている、態様７９〜８１のいずれか１つに記載の聴診器デバイス。
【０３３３】
態様８３：聴診器ヘッド、超音波トランスデューサ、オーディオトランスデューサ、および干渉回路の１つ以上は、ハウジングに機能的に接続されている、態様７９〜８２のいずれか１つに記載の聴診器デバイス。
【０３３４】
態様８４：干渉回路は、オーディオ信号に対する対象応答のモデルに基づいて、送信超音波撮像信号をオーディオ信号と干渉させる、態様７９〜８３のいずれか１つに記載の聴診器デバイス。
【０３３５】
態様８５：モデルは、超音波撮像信号をオーディオ信号と相関させ、抽出された特徴パラメータを生成する、態様７９〜８４のいずれか１つに記載の聴診器デバイス。
【０３３６】
態様８６：モデルは：
超音波撮像信号を第１の重み関数でたたみ込んで重みつき超音波撮像信号を生成すること；
オーディオ信号を第２の重み関数でたたみ込んで重みつきオーディオ信号を生成すること；および
重みつき超音波撮像信号および重みつきオーディオ信号上で自動相関または相互相関を実行して、特徴パラメータを生成すること；
によって超音波撮像信号とオーディオ信号とを相関させる、態様７９〜８５のいずれか１つに記載の聴診器デバイス。
【０３３７】
態様８７：モデルは、
超音波撮像信号およびオーディオ信号を、（ｉ）フーリエ変換、（ｉｉ）Ｚ−変換、（ｉｉｉ）ウェーブレット変換、（ｉｖ）余弦級数、（ｖ）正弦級数、または（ｖｉ）テイラー級数の１つ以上でそれぞれ変換して、変換超音波撮像信号および変換オーディオ信号をそれぞれ生成すること；および
変換超音波撮像信号と変換オーディオ信号とを相互相関または自動相関させて特徴パラメータを生成すること；
によって超音波撮像信号とオーディオ信号とを相関させる、態様７９〜８６のいずれか１つに記載の聴診器デバイス。
【０３３８】
態様８８：モデルは、
超音波撮像信号およびオーディオ信号を符号化すること；および
機械学習技術を使用して超音波撮像信号およびオーディオ信号を一組の特徴にマッピングすること；
によって、超音波撮像信号およびオーディオ信号を相関させる、態様７９〜８７のいずれか１つに記載の聴診器デバイス。
【０３３９】
態様８９：機械学習技術は、ディアボロネットワーク、ニューラルネットワーク、およびスパース辞書からなる群から選択される、態様８８に記載の聴診器デバイス。
【０３４０】
態様９０：非聴診の非超音波信号を検出するための非聴診の非超音波センサをさらに備える、態様７９〜８９のいずれか１つに記載の聴診器デバイス。
【０３４１】
態様９１：非聴診の非超音波センサは：非聴診オーディオセンサ、温度センサ、光学センサ、電気センサ、化学センサ、電気化学センサからなる群から選択される、態様９０に記載の聴診器デバイス。
【０３４２】
態様９２：非聴診の非超音波センサは、体温、呼吸数、呼吸の質、呼吸の病理、血圧レベル、血糖濃度レベル、血中ガス濃度レベル、および血中酸素飽和度（ｓｐＯ２）レベルからなる群に対応する信号を検出するように構成されている、態様９０または９１に記載の聴診器デバイス。
【０３４３】
態様９３：超音波トランスデューサは、聴診器ヘッドに対して、取り外し可能または取り外し不可能に取り付けられている、態様７９〜９２のいずれか１つに記載の聴診器デバイス。
【０３４４】
態様９４：超音波トランスデューサは、音響整合層に取り付けられている、態様７９〜９３のいずれか１つに記載の聴診器デバイス。
【０３４５】
態様９５：超音波トランスデューサは、聴診器ヘッドに対して、取り外し可能または取り外し不可能に取り付けられている、態様７９〜９４のいずれか１つに記載の聴診器デバイス。
【０３４６】
態様９６：充電式または非充電式のバッテリをさらに備える、態様７９〜９５のいずれか１つに記載の聴診器デバイス。
【０３４７】
態様９７：電力を受け取るための電源コネクタをさらに備える、態様７９〜９６のいずれか１つに記載の聴診器デバイス。
【０３４８】
態様９８：電力を受け取るための誘導電力コイルをさらに備える、態様７９〜９７のいずれか１つに記載の聴診器デバイス。
【０３４９】
態様９９：データを送信および受信するための誘導電力コイルをさらに備える、態様７９〜９８のいずれか１つに記載の聴診器デバイス。
【０３５０】
態様１００：デバイスを、聴診器モード、超音波撮像モード、および非聴診の非超音波モードの１つ以上で動作させるための制御部をさらに備える、態様７９〜９９のいずれか１つに記載の聴診器デバイス。
【０３５１】
態様１０１：制御部がユーザインタフェースを備える、態様１００に記載の聴診器デバイス。
【０３５２】
態様１０２：ユーザインタフェースは、聴診信号、超音波信号、および非聴診の非超音波信号の１つ以上に基づくフィードバックをユーザに提供するように構成されている、態様１０１に記載の聴診器デバイス。
【０３５３】
態様１０３：ユーザインタフェースがタッチスクリーンデバイスを含む、態様１０１または１０２に記載の聴診器デバイス。
【０３５４】
態様１０４：無線ネットワークモダリティをさらに備える、態様７９〜１０４のいずれか１つに記載の聴診器デバイス。
【０３５５】
態様１０５：無線ネットワークモダリティは、聴診オーディオ信号、受信超音波信号、および非聴診の非超音波信号を周辺デバイスに通信するように構成されている、態様１０４に記載の聴診器デバイス。
【０３５６】
態様１０６：マイクロフォンおよびスピーカをさらに備える、態様７９〜１０５のいずれか１つに記載の聴診器デバイス。
【０３５７】
態様１０７：マイクロフォンおよびスピーカは、聴診器デバイスのオペレータと聴診器デバイスとの間の通信を可能にする、態様１０６に記載の聴診器デバイス。
【０３５８】
態様１０８：聴診オーディオ信号を対象から受信するステップと；
第１の送信超音波撮像信号を第１の周波数で対象に送信し、第１の受信超音波撮像信号を第１の周波数で対象から受信するステップと；
第２の送信超音波撮像信号を第１の周波数とは異なる第２の周波数で対象に送信し、第２の受信超音波撮像信号を第２の周波数で対象から受信するステップと；を含む方法であって、
第１および第２の超音波トランスデューサは、互いに同時に送信および受信する、方法。
【０３５９】
態様１０９：聴診オーディオ信号は、機械的ダイヤフラムを備える聴診器ヘッドによって受信され、第１の超音波撮像信号は、第１の超音波トランスデューサによって送信および受信され、第２の超音波撮像信号は、第２の超音波トランスデューサによって送信および受信される、態様１０８に記載の方法。
【０３６０】
態様１１０：第１の送信超音波撮像信号の周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択され：かつ第２の送信超音波撮像信号の周波数は、０．５ＭＨｚ〜３０ＭＨｚの周波数範囲内にある、態様１０８または態様１０９に記載の方法。
【０３６１】
態様１１１：第１の受信超音波撮像信号の周波数は、１００ｋＨｚ、２００ｋＨｚ、３００ｋＨｚ、４００ｋＨｚ、５００ｋＨｚ、６５０ｋＨｚ、７００ｋＨｚ、８００ｋＨｚ、８５０ｋＨｚ、９００ｋＨｚ、１ＭＨｚ、２ＭＨｚ、３ＭＨｚ、５．５ＭＨｚ、６ＭＨｚ、８ＭＨｚ、および１１ＭＨｚからなる群から選択され；かつ第２の受信超音波撮像信号の周波数は、０．５ＭＨｚ〜３０ＭＨｚの周波数範囲内にある、態様１０８〜１１０のいずれか１つに記載の方法。
【０３６２】
態様１１２：第１の送信超音波撮像信号の周波数は、０．５ＭＨｚ〜３０ＭＨｚの周波数範囲内にあり、第２の送信超音波撮像信号の周波数は、０．５ＭＨｚ〜３０ＭＨｚの周波数範囲内にありかつ第１の送信超音波撮像信号の周波数とは異なる、態様１０８〜１１１のいずれか１つに記載の方法。
【０３６３】
態様１１３：第１の受信超音波撮像信号の周波数は、０．５ＭＨｚ〜３０ＭＨｚの周波数範囲内にあり、第２の受信超音波撮像信号の周波数は、０．５ＭＨｚ〜３０ＭＨｚの周波数範囲内にありかつ第１の受信超音波撮像信号の周波数とは異なる、態様１０８〜１１２のいずれか１つに記載の方法。
【０３６４】
態様１１４：第１の受信超音波撮像信号は、第２の受信超音波撮像信号によって正規化される、態様１０８〜１１３のいずれか１つに記載の方法。
【０３６５】
態様１１５：第１の受信超音波撮像信号の周波数は、０．５ＭＨｚ〜３０ＭＨｚの周波数範囲内にあり、第２の受信超音波撮像信号の周波数は、０．５ＭＨｚ〜３０ＭＨｚの周波数範囲内にありかつ第１の受信超音波撮像信号の周波数とは異なる、態様１０８〜１１４のいずれか１つに記載の方法。
【０３６６】
態様１１６：第１の超音波トランスデューサは、ジルコン酸チタン酸鉛（ＰＺＴ）素子、ポリフッ化ビニリデン（ＰＶＤＦ）素子、電圧マイクロマシン超音波トランスデューサ（ＰＭＵＴ）素子、および容量性マイクロマシン超音波トランスデューサ（ＣＭＵＴ）素子からなる群から選択された素子を含み；第２の超音波トランスデューサは、ＰＺＴ素子、ＰＶＤＦ素子、ＰＭＵＴ素子、およびＣＭＵＴ素子からなる群から選択された素子を含む、態様１０９〜１１５のいずれか１つに記載の方法。
【０３６７】
態様１１７：第１の超音波トランスデューサは、少なくとも１つの他の超音波撮像センサの帯域幅と部分的に重複する帯域幅を有する、態様１０９〜１１６のいずれか１つに記載の方法。
【０３６８】
態様１１８：聴診器ヘッド、第１の超音波トランスデューサ、および第２の超音波トランスデューサの１つ以上にハウジングを連結させるステップをさらに含む、態様１０９〜１１７のいずれか１つに記載の方法。
【０３６９】
態様１１９：聴診器ヘッド、第１の超音波トランスデューサ、および第２の超音波トランスデューサの１つ以上は、ハウジングに取り外し可能に連結されている、態様１１８に記載の方法。
【０３７０】
態様１２０：聴診器ヘッド、第１の超音波トランスデューサ、および第２の超音波トランスデューサの１つ以上は、ハウジングに物理的に連結されている、態様１１８または１１９に記載の方法。
【０３７１】
態様１２１：聴診器ヘッド、第１の超音波トランスデューサ、および第２の超音波トランスデューサの１つ以上は、ハウジングに機能的に接続されている、態様１１８〜１２０のいずれか１つに記載の方法。
【０３７２】
態様１２２：非聴診の非超音波信号を検出するステップをさらに含む、態様１０８〜１２１のいずれか１つに記載の方法。
【０３７３】
態様１２３：非聴診の非超音波信号は、非聴診の非超音波センサによって検出される、態様１２２に記載の方法。
【０３７４】
態様１２４：非聴診の非超音波センサは、非聴診オーディオセンサ、温度センサ、光学センサ、電気センサ、および電気化学センサからなる群から選択される、態様１２３に記載の方法。
【０３７５】
態様１２５：非聴診の非超音波センサは、体温、呼吸数、呼吸の質、呼吸の病理、血圧レベル、血糖濃度レベル、血中ガス濃度レベル、および血中酸素飽和度（ｓｐＯ２）レベルからなる群に由来する信号を検出するように構成されている、態様１２３または１２４に記載の方法。
【０３７６】
態様１２６：聴診器ヘッドは、第１および第２の超音波トランスデューサに機能的に接続されている、態様１０９〜１２５のいずれか１つに記載の方法。
【０３７７】
態様１２７：聴診器ヘッド、第１の超音波撮像トランスデューサ、および第２の超音波撮像トランスデューサに電力を供給するステップをさらに含む、態様１０８〜１２６のいずれか１つに記載の方法。
【０３７８】
態様１２８：電力は、バッテリによって供給される、態様１２７に記載の方法。
【０３７９】
態様１２９：電力は、電力を受け取るための電源コネクタによって供給される、態様１２７または１２８に記載の方法。
【０３８０】
態様１３０：電力は、電力を受け取るための誘導電力コイルによって供給される、態様１２７〜１２９のいずれか１つに記載の方法。
【０３８１】
態様１３１：データを送信および受信するステップをさらに含む、態様１０８〜１３０のいずれか１つに記載の方法。
【０３８２】
態様１３２：データを送信および受信するステップは、データを送信および受信するための誘導電力コイルによって実行される、態様１３１に記載の方法。
【０３８３】
態様１３３：デバイスを、聴診器モード、超音波撮像モード、または非聴診の非超音波モードの１つ以上で動作させるステップをさらに含む、態様１０８〜１３２のいずれか１つに記載の方法。
【０３８４】
態様１３４：デバイスの動作が制御部によって実行される、態様１３３に記載の方法。
【０３８５】
態様１３５：制御部がユーザインタフェースを含む、態様１３４に記載の方法。
【０３８６】
態様１３６：ユーザインタフェースは、聴診信号、超音波信号、または非聴診の非超音波信号に基づくフィードバックをユーザに提供するように構成されている、態様１３５に記載の方法。
【０３８７】
態様１３７：ユーザインタフェースがタッチスクリーンデバイスを含む、態様１３５または１３６に記載の方法。
【０３８８】
態様１３８：聴診オーディオ信号、受信超音波信号、または非聴診の非超音波信号を周辺デバイスに通信するステップをさらに含む、態様１０８〜１３７にいずれか１つに記載の方法。
【０３８９】
態様１３９：通信が無線ネットワークモダリティによるものである、態様１３８に記載の方法。
【０３９０】
態様１４０：聴診器デバイスのオペレータと聴診器デバイスとの間の通信を可能にするステップをさらに含む、態様１０８〜１３９のいずれか１つに記載の方法。
【０３９１】
態様１４１：通信がマイクロフォンおよびスピーカによって可能になる、態様１４０に記載の方法。
【０３９２】
態様１４２：聴診オーディオ信号を対象から受信するステップと；
送信超音波撮像信号を対象に送信し、受信超音波撮像信号を対象から受信するステップと；
非聴診の非超音波信号を対象から検出するステップと、を含む、方法。
【０３９３】
態様１４３：聴診オーディオ信号は、機械的ダイヤフラムを備える聴診器ヘッドによって受信され、超音波撮像信号は、超音波トランスデューサによって送信および受信され、かつ非聴診の非超音波信号は、非聴診の非超音波センサによって検出される、態様１４２に記載の方法。
【０３９４】
態様１４４：聴診器ヘッド、超音波トランスデューサ、および非聴診の非超音波センサをハウジングに連結するステップをさらに含む態様１４３に記載の方法。
【０３９５】
態様１４５：聴診器ヘッド、超音波トランスデューサ、および非聴診の非超音波センサの１つ以上は、ハウジングに取り外し可能に連結されている、態様１４３または１４４に記載の方法。
【０３９６】
態様１４６：聴診器ヘッド、超音波トランスデューサ、および非聴診の非超音波センサの１つ以上は、ハウジングに物理的に連結されている、態様１４３〜１４５のいずれか１つに記載の方法。
【０３９７】
態様１４７：聴診器ヘッド、超音波トランスデューサ、および非聴診の非超音波センサの１つ以上は、ハウジングに機能的に接続されている、態様１４４〜１４６のいずれか１つに記載の方法。
【０３９８】
態様１４８：対象から受信される受信超音波撮像信号は、送信超音波撮像信号の錯乱信号である、態様１４２〜１４７のいずれか１つに記載の方法。
【０３９９】
態様１４９：非聴診の非超音波センサは、非聴診オーディオセンサ、温度センサ、光学センサ、電気センサ、化学センサ、および電気化学センサからなる群から選択される、態様１４３〜１４８のいずれか１つに記載の方法。
【０４００】
態様１５０：非聴診の非超音波センサは、体温、呼吸数、呼吸量、呼吸の質、呼吸の病理、血圧レベル、血糖濃度、血中ガス濃度レベル、および血中酸素飽和度（ｓｐＯ２）レベルの１つ以上に対応する信号を検出するように構成されている、態様１４３〜１４９のいずれか１つに記載の方法。
【０４０１】
態様１５１：超音波トランスデューサが聴診器ヘッドに取り付けられている、態様１４３〜１５０のいずれか１つに記載の方法。
【０４０２】
態様１５２：聴診器ヘッド、第１の超音波撮像トランスデューサ、および第２の超音波撮像トランスデューサに電力を供給するステップをさらに含む、態様１４２〜１５１のいずれか１つに記載の方法。
【０４０３】
態様１５３：電力は、バッテリによって供給される、態様１５２に記載の方法。
【０４０４】
態様１５４：電力は、電力を受け取るための電源コネクタによって供給される、態様１５２または１５３に記載の方法。
【０４０５】
態様１５５：電力は、電力を受け取るための誘導電力コイルによって供給される、態様１５２〜１５４のいずれか１つに記載の方法。
【０４０６】
態様１５６：データを送信および受信するステップをさらに含む、態様１４２〜１５５のいずれか１つに記載の方法。
【０４０７】
態様１５７：データを送信および受信するステップは、データを送信および受信するための湯堂電力コイルによって実行される、態様１５６に記載の方法。
【０４０８】
態様１５８：デバイスを、聴診器モード、超音波撮像モード、または非聴診の非超音波モードの１つ以上で動作させるステップをさらに含む、態様１４２〜１５７のいずれか１つに記載の方法。
【０４０９】
態様１５９：デバイスの動作が制御部によって実行される、態様１５８に記載の方法。
【０４１０】
態様１６０：制御部がユーザインタフェースを含む、態様１５９に記載の方法。
【０４１１】
態様１６１：ユーザインタフェースは、聴診信号、超音波信号、または非聴診の非超音波信号に基づくフィードバックをユーザに提供するように構成されている、態様１６０に記載の方法。
【０４１２】
態様１６１：聴診オーディオ信号を対象から受信するステップと；
送信超音波撮像信号を対象に送信し、受信超音波撮像信号を対象から受信するステップと；
聴診オーディオ信号と受信超音波撮像信号とを相関させるステップと、を含む、方法。
【０４１３】
態様１６２：聴診オーディオ信号は、機械的ダイヤフラムを備える聴診器によって受信され、超音波撮像信号は、超音波トランスデューサによって送信および受信され、かつ聴診オーディオ信号および受信超音波撮像信号は、モデルによって相関される、態様１６１に記載の方法。
【０４１４】
態様１６３：聴診器ヘッドおよび超音波トランスデューサにハウジング連結させるステップをさらに含む、態様１６２に記載の方法。
【０４１５】
態様１６４：聴診器ヘッドおよび超音波トランスデューサの一方または両方が、ハウジングに取り外し可能に連結されている、態様１６３に記載の方法。
【０４１６】
態様１６５：聴診器ヘッドおよび超音波トランスデューサの一方または両方が、ハウジングに物理的に連結されている、態様１６３または１６４に記載の方法。
【０４１７】
態様１６６：聴診器ヘッドおよび超音波トランスデューサの一方または両方が、ハウジングに機能的に接続されている、態様１６３〜１６５のいずれか１つに記載の方法。
【０４１８】
態様１６７：非聴診の非超音波信号を検出するステップをさらに含む、態様１６１〜１６６のいずれか１つに記載の方法。
【０４１９】
態様１６８：非聴診の非超音波信号は、非聴診の非超音波センサによって検出される、態様１６７に記載の方法。
【０４２０】
態様１６９：非聴診の非超音波センサは、非聴診オーディオセンサ、温度センサ、光学センサ、電気センサ、化学センサおよび電気化学センサからなる群から選択される、態様１６８に記載の方法。
【０４２１】
態様１７０：非聴診の非超音波センサは：体温、呼吸数、血圧レベル、および血中酸素飽和度（ｓｐＯ２）レベルの１つ以上に対応する信号を検出するように構成されている、態様１６８または１６９に記載の方法。
【０４２２】
態様１７１：モデルは、（ａ）聴診オーディオ信号、（ｂ）超音波撮像信号、および（ｃ）非超音波信号からなる群から選択された第１の信号を、（ｘ）聴診オーディオ信号、（ｙ）超音波撮像信号、および（ｚ）非超音波信号からなる群から選択された第２の信号と相関させ、これによって抽出された特徴パラメータを生成する、態様１６１〜１７０いずれか１つに記載の方法。
【０４２３】
態様１７２：モデルは：
第１の信号を第１の重み関数でたたみ込んで第１の重み信号を生成するステップ；
第２の信号を第２の重み関数でたたみ込んで第２の重み信号を生成するステップ；および
第１および第２の重み信号上で自動相関または相互相関を実行して、抽出された特徴パラメータを生成するステップ；
によって第１および第２の信号を相関させる、態様１６１〜１７１のいずれか１つに記載の方法。
【０４２４】
態様１７３：モデルは：
第１および第２の信号を（ｉ）フーリエ変換、（ｉｉ）Ｚ−変換、（ｉｉｉ）ウェーブレット変換、（ｉｖ）余弦級数、（ｖ）正弦級数、または（ｖｉ）テイラー級数の１つ以上でそれぞれ変換して、第１および第２の変換信号をそれぞれ生成するステップ；および
第１および第２の変換信号を相互相関または自動相関させて特徴パラメータを生成するステップ；
によって第１および第２の信号を相関させる、態様１６１〜１７２のいずれか１つに記載の方法。
【０４２５】
態様１７４：モデルは、
第１および第２の信号を符号化するステップ；および
機械学習技術を使用して第１および第２の信号を一組の特徴にマッピングするステップ；
によって第１および第２の信号を相関させる、態様１６１〜１７３のいずれか１つに記載の方法。
【０４２６】
態様１７５：機械学習技術は、ディアボロネットワーク、ニューラルネットワーク、およびスパース辞書からなる群から選択される、態様１７５に記載の方法。
【０４２７】
態様１７６：超音波トランスデューサが聴診器ヘッドに取り付けられている、態様１６１〜１７５のいずれか１つに記載の方法。
【０４２８】
態様１７７：聴診器ヘッド、第１の超音波撮像トランスデューサ、および第２の超音波撮像トランスデューサに電力を供給するステップをさらに含む、態様１６２〜１７６のいずれか１つに記載の方法。
【０４２９】
態様１７８：電力は、バッテリによって供給される、態様１７７に記載の方法。
【０４３０】
態様１７９：電力は、電力を受け取るための電源コネクタによって供給される、態様１７７または１７８に記載の方法。
【０４３１】
態様１８０：電力は、電力を受け取るための誘導電力コイルによって供給される、態様１７７〜１７９のいずれか１つに記載の方法。
【０４３２】
態様１８１：データを送信および受信するステップをさらに含む、態様１６１〜１８０のいずれか１つに記載の方法。
【０４３３】
態様１８２：データを送信および受信するステップは、データを送信および受信するための誘導電力コイルによって実行される、態様１８１に記載の方法。
【０４３４】
態様１８３：デバイスを、聴診器モード、超音波撮像モード、または非聴診の非超音波モードの１つ以上で動作させるステップをさらに含む、態様１６１〜１８２のいずれか１つに記載の方法。
【０４３５】
態様１８４：デバイスの動作が制御部によって実行される、態様１８３に記載の方法。
【０４３６】
態様１８５；制御部がユーザインタフェースを備える、態様１８４に記載の方法。
【０４３７】
態様１８６：ユーザインタフェースは、聴診信号、超音波信号、または非聴診の非超音波信号に基づくフィードバックをユーザに提供するように構成されている、態様１８５に記載の方法。
【０４３８】
態様１８７：ユーザインタフェースがタッチスクリーンデバイスを含む、態様１８５または１８６に記載の方法。
【０４３９】
態様１８８：聴診オーディオ信号、受信超音波信号、または非聴診の非超音波信号を周辺デバイスに通信するステップをさらに含む、態様１６１〜１８７のいずれか１つに記載の方法。
【０４４０】
態様１８９：通信が無線ネットワークモダリティによるものである、態様１８８に記載の方法。
【０４４１】
態様１９０：聴診器デバイスのオペレータと聴診器デバイスとの間の通信を可能にするステップをさらに含む、態様１６１〜１８９のいずれか１つに記載の方法。
【０４４２】
態様１９１：通信がマイクロフォンおよびスピーカによって可能になる、態様１９０に記載の方法。
【０４４３】
態様１９２：聴診オーディオ信号を対象から受信するステップと；
送信超音波撮像信号を対象に送信し、受信超音波撮像信号を対象から受信するステップと；
オーディオ信号を対象に送信するステップと；
送信超音波撮像信号をオーディオ信号と干渉させて超音波撮像信号を対象に誘導するステップと、を含む、方法。
【０４４４】
態様１９３：聴診オーディオ信号は、機械的ダイヤフラムを備える聴診器によって受信され、超音波撮像信号は、超音波トランスデューサによって送信および受信され、オーディオ信号は、オーディオトランスデューサによって送信され、かつ送信超音波撮像信号は、干渉回路によってオーディオ信号と干渉される、態様１９２に記載の方法。
【０４４５】
態様１９４：聴診器ヘッド、超音波トランスデューサ、オーディオトランスデューサ、および干渉回路の１つ以上にハウジングを連結させるステップをさらに含む、態様１９３に記載の方法。
【０４４６】
態様１９５：聴診器ヘッド、超音波トランスデューサ、オーディオトランスデューサ、および干渉回路の１つ以上は、ハウジングに取り外し可能に連結されている、態様１９４に記載の方法。
【０４４７】
態様１９６：聴診器ヘッド、超音波トランスデューサ、オーディオトランスデューサ、および干渉回路の１つ以上は、ハウジングに物理的に連結されている、態様１９４〜１９５のいずれか１つに記載の方法。
【０４４８】
態様１９７：聴診器ヘッド、超音波トランスデューサ、オーディオトランスデューサ、および干渉回路の１つ以上は、ハウジングに機能的に接続されている、態様１９４〜１９６のいずれか１つに記載の方法。
【０４４９】
態様１９８：干渉回路は、オーディオ信号に対する対象応答のモデルに基づいて、送信超音波撮像信号をオーディオ信号と干渉させる、態様１９３〜１９７のいずれか１つに記載の方法。
【０４５０】
態様１９９：モデルは、超音波撮像信号をオーディオ信号と相関させ、抽出された特徴パラメータを生成する、態様１９２〜１９８のいずれか１つに記載の方法。
【０４５１】
態様２００：モデルは、超音波撮像信号を第１の重み関数でたたみ込んで重みつき超音波撮像信号を生成するステップと；
オーディオ信号を第２の重み関数でたたみ込んで重みつきオーディオ信号を生成するステップと；
重みつき超音波撮像信号および重みつきオーディオ信号上で自動相関または相互相関を実行して、特徴パラメータを生成するステップと；
によって超音波撮像信号とオーディオ信号とを相関させる、態様１９２〜１９９のいずれか１つに記載の方法。
【０４５２】
態様２０１：モデルは、
超音波撮像信号およびオーディオ信号を、（ｉ）フーリエ変換、（ｉｉ）Ｚ−変換、（ｉｉｉ）ウェーブレット変換、（ｉｖ）余弦級数、（ｖ）正弦級数、または（ｖｉ）テイラー級数の１つ以上でそれぞれ変換して、変換超音波撮像信号および変換オーディオ信号をそれぞれ生成するステップと；
変換超音波撮像信号と変換オーディオ信号とを相互相関または自動相関させて特徴パラメータを生成するステップと；
によって超音波撮像信号とオーディオ信号とを相関させる、態様１９２〜２００のいずれか１つに記載の方法。
【０４５３】
態様２０２：モデルは、
超音波撮像信号およびオーディオ信号を符号化するステップと；
機械学習技術を使用して超音波撮像信号およびオーディオ信号を一組の特徴にマッピングするステップと；
によって、超音波撮像信号およびオーディオ信号を相関させる、態様１９２〜２０１のいずれか１つに記載の方法。
【０４５４】
態様２０３：機械学習技術は、ディアボロネットワーク、ニューラルネットワーク、およびスパース辞書からなる群から選択される、態様２０２に記載の方法。
【０４５５】
態様２０４：非聴診の非超音波信号を検出するステップをさらに含む、態様１９２〜２０３のいずれか１つに記載の方法。
【０４５６】
態様２０５：非聴診の非超音波信号は、非聴診の非超音波センサによって検出される、態様２０４に記載の方法。
【０４５７】
態様２０６：非聴診の非超音波センサは：非聴診オーディオセンサ、温度センサ、光学センサ、電気センサ、化学センサ、電気化学センサからなる群から選択される、態様２０５に記載の方法。
【０４５８】
態様２０７：非聴診の非超音波センサは、体温、呼吸数、呼吸の質、呼吸の病理、血圧レベル、血糖濃度レベル、血中ガス濃度レベル、および血中酸素飽和度（ｓｐＯ２）レベルからなる群に対応する信号を検出するように構成されている、態様２０５または２０６に記載の方法。
【０４５９】
態様２０８：超音波トランスデューサは、聴診器ヘッドに対して取り外し可能または取り外し不可能に取り付けられている、態様１９３〜２０７のいずれか１つに記載の方法。
【０４６０】
態様２０９：超音波トランスデューサが音響整合層に取り付けられている、態様１９３〜２０８のいずれか１つに記載の方法。
【０４６１】
態様２１０：超音波トランスデューサは、聴診器ヘッドに対して、取り外し可能または取り外し不可能に取り付けられている、態様１９３〜２０９のいずれか１つに記載の方法。
【０４６２】
態様２１１：聴診器ヘッド、第１の超音波撮像トランスデューサ、および第２の超音波トランスデューサに電力を供給するステップをさらに含む、態様１９２〜２１０のいずれか１つに記載の方法。
【０４６３】
態様２１２：電力は、バッテリによって供給される、態様２１１に記載の方法。
【０４６４】
態様２１３：電力は、電力を受け取るための電源コネクタによって供給される、態様２１１または２１２に記載の方法。
【０４６５】
態様２１４：電力は、電力を受け取るための誘導電力コイルによって供給される、態様２１１〜２１３のいずれか１つに記載の方法。
【０４６６】
態様２１５：データを送信および受信するステップをさらに含む、態様２９１〜２１４のいずれか１つに記載の方法。
【０４６７】
態様２１６：データを送信および受信するステップは、データを送信および受信するための誘導電力コイルによって実行される、態様２１５に記載の方法。
【０４６８】
態様２１７：デバイスを、聴診器モード、超音波撮像モード、および非聴診の非超音波モードの１つ以上で動作させるステップをさらに含む、態様１９２〜２１６のいずれか１つに記載の方法。
【０４６９】
態様２１８：デバイスの動作が制御部によって実行される、態様２１７に記載の方法。
【０４７０】
態様２１９：制御部がユーザインタフェースを備える、態様２１８に記載の方法。
【０４７１】
態様２２０：ユーザインタフェースは、聴診信号、超音波信号、および非聴診の非超音波信号の１つ以上に基づくフィードバックをユーザに提供するように構成されている、態様２１９に記載の方法。
【０４７２】
態様２２１：ユーザインタフェースは、タッチスクリーンデバイスを含む、態様２１９または２２０に記載の方法。
【０４７３】
態様２２２：聴診オーディオ信号、受信超音波信号、および非聴診の非超音波信号を周辺デバイスに通信するステップをさらに含む、態様１９２〜２２１のいずれか１つに記載の方法。
【０４７４】
態様２２３：通信が無線ネットワークモダリティによるものである、態様２２２に記載の方法。
【０４７５】
態様２２４：聴診器デバイスのオペレータと聴診器デバイスとの間の通信を可能にするステップをさらに含む、態様１９２〜２２３のいずれか１つに記載の方法。
【０４７６】
態様２２５：通信は、マイクロフォンおよびスピーカによって能になる、態様２２４に記載の方法。
【図１】
2019531101.tif 000003
【図２Ａ】
2019531101.tif 000004
【図２Ｂ】
2019531101.tif 000005
【図３Ａ】
2019531101.tif 000006
【図３Ｂ】
2019531101.tif 000007
【図３Ｃ】
2019531101.tif 000008
【図３Ｄ】
2019531101.tif 000009
【図４】
2019531101.tif 000010
【図５Ａ】
2019531101.tif 000011
【図５Ｂ】
2019531101.tif 000012
【図６Ａ】
2019531101.tif 000013
【図６Ｂ】
2019531101.tif 000014
【図６Ｃ】
2019531101.tif 000015
【図７】
2019531101.tif 000016
【図８】
2019531101.tif 000017
【図９】
2019531101.tif 000018
【図１０】
2019531101.tif 000019
【図１１】
2019531101.tif 000020
【図１２】
2019531101.tif 000021
【図１３】
2019531101.tif 000022
【図１４】
2019531101.tif 000023
【図１５】
2019531101.tif 000024
【図１６】
2019531101.tif 000025
【図１７】
2019531101.tif 000026
【図１８】
2019531101.tif 000027
【図１９】
2019531101.tif 000028
【図２０】
2019531101.tif 000029
【国際調査報告】
2019531101.tif 000030
2019531101.tif 000031